(57)【特許請求の範囲】
【請求項１】
所有者と関連するモバイル装置と協働して役立つ新しい器具を識別しかつ登録するコンピュータ化された方法であって：
所有者と関連するモバイル装置から新しい器具で一度限りの時間制限された起動コード及びデータであって、携帯電話サービスプロバイダによって該モバイル装置に提供された該一度限りの時間制限された起動コード及びデータを受信すること；
前記携帯電話サービスプロバイダに一度限りの時間制限された起動コード及び固有の器具識別子を携帯電話ネットワーク経由で前記新しい器具によって送信すること；
及び、前記携帯電話サービスプロバイダから前記携帯電話ネットワーク経由で割り当てられた電話番号及び起動承認を前記新しい器具で受信すること；を含む、方法。
【請求項２】
前記起動コードが近距離の有線通信チャンネル、近距離の無線通信チャンネル、及び移動式のメモリモジュール媒体のうちの少なくとも１つを経て受信される、請求項１の方法。
【請求項３】
前記新しい器具が、前記携帯電話サービスプロバイダから前もって受信された前記一度限りの時間制限された起動コードと前記モバイル装置を関連させ、ＤｅｖＩＤパラメータとユーザアカウント情報を該新しい器具及び該モバイル装置の所有者と関連させる、請求項１の方法。
【請求項４】
前記一度限りの時間制限された起動コードが：前記所有者と関連する個人情報；前記所有者と関連する支払いのモード；前記携帯電話サービスプロバイダによって割り当てられる起動データ及びキー；起動タイプ；起動方法；及び、暗号化キーの少なくとも１つに基づくものである、請求項１の方法。
【請求項５】
前記固有の器具識別子が、ＩＭＳＩ（国際移動電話加入者識別番号）、ＥＳＮ（電子シリアル番号）、ＭＥＩＤ（移動機識別子）、ＩＭＥＩ（国際移動機識別子）、ＳＮ（電子シリアル番号）、モデル番号及びメーカー名の少なくとも１つを含む、請求項１の方法。
【請求項６】
前記モバイル装置と関連した固有識別子を受信しかつ登録することを更に含み、それにより、前記識別されたモバイル装置との通信を制限する、請求項１の方法。
【請求項７】
前記登録されたモバイル装置から第２のモバイル装置の識別子を受信すること；前記登録されたモバイル装置に登録承認を送信すること；及び、前記第２のモバイル装置に登録操作情報を送信すること；による第２のモバイル装置の登録を更に含む、請求項６の方法。
【請求項８】
前記登録されたモバイル装置から登録解除／削除される第２の登録されたモバイル装置の前記識別子を受信すること；前記登録されたモバイル装置に登録解除／削除承認を送信すること；及び、登録解除されたモバイル装置との通信を中断すること；による前記第２のモバイル装置の登録解除／削除を更に含む、請求項７の方法。
【請求項９】
前記登録されたモバイル装置から第２のモバイル装置の識別子を受信すること；前記登録されたモバイル装置に登録承認を送信すること；前記第２のモバイル装置に登録指示情報を送信すること；及び、住宅へ出入りするための前記第２のモバイル装置の機能性を制限すること；による第２のモバイル装置の登録を更に含む、請求項６の方法。
【請求項１０】
前記登録されたモバイル装置から第２のモバイル装置の識別子を受信すること；前記登録されたモバイル装置に登録承認を送信すること；前記第２のモバイル装置に登録指示情報を送信すること；前記第２のモバイル装置を用いて前記器具に他のモバイル装置を登録することを可能にしないことにより前記第２のモバイル装置の機能性を制限すること；及び、プログラムされた日時に前記第２のモバイル装置との通信を中断すること；による第２のモバイル装置の登録を更に含む、請求項６の方法。
【請求項１１】
前記登録されたモバイル装置から第２のモバイル装置に関連する固有識別子を受信すること、及び、前記第２のモバイル装置に器具通信アプリケーションのダウンロードリンクを提供すること、を更に含む、請求項１の方法。
【請求項１２】
第２のモバイル装置及び前記器具間の今後の通信を可能にするため、前記第２のモバイル装置の所有者が前記器具に前記第２のモバイル装置を登録すること、を第２のモバイル装置に要請することを更に含む、請求項１の方法。
【請求項１３】
所有者と関連するモバイル装置と協働して役立つ器具を第２の携帯電話サービスプロバイダに識別しかつ登録するコンピュータ化された方法であって：
現在前記器具によって使われている第１の携帯電話ネットワーク経由で、該登録されたモバイル装置から該器具で、一度限りの時間制限された起動コード及びデータであって、第２の携帯電話サービスプロバイダによって該モバイル装置に提供された該一度限りの時間制限された起動コード及びデータを受信すること；
前記第２の携帯電話サービスプロバイダに前記一度限りの時間制限された起動コード及び固有の器具識別子を第２の携帯電話ネットワーク経由で前記器具によって送信して、該第２の携帯電話ネットワークプロバイダで該器具の起動を始めること；
及び、前記第２の携帯電話サービスプロバイダから前記第２の携帯電話ネットワーク経由で起動承認を前記器具で受信して、前記器具の所有者が前記器具の起動を確認すること；を含む、方法。
【請求項１４】
複数の登録されたモバイル装置の少なくとも１つに新しい器具識別子を送信し、前記第２の携帯電話サービスプロバイダと関連する該新しい器具識別子に関する新しいアカウントの複数の登録されたモバイル装置の少なくとも１つに、前記器具を該新しい器具識別子で更新するよう知らせるメッセージを通知することを更に含む、請求項１３の方法。
【請求項１５】
未登録の第三者のモバイル装置から要請される登録を受信すること；少なくとも１つの登録されたモバイル装置に少なくとも１つの警告メッセージを送信すること；前記少なくとも登録されたモバイル装置の１つから肯定的／否定的な確認を受信すること；前記少なくとも１つの許可されたパスワードの１つと前記登録されたモバイル装置からのパスワードを合致させること；及び、前記未登録の第三者のモバイル装置を登録させる／登録させないこと；を更に含む、請求項１の方法。
【請求項１６】
未登録の第三者のモバイル装置から要請される登録を受信すること；少なくとも１つの登録されたモバイル装置に少なくとも１つの警告メッセージを送信すること；前記未登録の第三者モバイル装置から合致したパスワードを受信すること；及び、前記未登録の第三者モバイル装置を登録すること；を更に含む、請求項１の方法。
【請求項１７】
ＳＩＭモジュールの存在を検出すること更に含む、請求項１の方法。
【請求項１８】
前記登録されたモバイル装置からＧＰＳ位置のリクエストを受信すること；及び、現在のＧＰＳ位置を前記登録されたモバイル装置に送信すること；を更に含む、請求項１の方法。
【請求項１９】
前記登録されたモバイル装置から紛失しているモバイル装置の位置のリクエストを受信すること；及び、前記紛失しているモバイル装置の現在のＧＰＳ位置を前記登録されたモバイル装置に送信すること；を更に含む、請求項１の方法。
【請求項２０】
前記登録されたモバイル装置によりセットアップされた料金収集装置の会社の支払い受取勘定アカウントと関連するアカウントを用いて料金支払いを完了すること；記憶された支払いアカウント情報と関連する料金支払い請求を前記料金収集装置から受信すること；前記料金収集装置を所有する前記会社と関連して前記記憶された料金支払いアカウント情報の該料金収集装置への送信を含み、料金支払いを完了すること；及び、前記支払い情報記録を前記器具のメモリに記憶すること；を更に含む、請求項１の方法。
【請求項２１】
前記登録されたモバイル装置に前記完了された料金支払いの記録を送信することを更に含む、請求項２０の方法。
【請求項２２】
前記モバイル装置によりセットアップされた前記登録されたモバイル装置の前記所有者と関連するオンデマンドのアカウントを用いて料金支払いを完了すること；料金支払い請求を料金収集装置から受信すること；及び、前記モバイル装置の前記所有者と関連する前記料金支払いアカウント情報の前記料金収集装置への送信を含み、料金支払いを完了すること；を更に含む、請求項１の方法。
【請求項２３】
前記器具と関連する少なくとも１つのセンサから警告を受信すること；及び、前記登録されたモバイル装置に前記警告を送信すること；を更に含む、請求項１の方法。
【請求項２４】
前記少なくとも１つのセンサが運動検出センサ、音声センサ、映像センサ及び熱センサのうちの少なくとも１つを含む、請求項２３の方法。
【請求項２５】
前記器具に関連して、前記自動車内部に動く目標物が放置されている状況を所有者に通知するため、前記登録されたモバイル装置へ警告メッセージを送信すること；を更に含む、請求項２３の方法。
【請求項２６】
前記登録されたモバイル装置からコマンドを受信することを更に含み、該コマンドは、ドアを解錠すること；窓を下げること；警笛を鳴らすこと；アラームを起動させること；暖房装置をオンにすること；エアコンをオンにすること；照明を付けること；及び、緊急センタに電話をかけて前記自動車ハンズフリーマイクロホン及びスピーカを使用可能にすること；の少なくとも１つを含む、請求項２５の方法。
【請求項２７】
前記登録されたモバイル装置に映像イメージ及び音声ファイルの少なくとも１つを送信することを更に含む、請求項２６の方法。
【請求項２８】
前記器具が自動車に関連するものであり、前記方法は前記登録されたモバイル装置からプログラムされた速度で少なくとも１つのＧＰＳ位置を受信することを更に含む、請求項１の方法。
【請求項２９】
前記自動車が前記少なくとも１つのＧＰＳ位置に近接する一方で該自動車の前記速度が前記プログラムされた速度を上回る時を検出しかつ記憶することを更に含む、請求項２８の方法。
【請求項３０】
前記登録されたモバイル装置に対応する警告を送信することを更に含む、請求項２９の方法。
【請求項３１】
前記器具が自動車に関連するものであり、前記方法は前記登録されたモバイル装置から分単位の値によりプログラムされたタイマーで少なくとも１つのＧＰＳ位置を受信することを更に含む、請求項１の方法。
【請求項３２】
前記タイマーがそのプログラムされた値に到達した時に毎回ルート追跡データを記録することを更に含み、前記ルート追跡データは、前記自動車の速度；前記ＧＰＳ位置；時間；日付；及び、前記自動車の識別を含む、請求項３１の方法。
【請求項３３】
前記登録されたモバイル装置から装置情報クエリを受信することを更に含む、請求項６の方法。
【請求項３４】
前記登録されたモバイル装置に、前記装置情報クエリに対応する装置情報を送信することを更に含む、請求項３３の方法。
【請求項３５】
前記登録されたモバイル装置から接続リクエスト及び器具アプリケーションコードを受信すること；及び、前記登録されたモバイル装置に前記器具アプリケーションコード又はダウンロードリンクを送信して、前記登録されたモバイル装置による家庭用器具又は住宅関連設備の作動を可能にすること；を更に含む、請求項６の方法。
【請求項３６】
前記登録されたモバイル装置からコマンドを受信することを更に含み、該コマンドはエンターテイメントシステムと関連するものである、請求項３５の方法。
【請求項３７】
前記登録されたモバイル装置からコマンドを受信することを更に含み、該コマンドは自動車と関連するものである、請求項６の方法。
【請求項３８】
前記コマンドが、ドアロック又は解錠コマンド、窓の開又は閉コマンド、及び、空気調節器オン又はオフのコマンドの少なくとも１つである、請求項３７の方法。
【請求項３９】
前記登録されたモバイル装置から他の装置へコマンドを転送することを更に含み、該コマンドは、セキュリティシステムコマンド、車両のコマンド、モニタシステムコマンドの少なくとも１つである、請求項１の方法。
【請求項４０】
前記登録されたモバイル装置から他の装置へコマンドを転送することを更に含み、該コマンドは、スプリンクラシステムコントローラコマンド、ＨＡＶ（暖房、空気調節及び換気）システムコマンド、器具コマンド、エンターテイメントシステムコマンド、通信システムコマンド、パーソナルコンピュータコマンド、照明システムを含む住宅照明コマンド、の少なくとも１つである、請求項１の方法。
【請求項４１】
前記登録されたモバイル装置に対応する警告を送信することを更に含む、請求項３９の方法。
【請求項４２】
公共サービスプロバイダに関連して他の装置へ前記登録されたモバイル装置からコマンドを転送することを更に含み、該コマンドは、電気サービス、水サービス、ガスサービス、の少なくとも１つと関連する公共サービスアカウント支払いセットアップである、請求項１の方法。
【請求項４３】
電気サービス、水サービス、ガスサービス、の少なくとも１つに関連する毎月のサービス請求書を対応の関連する公共サービスプロバイダに転送することを更に含む、請求項１の方法。
【請求項４４】
ドアベル及びインターコムに関連した入力イベントで前記登録されたモバイル装置にメッセージを送信し、前記登録されたモバイル装置と前記ドアベル及び前記インターコムとの間の双方向通信を可能にすることを更に含む、請求項１の方法。
【請求項４５】
電子メールアドレスの所有者へ回復したパスワードを電子メールで送る目的のために、電子メールサーバに該電子メールアドレス及びコマンドを送信することを更に含む、請求項１の方法。
【請求項４６】
特定の出来事が起こる時、前記器具のＧＰＳ位置及び前記特定の出来事の性質の警告メッセージを前記登録されたモバイル装置及び緊急センタへ送信することを更に含む、請求項１の方法。
【請求項４７】
前記特定の出来事が、エアバッグの膨張；又は車への衝撃；であることを更に意味する、請求項４６の方法。
【請求項４８】
前記モバイル装置から危険状態入力を受信することを更に含み：前記方法は、非常灯をつけること；緊急センタに警告メッセージ及びＧＰＳ位置を送信すること；前記登録された送受話器に警告メッセージ及び前記位置を送信すること；及び、自動車ハンズフリーマイクロホン及びスピーカに双方向通信を提供すること；を含む、請求項１の方法。
【請求項４９】
スマートペットプログラム実行時の場面を記録する時間をプログラムすること；映像入力を記録し始めること；ペット用ドアを開けること；音声レコーダを再生すること；プログラムされた一定期間の間ＲＴＣを実行すること；ペット用ドアを閉めること；記録を停止すること；及び、前記モバイル装置にメッセージを送信することを含むコマンドをプログラムするモバイル装置から受信することを更に含む、請求項１の方法。
【請求項５０】
スマートペットプログラム実行時の場面を記録する時間をプログラムすること；映像入力を記録し始めること；ペット用ドアを開けること；音声レコーダを再生すること；プログラムされた一定期間の間前記ＲＴＣを実行すること；ペット用ドアを閉めること；記録を停止すること；前記モバイル装置にメッセージを送信すること；及び、記録を再生することを含むコマンドをプログラムするモバイル装置から受信することを更に含む、請求項１の方法。
【請求項５１】
給餌時間をプログラムすること；フィーダドアを開けること；プログラムされた一定期間の間前記ＲＴＣを実行すること；及び、前記フィーダドアを閉めることを含むコマンドをプログラムするモバイル装置から受信することを更に含む、請求項１の方法。
【請求項５２】
前記１つの登録されたモバイル装置からコマンドを受信すること、及び、第２の登録されたモバイル装置から第２のコマンドを更に受信することを更に含み、前記コマンドがロボットの制御装置に関連するものである、請求項６の方法。
【請求項５３】
ユーザのモバイル装置と協働して役立つコンピュータ化された器具であって、前記器具は、所有者と関連するモバイル装置から一度限りの時間制限された起動コード及びデータであって、携帯電話サービスプロバイダによって該モバイル装置に提供された該一度限りの時間制限された起動コード及びデータを受信するため；前記携帯電話サービスプロバイダに前記一度限りの時間制限された起動コード及び固有の器具識別子を携帯電話ネットワーク経由で送信するため；及び、前記携帯電話サービスプロバイダから前記携帯電話ネットワーク経由で割り当てられた電話番号及び起動承認を受信するために構成された、コンピュータ化された器具。
【発明の詳細な説明】
【技術分野】
【０００１】
本発明は、無線通信の分野に関するものであり、特に無線又は有線の装置、あるいはＤｅｖ（例えば器具）が、無線ネットワーク、特に携帯電話ネットワーク、無線インターネットネットワーク及びそして、狭域通信（ＳＲＣ）ネットワークにおいて無線で通信することができる携帯電話の通信に関する。ＰＣＭＤ（プログラム制御及びモニタ装置）又はＤｅｖ（例えば、器具：‐発明者は本発明の記載においては用語「Ｄｅｖ」を用いていて、特許請求の範囲においては用語「器具」を用いている）は、送受話器（例えば携帯電話の送受話器）又は複数の携帯電話の送受話器と通信し、Ｄｅｖは、スマートフォン、タブレット、タブレットＰＣ、ラップトップＰＣ、ｉＰａｄのような装置、ＰＤＡ（パーソナルデジタルアシスタント）、他のあらゆる携帯電子装置又はモバイル装置であってもよい送受話器（例えばモバイル装置）に指示を送ることができ、Ｄｅｖは、その環境、関連機器又は複数の関連機器をモニタかつ制御し、未許可のあるいは危険な出来事が発生した際に警告を出して、所有者がその状況に対して適切な措置をとることができるように用いることができる。
【０００２】
Ｄｅｖにはユーザがもう一つの送受話器を追加する（登録する）ことができ、その送受話器の所有者は、本来のユーザと同じ自動車／住宅制御及びモニタシステムへのアクセスを有することができる。Ｄｅｖは、ユーザに紛失した、盗まれたあるいは使用していない送受話器の除去（登録解除）を促す。
【０００３】
Ｄｅｖにより、数百あるいは数千マイル（キロメートル）離れた友人又は親戚の送受話器が住宅セキュリティ及びモニタシステムにアクセスするようにユーザがプログラムすることができ、その友人又は親戚は、プログラム可能な一定期間の間、彼／彼女の家に滞在することができる。
【０００４】
Ｄｅｖにより、ユーザは、例えばある週のある曜日の特定の時間の出入りのような、家事の手伝い人（すなわち掃除人）による住宅セキュリティ及びモニタシステムの特定の機能へのアクセスのみを可能にするように住宅の送受話器をプログラムすることができる。そして、そのような出入りの記録がユーザにより作成され、記憶され、閲覧することができる。
【０００５】
Ｄｅｖは、その制御及びモニタシステムに彼／彼女の送受話器を通じて登録を試みた人がいる場合、ユーザに警告することができるので、ユーザはその試みに気付き、それを解除するか解除しないかのオプションを有することができる。
【０００６】
Ｄｅｖにより、ユーザは彼／彼女の送受話器を経て、紛失している登録されたもう一つの送受話器をＧＰＳで見つけることができる。
【０００７】
Ｄｅｖにより、簡単に起動しかつ新しいネットワークに登録することができるかなりシンプルなメカニズムが提供されて、ユーザは他の携帯電話サービスプロバイダを選択する自由を有することができる。
【０００８】
Ｄｅｖにより、ユーザは遠隔でＧＰＳへデータを入力しそこから検索することができ、そのＧＰＳにより自動車の現在の場所を問い合わせることができる。
【０００９】
Ｄｅｖにより、運転手は電子的に料金（すなわち橋、ハイウェイの料金）徴収人に支払うことができ、取引口座は後のチェックのためにメモリに記憶される。
【００１０】
Ｄｅｖにより、ユーザは遠隔で他の運転手の運転速度のような運転習慣を記録しそれを見ることができ、随意に、その最高速度を超えた場合、その場所、時間そして持続期間をユーザに警告することができる。また自動車レンタル、タクシー、トラック会社などは、後のチェックのため会社の記憶装置サーバに送信され記憶される各々の自動車の運転記録を有することができる。
【００１１】
Ｄｅｖは、彼／彼女の自動車の許可された移動又は使用を自動車所有者に知らせることができる。また、所有者にその出来事がどこでいつ起こったかという場所及び時間を知らせることができる。
【００１２】
Ｄｅｖにより、外気の温度が非常に高い又は低い時に子供又はペットを彼／彼女の駐車した自動車に残している極めて危険な状態を運転手に警告することができる。
【００１３】
Ｄｅｖにより、ユーザは彼／彼女の送受話器を通じて彼／彼女の自動車及びアクセサリを遠隔でプログラムし、制御しかつモニタすることができる。
【００１４】
Ｄｅｖにより、例えば自動車への突然の衝撃及び／又はエアバッグが膨らむような事故の場合には緊急センタへ通報することができる。運転手は、ハンドフリースピーカ及びマイクにより緊急オペレータと通信することができる。運転手はまた、彼／彼女の電話が機能しない又は彼／彼女が所有していない場合には、自動車の「ダイヤル及びトーク」ボタンにより、彼／彼女の（登録されたもう一つの送受話器）の家族と話をすることができる。
【００１５】
Ｄｅｖにより、ユーザは、彼／彼女の送受話器を通じて、例えば：アラームをオン又はオフにする、家への出入りをモニタする、その運動検出器を見る、そして、遠隔でその内外の環境を観察するように彼／彼女の住宅セキュリティシステムにプログラムし、制御しモニタするためにその制御及びモニタシステムを使用することができる。
【００１６】
Ｄｅｖは、彼／彼女の住宅又は会社への認可されたあるいは不法な侵入が発生した際、家の所有者に警告することができる。また、所有者に住宅又は会社内の正確な場所、そして発生時間を知らせることができる。
【００１７】
Ｄｅｖは、モニタカメラがその入力の変化を検出した際、家の所有者に警告し、彼／彼女の視聴及び意思決定のためにビデオ画像を所有者に送信することができる。
【００１８】
Ｄｅｖは、１つ又は複数の無線送受話器／端末、コンピュータ、サーバなどと有線／無線で通信し、Ｄｅｖと：送受話器／端末、サーバ／コンピュータ（有線／無線）のような１つ又は複数の装置との間で口座情報を交換して、金融（又は非金融）取引あるいは他の必要な金融（又は非金融）取引を容易にすることができる。
【００１９】
Ｄｅｖは、インターネット上の複数のサーバからダウンロードされる又は器具／装置からＤｅｖへ転送されてそのＤｅｖから送受話器に送信されるソフトウェアアプリケーションの助けを借りて住宅又は会社の１つ又は複数の家庭用器具／装置と、有線／無線で通信することができる；したがって、ユーザは送受話器を通じて、Ｄｅｖを経てその器具／装置を制御し、プログラムし、モニタし、閲覧し、記録し、再生することができる。
【００２０】
Ｄｅｖにより毎月のユーザの公共料金の情報：（すなわち、電気／水／ガスメータ測定値）を施設に送信するように制御され、プログラムされ、有線／無線で通信することができ、その会社のコンピュータは、料金を処理し計算することができる。電力会社は自動的に支払いを完了させる、又はユーザの送受話器にその情報を送信し、その送受話器を使用して彼／彼女は、オンラインで支払うことによって取引を完了することができる。
【００２１】
Ｄｅｖにより、彼／彼女の送受話器（どこに彼／彼女がいても）経由で彼／彼女に知らせることでユーザはドアベルを鳴らした訪問客と話をすることができ、インターコム（正面ドアのスピーカ及びマイク）により通信が可能になる。招かれない訪問客には、その時点で所有者が自宅にいないことは知られない。
【００２２】
Ｄｅｖにより、家の所有者は、１日複数回特定の時間に、裏庭にペットを放すように、一体化されたスマートペットドア（そのドア、スピーカ及びカメラ）と通信することで彼／彼女のペット（イヌ）の健康をモニタすることができる。例えば：そのドアを開けて、スピーカで所有者音声を聞かせ、同じスピーカを再生して家の中へ戻るように誘導／命令する、そしてペットドアを閉めて、ロックすることができる。
【００２３】
Ｄｅｖは、遠隔で携帯電話ネットワークを経て送受話器によりプログラムされ、制御すされるロボット装置に埋め込むことができる。携帯電話通信は、インターネットよりもよりユビキタス的で、実用的で、リアルタイムでかつどこででもできる。ロボット装置は、例えば遠隔内科手術、遠隔救援活動、遠隔消火活動及び救出、ドローンを飛ばして商品を配達するなどの状況において使うことができる。
【００２４】
Ｄｅｖは、携帯電話ネットワーク又は人工衛星ネットワーク（又は携帯電話、無線、有線、地上波及び人工衛星から構成されるハイブリッドネットワーク）を経て、送受話器又はコンピュータへその場所を通信するように送受話器又はコンピュータによってプログラムされかつ制御されるブラックボックス、輸送コンテナなどに埋め込むことができる。
【００２５】
Ｄｅｖは無線装置であり特に携帯電話装置であるので、携帯電話ネットワークに登録して起動される必要があり、その後ネットワークコンピュータ／サーバがそれを認識して、ネットワークに入り他のモバイル装置と通信するのが可能になる。携帯電話送受話器、タブレット、パーソナルアシスタントなどとは異なり、その登録された１つ以上送受話器によりプログラムされた場合、Ｄｅｖは他の送受話器又は無線デバイスと通信する。Ｄｅｖは、他人が通信しようとしても他の皆の携帯電話装置と通信もしないし、反応もしない。つまり、招かれてない呼出し／メッセージは無視する又は答えない（起動／登録の間は例外である）。Ｄｅｖは、登録された送受話器から命令及びデータを受信し、復号化して、実行し、意図された／プログラムされたようにそのタスク／機能を実行し、そして、送受話器／装置に情報及び／又は状況を送信する。送受話器からの命令及びデータは、パケット、バイナリ、又はバイナリ及びＡＳＣＩＩテキスト形式の組合せであってもよい。送受話器からの命令は好ましくは、コード化された送受話器電話番号及び暗号化されたパスワードを含むので、Ｄｅｖはそれらを不必要なソースと差別化することができる。電話番号及びパスワードがＤｅｖのメモリに記憶されたものと合致する場合、Ｄｅｖは、それに応じてコマンドを実行する。データは、映像及び音声テキスト形式であってもよい。Ｄｅｖからの情報及び／又は状況は、パケット、バイナリ、又はバイナリ、ＡＳＣＩＩ、映像、ストリーミング映像及び音声、あるいはストリーミング音声テキスト形式の組合せであってもよい。Ｄｅｖは、従来技術の当業者に公知であるように、送受話器にメッセージを送り出来事が起こった際に所有者に警告する（本発明におけるテキストメッセージの送信はＩＭ、ＭＭＳ“マルチメディア・メッセージサービス”、ｉＭｅｓｓａｇｅｓの形状のデータメッセージ送信であってもよい）、あるいは、パスワード回復のために彼／彼女の電子メールアドレスに所有者のパスワードを送信するようアプリサーバ又は電子メールサーバへ命令を送る。
【００２６】
Ｄｅｖの機能は、その環境をモニタして制御することと、他の意図した無線デバイスと通信することである；そしてセキュリティ装置として機能する場合、望まない他者に容易に削除されないあるいは使用不能にされないような適所に設置されなければならない。Ｄｅｖは好ましくは、マイクロコントローラ又はＣＰＵ、ＩＣ（一体化チップセット）、ＥＰＬＤ、（ソフトウエアコード、アプリケーションプログラム、携帯電話アカウント情報、ＯＳなどのための）揮発性及び非揮発性メモリ（すなわち、フラッシュ、ＲＡＭ、ＳＤＲＡＭ、ＥＥＰＲＯＭ、ＲＯＭ、ＳＳＤ、記録媒体など）の記憶装置、アンテナ、携帯電話／無線ＬＡＮチップセット、ＳＲＣ（狭域通信）インタフェース、コンポーネンツ（ＮＦＣ、Ｗｉ−Ｆｉ、ブルートゥース、ＵＳＢ、無線周波数（ＲＦ）技術）及び一般のＩ／Ｏで構成される埋め込み式電子モジュールの形である。モジュールは、自動車に適用される時には自動車制御回路の一部であっても、家に適用される時には住宅セキュリティシステムの一部であっても、ロボット装置又は輸送コンテナに適用される時には電子回路の一部であってもよい。
【００２７】
Ｄｅｖは、無線で他の装置／サーバからソフトウェアアプリケーションを得て、記憶し実行することができる。自動車の場合、Ｄｅｖは、橋の料金又は道路の通行料を必要とする場合に料金の支払いを容易にするための金融アカウントのアプリケーションを含む。またユーザが他の登録された送受話器のＧＰＳで場所を突き止めることができるという特徴も含む。ユーザは、他の制御装置を発見／見つけるために使用する自動追加及び削除機能を有することで、住宅又は遠くにある敷地で装置／器具を制御することができる。そして、その機能性において、送受話器経由でユーザからの命令によって追加する、あるいは後に削除することができる。
【００２８】
Ｄｅｖは、メイン送受話器が他の送受話器を登録することができ、一緒にＤｅｖと通信することができ、例えばロボット／手術／捜索救出ロボットのようなＤｅｖの環境で何が起こっているかをモニタし制御するように、そして、カメラ及びセンサを通じて何が起こっているかをモニタして端末スクリーンにリアルタイムイメージを表示するように調整される汎用制御システムを提供する。あるいは汎用制御システムは、ブラックボックス、輸送コンテナなどに埋め込まれてもよく、送受話器又はコンピュータによってプログラムされ、それらの位置は追跡され、その送受話器又はコンピュータによってモニタされる。
【００２９】
これらの３つの用途‐自動車、住宅、及びロボット／手術／捜索救出において、操作／輸送コンテナ／ブラックボックスは引用例のためのものであり、Ｄｅｖがこれらの用途のみに制限されることを意味するものではない。
【００３０】
Ｄｅｖはその有効期間において、数回所有者が変わる可能性があり、持ち主が変わった時、新しい所有者により容易に起動され登録される必要がある。また、未許可の起動又は登録を防ぎ、それが起こった際に所有者は警告される。これにより、所有者（送受話器による）が新しいサービスプロバイダのネットワークにＤｅｖを起動させることで現在のプロバイダと契約中に所有者は他のサービスプロバイダへの切り替えが非常に容易になる。新しいサービスプロバイダでの起動がうまく実行された後、Ｄｅｖは以前のネットワークから停止され、更に他の登録された送受話器に命令を送信して、Ｄｅｖの新しい電話番号を更新する。
【背景技術】
【００３１】
携帯電話／装置はすでに自動車の中に存在しているが、それらの機能は極めて制限されている。現在のシステムの主な機能は、運転手の携帯電話が鳴った時に電話を引き継ぎ、彼／彼女がそれに答えて、外部からの電話にハンズフリーで通信することである。他の用途においては、車の所有者は遠隔で車をロック／解除する、あるいはエンジンを始動することができる。その理由の一部は、完全な解決法をまだ提供していない自動車メーカーが本発明で示されるようなメカニズムにどのように追いつくかが問題になっているので、本発明で引用されるように（この場合、すでに運転手の携帯電話送受話器の機能を引き継ぐ自動車の携帯電話の埋め込み式電話モジュールの中にある）携帯電話システムはプログラムされ、制御され、モニタすることができ、所有者の送受話器と通信することができ、その機能を実行する。ハードウェア（マイクロコントローラ及び携帯電話チップセット）を拡張することで例えば：ＧＰＳ、エンジンオイル／燃料量、速度計記録、ドアロック、自動車アラーム、点火系統などの車の他の装置とのインタフェースを持たせることはあまりなく、本発明で示されるように明確で直線的なメカニズムである場合、自動車所有者がモニタし、プログラムし、彼／彼女が選んだ携帯電話サービスプロバイダによって容易に起動させ、彼／彼女の携帯電話と通信することは、実施されてこなかった。
【００３２】
住宅モニタセキュリティシステムは、固定的な装置であり、ホームセキュリティ会社により接続されモニタされるので、挑戦的なものではない。住宅モニタシステムはまた電話回線（高価でありかつ電話回線の遮断により不能になりやすい）を必要とし、毎月のサービス料金は非常に高い。そのモニタは、システム及び多くの場所を監督する責任を有するセキュリティ職員にとって良いものであるというだけである。システムはホームセキュリティ会社によって設置されなければならず、何かが起こったあるいは住宅に侵入されたときに所有者に電話及び／又は警告すること以外、たいしたものは提供しない。所有者もセキュリティ会社も、警察が到着するまで、何が起こったか全くわからず、あるいは、所有者は家に帰る又は会社に戻ってしまう。たいてい、これは、カーテンが落下してセンサが作動したなどの誤報により発生する可能性がある。また、メーカーのウェブサイトにオンラインでつながれた住宅用に設置した防犯カメラも存在する。それは所有者が彼／彼女のアカウントを作成し、後でログインして、カメラが何を見たかを確認し、何が起こったかを観察するものである。これは受動的なシステムである、つまり、ユーザは、特定の状態が起こったときに警告するように彼／彼女それをプログラムすることができないものである。
【００３３】
本発明は、所有者に２４時間モニタシステムを提供するものである。それは、多数の端末をモニタする必要があるためにすべての活動を完全にモニタする能力を有しない第三者に代わって、ユーザの（及び彼／彼女の家族の）送受話器に直接送信される。このシステムは何かが起こった時に警告を出し、所有者はリアルタイムで何が起こったかを彼／彼女の（Ｄｅｖがすでに関連した情報を送信した）送受話器において見ることができる。プログラム、制御及びモニタは、すべて送受話器によって実行され、一方で、現在の支払いシステムは、住宅内にあるキーパッドとユーザが家の近くにいる時システムをオン／オフするための遠隔のハンドヘルド装置を必要とする。本発明は、住宅警告システムを超えるものを提供する。本発明において、所有者は、例えば：暖房装置、ケーブル／衛星テレビ、ガレージオープナ、入口ドアロック、ヘルプ‐アラート着用者、スプリンクラ制御システム、ドアベル及びインターコム、ペットの毎日の要求、電気メータの計測及び電力会社へのその情報の送信、その他多くの他の家庭用器具／装置を制御、モニタする手段を得ることができる。
【００３４】
現在、車の所有者向けに例えば：ａｕｔｏａｌａｒｍｐｒｏ.ｃｏｍ社のＡｕｔｏＡｌａｒｍ Ｐｒｏ、そしてｖｉｐｅｒ.ｃｏｍ社のＶｉｐｅｒ Ｓｔａｒｔのような市販のキットはすでに提供されているので、それらを自分で集めて組み立ててもプロに設置してもらってもよく、遠隔でプログラムされ、モニタされ、特定の出来事又は状態が自動車に起こった際警告を出すことができる。これらの解決法は、所有者が余計な装置やその設置コストを払う必要があり、自動車メーカーの保証の一部を無効にするような構造の修正を必要とするので、あまり実際的でない。また、それは車が製造時の完全なパッケージの一部ではなく、後で設置されなければならないので、高価である。
【先行技術文献】
【特許文献】
【００３５】
【特許文献１】米国特許出願第２０１１０２４４８４６Ａ１号公報
【特許文献２】米国特許出願第２００８００５７９２９Ａ１号公報
【００３６】
Ｍｉｎによる：米国特許出願第２０１１０２４４８４６Ａ１号及び第２００８００５７９２９Ａ１号“遠隔制御システムを有する携帯電話”は、移動通信ネットワーク、複数の遠隔システム及びサーバの中で携帯電話による遠隔自動車及び住宅制御システムに言及したものである。Ｍｉｎは、ハードウェアの観点から彼の発明のシステムにおける相互接続及び複数の統合を記載したが、自動車／住宅で装置がネットワークにつながるようにどのように登録されて起動されるか、そして、どのようにその所有者の電話番号及び他のすべての送受話器の番号を得て、予想外の出来事について所有者及び家族に警告を出すかについては言及していない。
【００３７】
したがって、無線ネットワークをプログラムし、制御しかつモニタするための改良されたシステム及び方法の緊急の要求が存在することは明らかである。
【発明の概要】
【００３８】
本発明は、自動車及び住宅（又はビジネス）電子制御及びアラーム／セキュリティモニタシステムに利用されかつ一体化される無線装置（Ｄｅｖ）を含むメカニズムを示すものである。本発明はまた、携帯電話、インターネットネットワーク及び他の有線／無線ネットワークを通じて、複数の携帯電話送受話器、インターネット装置が情報を共同制御し、モニタし、共有し交換するような一般の入出力機能を制御する一般の制御（ロボット）装置を示すものである。多くの用途がすでに存在する、あるいは本発明の用途から恩恵を受けて発明がなされるので、これらの３つの引用例は、唯一の用途として制限されるべきものではない。
【課題を解決するための手段】
【００３９】
Ｄｅｖの起動の前に、所有者は好ましくは、彼／彼女の選んだ携帯電話サービスプロバイダと接触し、Ｄｅｖのための無線サービスプランを得て、サービスプロバイダのネットワークでＤｅｖがうまく起動するように例えば：起動パスワード及びユーザＩＤ、アカウント番号、及び／又は（サービスプロバイダがそれと加入者と関連させることができるような）何らかの必要な情報といった起動パラメータ（起動データ）を受け取る。所有者は、サービスプロバイダの販売代理店へ行く、電話で接触する、あるいはオンラインでアクセスして必要な情報を得ることができる。
【００４０】
携帯電話の送受話器がより一般的な装置になっているので、起動はより容易である。しかしながら、携帯電話のユーザでさえ、サービスプロバイダを選択する、あるいは異なるサービスプロバイダへ切り替える時、彼／彼女が新しい送受話器を選び、同時にサービスプロバイダの従業員にそれを起動させ登録させるために彼／彼女が自らサービスプロバイダの販売代理店に出向く必要がある。動作不可能時間と人的資源を減らすため、効率を向上させるため、そしてユーザの待機時間及び欲求不満を最小化するため、サービスプロバイダは、例えば：無線（ＯＴＡ）及びオンデマンド起動（ＯＤＡ）のように装置の自動起動を提供することで起動プロセスを単純化しスピードアップする方法を見つけ出した。ＯＴＡは、Ｄｅｖが起動の間一時的にネットワークにつながることを意味し、そしてＯＤＡは、携帯電話サービスプロバイダが起動の間Ｄｅｖに使用可能な電話番号を割り当てることを意味する。（したがって、Ｄｅｖ及びそのＳＩＭ、又は、Ｕ／ＳＩＭあるいはＭｏｄＳＩＭは、修正されたＳＩＭとして発明者によって定められ、類似した記憶装置領域がいかなる電話番号によっても前もってプログラムされる必要はない）。彼／彼女の送受話器の一つとしてユーザが同じサービスプロバイダを選ぶ場合、同じアカウント番号が、サービスプロバイダによって一般に実施されるようにグループアカウントとして使うことができる。最初にユーザ／所有者がする必要があるのは、Ｄｅｖを起動させて、Ｄｅｖへ彼／彼女の送受話器電話番号を（彼／彼女のアカウント情報に加えて）登録することであり、それがうまく起動した後、Ｄｅｖは送受話器と通信することができる。
【００４１】
起動の前又はその間に、ユーザは、特定の起動データをＤｅｖに（送受話器を用いて）送信しなければならず；それは送受話器がそのため（Ｄｅｖと送受話器と間の通信）の関連するソフトウエアを含まなければならないことを意味する。通常の送受話器はＤｅｖを実行するソフトウェアアプリケーションを含まないので、起動プロセスの始まりの間（Ｄｅｖの起動ボタンが押される、あるいは音声で起動する命令が出された後）、ＤｅｖはＳＲＣを経た送受話器への通信を試行する。送受話器から反応がないあるいは間違った反応が返ってくる場合、Ｄｅｖは送受話器にメッセージ又は複数のメッセージを送り、必要なソフトウエアをダウンロードするようにウェブサイトのユーザに知らせる。ソフトウエアが送受話器にダウンロードされた後、Ｄｅｖ及び送受話器はＳＲＣを経て適切に通信することができるので、情報は交換され、そしてＤｅｖに必要な起動データも送受話器からＤｅｖまで送信することができる。この間に、ウェブサイトがその選択した送受話器を通じてユーザに知らせる可能性があるので、Ｄｅｖのソフトウエアもまた必要に応じて及びユーザの意向で更新することができる。
【００４２】
Ｄｅｖ起動リクエストは、従来技術の当業者に公知であるようにＳＭＳ、ＵＳＳＤストリング又は他の手段の形であってもよい。起動の間そしてその前に、Ｄｅｖと送受話器は、従来技術の当業者に公知である例えば：ブルートゥース、有線／無線ＵＳＢ、ＮＦＣ、Ｗｉ−Ｆｉ、無線周波数（ＲＦ）技術又は発明者にＳＲＣ（狭域通信）として定義されるような近距離通信を経て互いに通信する。
【００４３】
Ｄｅｖ起動は、（住宅用の制御及びモニタシステムの場合）筐体の側部のボタン、あるいは（自動車制御及びモニタシステムの場合）ガレージオープナをプログラムするものに類似した室内のリアミラーに配置する押ボタンを押すことにより開始することができる。これは同期装置、装置同期などと称される。携帯電話ネットワークにＤｅｖを起動させることは、それが更にいくつかのステップを必要とするのを除いてガレージオープナをプログラムすることに類似している。
【００４４】
Ｄｅｖの起動は：サービスプロバイダサーバ／コンピュータ、認証センタ、ホームロケーションレジストリ、起動サーバ／コンピュータ、プロビジョンサーバ／コンピュータ、又はサービスプロバイダに関連するあるいはそれにより提供される他のシステムのように様々な名前で知られる公知のサービスプロバイダの装置により実行され、そして、プロビジョンアプリケーション記憶コンピュータ／サーバ（ＰＡＳＣ）又はプロビジョンサーバ１１４として本発明では言及される。プロビジョンサーバは、従来技術の当業者に公知であるようにサービスプロバイダ内部ネットワークシステムの一部であってもよい、あるいはインターネット／携帯電話ネットワーク上に別々に存在してもよい。
【００４５】
上記の本発明の様々な特徴は単独であるいは共に実施することができる点に留意のこと。これらのそしてまた他の本発明の特徴は、以下の発明の詳細な説明において、そして図面と共に更に詳細に記載されている。
【図面の簡単な説明】
【００４６】
本発明をより明らかに確認するために、いくつかの実施態様が一例として、添付の図面に関連して記載される：図面の説明は以下のとおりである。
【００４７】
【図１】図１は、Ｄｅｖ１０６が作動している本発明の好適な例示的なネットワークを示す。
【図２】図２は、自動車の用途におけるＤｅｖ１０６の本発明のハードウェア機能ブロック図の好適な例を示す。
【図３】図３は、住宅の用途におけるＤｅｖ１０６の本発明のハードウェア機能ブロック図の第２の変形例の好適な例を示す。
【図４】図４は、ロボットの用途におけるＤｅｖ１０６の本発明のハードウェア機能ブロック図の第３の変形例の好適な例を示す。
【図５】図５は、自動車の用途におけるＤｅｖ１０６の本発明のソフトウエアブロック図の好適な例を示す。
【図６】図６は、住宅の用途におけるＤｅｖ１０６の本発明のソフトウエアブロック図の第２の変形例の好適な例を示す。
【図７Ａ】図７Ａは、自動車／住宅の用途におけるＤｅｖ１０６と通信している本発明に関する送受話器１０２のソフトウエアブロック図の好適な例を示す。
【図７Ｂ】図７Ｂは、自動車／住宅の用途におけるＤｅｖ１０６と通信している本発明に関する送受話器１０２のソフトウエアブロック図の好適な例を示す。
【図８】図８は、送受話器１０２に必要な起動及びアプリケーションプログラムをダウンロードする際の本発明の好適な例のフロー図を示す。
【図９】図９は、自動車／住宅の用途における送受話器１０２に必要な起動及びアプリケーションプログラムをダウンロードする際の本発明の送受話器のスクリーン表示の好適な例を示す。
【図１０】図１０は、自動車／住宅の用途における送受話器１０２に必要な起動及びアプリケーションプログラムをダウンロードする際の本発明の送受話器のスクリーン表示の好適な例を示す。
【図１１】図１１は、ダウンロードされた自動車／住宅用のアプリケーションソフトウェアを作動／実行する際の本発明の送受話器のスクリーン表示の好適な例を示す。
【図１２】図１２は、自動車／住宅の用途においてＤｅｖ１０６をネットワークへ起動させる際の本発明の送受話器のスクリーン表示の好適な例を示す。
【図１３】図１３は、ダウンロードされた自動車／住宅用のアプリケーションソフトウェアを作動／実行する際の本発明の送受話器のスクリーン表示の好適な例を示す。
【図１４】図１４は、自動車／住宅の用途においてＤｅｖ１０６をネットワークへ起動させる際の本発明の送受話器のスクリーン表示の好適な例を示す。
【図１５Ａ】図１５Ａは、Ｄｅｖ１０６をネットワークへ起動させる際の本発明の好適な例を示す。
【図１５Ｂ】図１５Ｂは、Ｄｅｖ１０６をネットワークへ起動させる際の本発明の好適な例を示す。
【図１６Ａ】図１６Ａは、Ｄｅｖ１０６をネットワークへ起動させる際の本発明の好適な例を示す。
【図１６Ｂ】図１６Ｂは、Ｄｅｖ１０６をネットワークへ起動させる際の本発明の好適な例を示す。
【図１７】図１７は、Ｄｅｖ１０６をネットワークへ起動させる際の本発明の好適な例を示す。
【図１８】図１８は、Ｄｅｖ１０６をネットワークへ起動させる際の本発明の好適な例を示す。
【図１９】図１９は、自動車／住宅の用途において本発明に関するユーザ情報、そして送受話器及びＤｅｖの通信の相互作用をＤｅｖ１０６の最初のファイルを示す送受話器のスクリーン表示の好適な例及びフロー図を示す。
【図２０】図２０は、自動車／住宅の用途において本発明に関するユーザ情報、そして送受話器及びＤｅｖの通信の相互作用をＤｅｖ１０６の最初のファイルを示す送受話器のスクリーン表示の好適な例及びフロー図を示す。
【図２１Ａ】図２１Ａは、Ｄｅｖ１０６に新しい送受話器を追加して（例えば、登録して）登録された送受話器１０２の送受話器のスクリーン表示の好適な例を示す。追加された後に、新しい送受話器１０２がサインインしＤｅｖ１０６に登録され、本発明に関連して登録された送受話器１０２としてＤｅｖを制御することができるようになる。
【図２１Ｂ】図２１Ｂは、Ｄｅｖ１０６に順々に２つの新しい送受話器を追加して登録された送受話器１０２の送受話器のスクリーン表示の好適な例を示す。追加された後に、新しい送受話器１０２がサインインしＤｅｖ１０６に登録され、Ｄｅｖ１０６の限られた機能を制御するように制限される。同様に、第２の送受話器１０２も一時的にサインインし、本発明に関連してＤｅｖ１０６が特定のプログラム可能な日付にその機能を終了するように制御される。
【図２２】図２２は、本発明に関連して追加された送受話器のサインインの間、登録された送受話器１０２、Ｄｅｖ１０６、加えられた送受話器１０２及びアプリサーバ１０８間の相互作用を示す送受話器のスクリーン表示の好適な例及びフロー図を示す。
【図２３】図２３は、本発明に関連してＤｅｖ１０６から登録された他の送受話器を削除する（例えば、登録解除する）際の登録された送受話器１０２の送受話器のスクリーン表示の好適な例を示す。
【図２４Ａ】図２４Ａは、本発明に関連するＤｅｖ１０６のユーザパスワード回復アプリケーションを示す送受話器のスクリーン表示の好適な例及びフローチャートを示す。
【図２４Ｂ】図２４Ｂは、自動車／住宅の用途における本発明に関連するＤｅｖ１０６の構成（コマンド）を示す送受話器のスクリーン表示の好適な例及びフロー図を示す。
【図２４Ｃ】図２４Ｃは、本発明に関連するＤｅｖ１０６の自動車／住宅の装置／Ｄｅｖ情報（コマンド）を示す送受話器のスクリーン表示の好適な例を示す。
【図２５】図２５は、本発明に関連する自動車／住宅の用途におけるＤｅｖ１０６への新しい送受話器１０２の送受話器登録を示す送受話器のスクリーン表示の好適な例及びフロー図を示す。
【図２６】図２６は、本発明に関連する新しい送受話器の送受話器登録プロセスの間のＤｅｖ１０６及びＤｅｖの通知メッセージを登録された送受話器１０２に表示する通知された送受話器のスクリーンのフロー図の好適な例を示す。
【図２７】図２７は、本発明に関連する送受話器１０２及びＤｅｖ１０６間のアプリ更新を示す送受話器のスクリーン表示の好適な例及びフロー図を示す。
【図２８】図２８は、（ユーザが携帯電話サービスを選ぶ又は新しいプロバイダに移す場合）自動車／住宅の用途において作動中のＤｅｖ１０６を他のネットワークに起動させる際の本発明の送受話器のスクリーン表示の好適な例を示す。
【図２９】図２９は、（ユーザが携帯電話サービスを選ぶ又は新しいプロバイダに移す場合）自動車／住宅の用途において作動中のＤｅｖ１０６を他のネットワークに起動させる際の本発明の送受話器のスクリーン表示の好適な例を示す。
【図３０】図３０は、本発明に関連する自動車の用途においてＤｅｖ１０６の制御及びモニタメニューを示す送受話器のスクリーン表示の好適な例及びフロー図を示す。
【図３１】図３１は、本発明に関連する自動車の用途においてＤｅｖ１０６のＧＰＳエントリを示す送受話器のスクリーン表示及びフロー図の好適な例を示す。
【図３２】図３２は、本発明に関連する自動車の用途においてＤｅｖ１０６のＧＰＳエントリを示す送受話器のスクリーン表示及びフロー図の好適な例を示す。
【図３３】図３３は、本発明に関連する自動車の用途において料金アカウントセットアップメニュー及びＤｅｖ１０６のアカウント活動リストを示す送受話器のスクリーン表示の好適な例を示す。
【図３４】図３４は、本発明に関連する自動車の用途においてＤｅｖ／器具１０６を含む自動車における料金収集ステーションの一例を示す。
【図３５】図３５は、本発明に関連する自動車の用途において料金収集の間の様々な装置の相互作用を示すフロー図の好適な例を示す。
【図３６】図３６は、本発明に関連する自動車の用途において料金収集の間、Ｄｅｖ１０６のプログラムフローを示すフローチャートの好適な例を示す。
【図３７】図３７は、本発明に関連する自動車の用途において料金収集の間の他の料金アカウントセットアップ、そしてＤｅｖ１０６の様々な装置間の相互作用とプログラムフローを示す送受話器のスクリーン表示の好適な例、及びフロー図とフローチャートを示す。
【図３８】図３８は、本発明に関連する自動車の用途においてＤｅｖ１０６の自動車ロケータを示す送受話器のスクリーン表示の好適な例及びフローチャートを示す。
【図３９】図３９は、本発明に関連して紛失している送受話器１０２の場所を突き止める際のＤｅｖ１０６での問合せ送受話器（１０２）スクリーン相互作用を示す送受話器のスクリーン表示の好適な例及びフローチャートを示す。
【図４０】図４０は、ルート追跡及び速度警告プログラム及びセットアップ、様々な装置の相互作用を示す送受話器のスクリーン表示の好適な例及びフロー図を示す。表示はまた、本発明に関連する自動車の用途においてＤｅｖ１０６のルート追跡及び速度警告リストを示す。
【図４１Ａ】図４１Ａは、本発明に関連する自動車の用途において未許可の出来事が起こった際のＤｅｖ１０６から送受話器１０２への警告を示す送受話器のスクリーン表示の好適な例を示す。
【図４１Ｂ】図４１Ｂは、本発明に関連する自動車の用途において異常な出来事が起こった際のＤｅｖ１０６から送受話器１０２への警告を示す送受話器のスクリーン表示の好適な例を示す。
【図４２】図４２は、本発明に関連する自動車の用途においてＤｅｖ１０６から送受話器１０２へのエンジン状態を示す送受話器のスクリーン表示の好適な例を示す。
【図４３】図４３は、本発明に関連する住宅の用途においてＤｅｖ１０６の住宅セキュリティアラームの構成を示す送受話器のスクリーン表示の好適な例を示す。
【図４４】図４４は、本発明に関連する住宅の用途においてＤｅｖ１０６のホームアラーム機能の状態及びそのモニタを示す送受話器のスクリーン表示の好適な例を示す。
【図４５】図４５は、本発明に関連する住宅の用途においてＤｅｖ１０６のホームアラーム機能のプログラム及び制御を示す送受話器のスクリーン表示の好適な例を示す。
【図４６】図４６は、本発明に関連する住宅の用途において未許可の出来事が起こった際のＤｅｖ１０６から送受話器１０２への警告を示す送受話器のスクリーン表示の好適な例を示す。
【図４７】図４７は、本発明に関連する住宅の用途においてカメラでの出来事が実行される際のＤｅｖ１０６から送受話器１０２への警告を示す送受話器のスクリーン表示の好適な例を示す。
【図４８】図４８は、本発明に関連する住宅の用途においてＤｅｖ１０６による家庭用器具の追加を示す送受話器のスクリーン表示の好適な例、フローチャート及びフロー図を示す。
【図４９】図４９は、本発明に関連する住宅の用途においてＤｅｖ１０６による家庭用器具の追加を示す送受話器のスクリーン表示の好適な例、フローチャート及びフロー図を示す。
【図５０】図５０は、本発明に関連する住宅の用途においてＤｅｖ１０６による家庭用器具の追加を示す送受話器のスクリーン表示の好適な例、フローチャート及びフロー図を示す。
【図５１】図５１は、本発明に関連する住宅の用途においてＤｅｖ１０６による家庭用器具の追加を示す送受話器のスクリーン表示の好適な例、フローチャート及びフロー図を示す。
【図５２】図５２は、本発明に関連する住宅の用途においてＤｅｖ１０６による家庭用器具の削除を示す送受話器のスクリーン表示の好適な例を示す。
【図５３】図５３は、本発明に関連する住宅の用途において住宅又は敷地内で送受話器１０２がＳＲＣ（狭域通信）でＤｅｖ１０６及び他の器具と通信する際の様々な装置（Ｄｅｖ１０６、送受話器１０２及び他の家庭用器具）の間での相互作用の好適な例を示す。
【図５４】図５４は、本発明に関連する住宅の用途において住宅又は敷地内で送受話器１０２がＳＲＣ（狭域通信）でＤｅｖ１０６及び他の器具と通信する際の様々な装置（Ｄｅｖ１０６、送受話器１０２及び他の家庭用器具）の間での相互作用の好適な例を示す。
【図５５Ａ】図５５Ａは、本発明に関連する住宅の用途においてユーザが、エンターテイメントシステムを制御してプログラムするために（Ｄｅｖ１０６経由で）彼／彼女の送受話器１０２を使用する場合の送受話器１０２及びＤｅｖ１０６間の通信を示す送受話器のスクリーン表示の好適な例を示す。
【図５５Ｂ】図５５Ｂは、本発明に関連する住宅の用途においてユーザが、ガレージオープナを開閉するために（Ｄｅｖ１０６経由で）彼／彼女の送受話器１０２を使用する場合の送受話器１０２及びＤｅｖ１０６間の通信を示す送受話器のスクリーン表示の好適な例を示す。
【図５６Ａ】図５６Ａは、本発明に関連する住宅の用途においてユーザが、暖房及び空気調節システムを制御してプログラムするために（Ｄｅｖ１０６経由で）彼／彼女の送受話器１０２を使用する場合の送受話器１０２及びＤｅｖ１０６間の通信を示す送受話器のスクリーン表示の好適な例を示す。
【図５６Ｂ】図５６Ｂは、本発明に関連する住宅の用途においてユーザが、入り口のドアを開閉するために（Ｄｅｖ１０６経由で）彼／彼女の送受話器１０２を使用する場合の送受話器１０２及びＤｅｖ１０６間の通信を示す送受話器のスクリーン表示の好適な例を示す。
【図５７】図５７は、本発明に関連する住宅の用途においてユーザが、庭用スプリンクラ装置を制御してプログラムするために（Ｄｅｖ１０６経由で）彼／彼女の送受話器１０２を使用する場合の送受話器１０２及びＤｅｖ１０６間の通信を示す送受話器のスクリーン表示の好適な例を示す。
【図５８】図５８は、本発明に関連する住宅の用途において毎月の請求書を受領し料金を電力会社５９８２に支払っているユーザの、送受話器１０２、電力会社５９８２、Ｄｅｖ１０６及び電気メータ４８８４間の通信を示す送受話器のスクリーン表示の好適な例及びフロー図を示す。
【図５９】図５９は、本発明に関連する住宅の用途において毎月の請求書を受領し料金を電力会社５９８２に支払っているユーザの、送受話器１０２、電力会社５９８２、Ｄｅｖ１０６及び電気メータ４８８４間の通信を示す送受話器のスクリーン表示の好適な例及びフロー図を示す。
【図６０Ａ】図６０Ａは、本発明に関連する住宅の用途において、ヘルプアラート装置４８７４の着用者をモニタし話す際の送受話器１０２及びＤｅｖ１０６の通信を示す送受話器のスクリーン表示の好適な例及びフロー図を示す。
【図６０Ｂ】図６０Ｂは、本発明に関連する住宅の用途において訪問客によって鳴らされたドアベルに答えるようにインターコム４８８６と通信するために送受話器１０２を使用するユーザのＤｅｖ１０６経由の通信を示す送受話器のスクリーンの好適な例及びフロー図を示す。
【図６１】図６１は、本発明に関連する住宅の用途においてユーザが、一体化スマートペットドア制御システムをプログラムし、セットアップして制御するために（Ｄｅｖ１０６経由で）彼／彼女の送受話器１０２を使用する場合の送受話器１０２及びＤｅｖ１０６間の通信を示す送受話器のスクリーン表示の好適な例を示す。
【図６２】図６２は、本発明に関連するロボットの用途における様々な装置の相互作用の好適な例を示す。
【発明を実施するための形態】
【００４８】
本発明はここで、添付の図面にて示したようにそのいくつかの実施態様に関して以下に詳細に説明される。以下の説明では、多数の具体的な詳細が本発明の実施態様の完全な理解を提供するために説明される。しかしながら、実施態様はこれらの具体的な詳細のいくつかあるいはすべてなしでも実施することができることは当業者にとって明らかである。他の例では、本発明を不必要に不明瞭にしないため周知のプロセスステップ及び／又は構造は詳述されず、発明の精神に含まれるすべての変更及び修正は保護されるべきものである。実施態様の特徴及び効果は、以下の図面及び解説に関連してよりよく理解される。更に、「本発明」又は「発明」は、「本発明の実施態様」を指す意図を有するものである。
【００４９】
本発明の態様、特徴及び例示的な実施態様の効果は、添付の図面と共に以下の記載に関連してよりよく理解されるものである。本明細書に提供される本発明に記載の実施態様は、例として図示するのみのためであり、制限的なものではないことは、当業者にとって明らかである。同じあるいは類似した目的のための他の特徴は、別途特に定められない限り、この説明において開示されるすべての特徴と置き換えることができる。したがって、その修正において多数の他の実施態様が、本明細書で定義されかつその同等物として本発明の範囲内に含まれるものと予測される。それゆえに、例えば「あるだろう」、「ないだろう」、「するだろう」、「しないだろう」、「するべきである」及び「するべきでない」のような用語の使用は、本明細書に開示される実施態様が単に例示的なものであるので、本発明の範囲を制限する意図を有しないものである。
【００５０】
また、例えば：送受話器／Ｄｅｖを作成する、呼び出す、話す、答える、警告を出す、動かす、許可する、使用する、プログラムする、制御する、モニタする、起動する、ダウンロードする、検出する、得る、含む、引き受ける、捕らえる、転送する、更新する、構成する、加える、登録する、削除する、登録解除する、比較する、作動する、送る、選ぶ、始める、ロックする、ロック解除する、記録する、オンにする、オフにする、再生する、送信する、並進する、送る、無視する、受信する、表示する、実行する、通信する、コード化する、封入する、暗号化する、解読する、引き出す、復号化する、処理する、確認する、ナビゲートする、交換する、実行する、知らせる、コピーするといった用語を使用する際は、マイコンシステムのメモリに存在し、コンポーネンツ、すなわち携帯電話チップセット、メモリ装置、周辺Ｉ／Ｏ、トランシーバ、アンプ、アナログフロントエンド、別々の／一体化したＩＣの支持に関連してＣＰＵによって実行される、送受話器１０２又はＤｅｖ１０６（プログラムコード、ＯＳ、Ｉ／Ｏドライバなど、及びそれらのプロセス間通信）のアプリケーションプログラムの動作及びプロセスを指すものと理解される。
【００５１】
また、別途特に定められない限り（「新しい送受話器」、「登録されていない送受話器」、「普通の送受話器」、「通常の送受話器」のように）；本発明の主な目標として送受話器が互いに通信するようにＤｅｖに登録されなければならないので、「送受話器」及び「登録された送受話器」は本明細書において、発明者による説明の容易さのために区別せずに用いられるものと理解される。
【００５２】
本発明は、無線デバイス「Ｄｅｖ又は器具」に関するものである。特に、Ｄｅｖはその周囲の環境を制御しモニタするためにモジュールに存在するあるいはその一部である携帯電話装置である。以下の例では、３つの用途が引用されるが、これはＤｅｖがこれらの用途のみに制限されることを意味するものではない。制御する及びプログラムするとは、Ｄｅｖがそうするように命令されるあるいはプログラムされることを意味し、その通信は選択された数の装置に制限される（それらの電話番号はＤｅｖのメモリに保存される）。Ｄｅｖがユーザの送受話器（又は上記の類似した装置）によりネットワークに起動され、Ｄｅｖが登録されてネットワーク（後ほど）によって認識することができ；Ｄｅｖがユーザ／送受話器によって構成され、プログラムされ、制御され；追加の送受話器が、Ｄｅｖのメモリに加えられ／登録されて、追加のユーザがＤｅｖをプログラムしかつ利用することができ；もう使われない（廃止した）送受話器がＤｅｖのメモリから削除され（登録解除され）;ＤｅｖがそのＩ／Ｏから状態及び出来事をモニタして、報告し；Ｄｅｖがどの送受話器／装置が情報交換するのに選んだかがわかり；Ｄｅｖが情報を送るべきアプリサーバをリクエストすることができるように、電子メールアドレスを知っていて；Ｄｅｖがその多くの機能のために１つ以上の送受話器（又は無線／モバイル装置）によってプログラムされ；Ｄｅｖが予想外あるいは潜在的に壊滅的な出来事が起こった時、１つ以上の送受話器（又は無線／モバイル装置）に警告を出し；送受話器がそのＳＲＣネットワークレンジ内にある場合、Ｄｅｖは登録された送受話器と通信してＳＲＣネットワークへ切り替え；追加の家庭用器具／装置が発見されかつ繋がれ、それらのアプリケーションがコピー又はダウンロードされ（ダウンロードリンク経由で）実行されて、器具が、携帯電話ネットワークを通じてＤｅｖを経て、あるいは、送受話器が媒体の範囲内にある時直接ＳＲＣネットワークを経て直接前記器具にユーザの送受話器によってプログラム及び制御され；及び、その器具／装置が使用されない時、家庭用器具／装置がＤｅｖ及び送受話器から削除される、システム及び方法の必要性が存在する。
【００５３】
上記の概要を実現するため、以下の工程が好ましくは実施される。
【００５４】
機能するネットワーク：本発明は、無線通信の分野に関するものであり、特に、携帯電話通信又は長距離有線／無線ネットワーク又はＧＳＭ（登録商標）ネットワーク、ＣＤＭＡネットワーク、ＷＣＤＭＡ（登録商標）ネットワーク、ＴＤ−ＳＣＤＭＡネットワーク、ＮＡＭＰＳネットワーク、及び／又は、ＧＳＭ（登録商標）／ＥＤＧＥ 及びＵＭＴＳ／ＨＳＰＡ、３ＧＰＰ、４Ｇ ＬＴＥ、例えば人工衛星ネットワーク又は従来技術の当業者に公知の有線、無線、地上波及び人工衛星多くの種類の媒体で構成されるハイブリッドネットワークのような他の類似した将来の媒体に基づいて、その派生物―ＧＰＲＳ、ＥＤＧＥ、 ＣＤＭＡ２０００、ＬＴＥ、 ＴＤ−ＬＴＥに従って機能するネットワークに関する。また本発明は、従来技術の当業者に公知である例えば：ブルートゥース、無線ＵＳＢ、ＮＦＣ、Ｗｉ−Ｆｉ、無線ＬＡＮ、又は他の無線周波数（ＲＦ）技術のような「狭域通信」ＳＲＣにも関係するものである。
【００５５】
起動プロセスの間、Ｄｅｖへの携帯電話通信がまだ確立されていない又は中断されているので、ＤｅｖはＳＲＣ（ブルートゥース、無線ＵＳＢなど）を通じて送受話器と通信する。送受話器は一方で携帯電話及びインターネット接続を有するので、アプリサーバからの起動及びアプリケーションソフトウェアを必要に応じてメモリにダウンロードすることができ、Ｄｅｖ起動プロセスの前と間に、サーバからＳＲＣメディアを通じてＤｅｖへ必要な起動情報を送るために用いられる。
【００５６】
起動及びメモリに存在するアプリケーションソフトウェアで（送受話器へのダウンロード、あるいはＤｅｖへの更新が成功した後）、Ｄｅｖは無線起動（ＯＴＡ）を通じて起動プロセスを開始する。このプロセスでは、起動するためにＤｅｖは、一時的にサービスプロバイダ、あるいはプロビジョンサーバ又は起動サーバ／コンピュータとして公知であるサービスプロバイダの装置に接続することができる。起動プロセスは、３つのフェーズに要約される：まず、サービスプロバイダからの起動キー及び起動前データ、及びユーザアカウント情報（すなわち自動車製造／自宅アドレス、アカウント名、アカウント番号）と共にユーザの電話番号が起動された装置へ送られる。次に、起動リクエスト、起動キー、装置識別子及び／又は起動された装置からの起動データが携帯電話プロバイダへ送られる。最後に、起動／登録データ及び携帯電話プロバイダからの承認が起動された装置へ送り返される。
【００５７】
Ｄｅｖの起動のためのプロビジョンサーバとのメッセージの交換は必ずしも、直接の通信であることを意味するわけではない。メッセージは多くのノードを通過し、それらは、各々又は互いに、そして最後にプロビジョンサーバにこれらのメッセージを送信する。例えば、メッセージはまず、サービスプロバイダ又はＭＳＣ／ＶＬＲ（モバイル中継センタ／ビジターロケーションレジスタ）にメッセージを送信する１つ又は一連のタワー又は基地局（ＢＴＳ）に行く。これらのメッセージが起動メッセージであるので、ＭＳＣ／ＶＬＲは、ＨＬＲ／ＡｕＣ（国内ロケーションレジスタ／認証センタ）、ＤＢＳ（データ確認のためのデータベースサーバ）及びプロビジョンサーバ、又は、処理される／承認される／許可されるためのＯＴＡ（無線）起動プロセッサにそれらを送信する（２０１３年１月１０日のチャテルジー他による米国特許出願第２０１３／００１２２０７ Ａ１号の図１、及び、２０１２年１２月１１日のラーションによる米国特許第８,３３１,９９０ Ｂ２号の図１）。起動メッセージが行う送信の数、方法、場所、及びどの装置によって処理され送られるかはサービスプロバイダの内部レイアウト及び設計アーキテクチャ次第であり、本発明の範囲外である。Ｄｅｖ起動の間、本発明は、従来技術における当業者に公知であるようにプロビジョンサーバによって送信／受信され、プロビジョンサーバによって処理され、プロビジョンサーバによって承認されたデータについてのみ言及するものである。
【００５８】
本発明はまた、ユーザが起動させなければならない場合、ＳＩＭ記憶モジュールがすでに使用可能である時を除いて；好ましくはすでに起動されたプラグインＳＩＭカード２７０（図２）をサポートする。またユーザにとってのＳＩＭカードの恩恵は、彼／彼女が新しい送受話器を得た際、再起動させることなく、電話帳、個人メッセージなどのようなすべての個人情報を保持することができるような継続的使用における便利さである。一方でそのような情報はＤｅｖにおいて必要でなく、Ｄｅｖは高性能な送受話器とは非常に異なるように機能する。Ｄｅｖは、登録された電話又は登録された電話の１つのように限られた数の送受話器又はモバイル装置と通信するだけであり、送受話器とは異なり、Ｄｅｖは、ユーザがそのＳＩＭカードにアクセスするのは容易ではない。そのタスクは、ユーザがしたいようにプログラムし、制御しモニタするのを可能にすることである。また、その周囲で何が起こっているかを観察し、知らせることができるので、プログラム／指示されたようにユーザに警告するオプションを提供することができる。
【００５９】
サービスプロバイダの選択‐ユーザは、本発明を最大に使用するために好ましくはスマートフォンを所有するべきである。本発明のプロトコルは、Ｄｅｖを起動してネットワークに供給され（そして登録されて、ネットワークによって認識され／認証される）；そのセキュリティタスクを構成し、プログラムし、制御しかつモニタし；料金を支払うためのアカウントをセットアップし；住宅の装置を本当に役立つ強力な装置にするためのリモートコントロール及びその使い方、そして、様々な機能を持たせるようにし；他の送受話器又はもう使わない送受話器をＤｅｖへ／から登録／削除（登録解除）して、制御する／しない、プログラムする／されない、モニタする／せず、主な送受話器としてＤｅｖによって警告されない／（もうされない）ように、メカニズムを利用するものである。
【００６０】
ユーザは、本人が電話又はオンラインによりサービスプロバイダに申し込みＤｅｖへのネットワークサービスを得る。ユーザは、（承認のため、サービスプロバイダに名前、住所、雇用者の氏名及び住所、クレジット・カード[支払いの保証金のため]、送受話器電話番号のような）情報又は個人データを提供し、サービスプロバイダは、ユーザにアカウント番号（サービスプラン、サービス料金など）、ユーザＩＤ、起動パスワード及び起動電話番号又は起動インターネットリンク（アドレス）といった情報を提供する。サービスプロバイダは、ユーザのアカウント及び個人情報に基づいて、一度限り及び時間が限定されたチケット（一回限定チケット）トークン又は識別子ＵＴＡＩＤ（好ましくは起動タイプ／方法、セキュリティ／暗号化キー、起動キーで構成される固有一時起動識別子）を生成し、ユーザの送受話器にそれを送信する。送受話器は次に、ＵＴＡＩＤを起動キーから分離したＤｅｖへ承認させ、そして起動の間、サービスプロバイダにＤｅｖの自身の識別子及び他のパラメータに加えてそれを送信する。この起動キーにより、サービスプロバイダ／プロビジョンサーバはそのデータベースサーバに記録されたものに対して確認し、そして、起動の間それを加入者（のアカウント）と関連させることができる。ＵＴＡＩＤはまた好ましくは、ＮＡＭ、ＳＩＭ（又はＵＳＩＭ又はＭｏｄＳＩＭ）、又はカスタマイズされた起動タイプ／方法の起動方法（起動タイプ）を示すバイトを含み、Ｄｅｖによって受信される際に、（ＮＡＭ、ＳＩＭ、ＵＳＩＭ、ＭｏｄＳＩＭ又はカスタマイズされた起動タイプ／方法を用いて）Ｄｅｖがサービスプロバイダネットワークにそれ自体を起動させることができる。ＵＴＡＩＤはまた、数学的アルゴリズム又はセキュリティ／暗号化キーを好ましくは含み；それがＤｅｖによって受信され、復号化され、記憶され、実行される際に、完全なプライバシーのためにそのＤｅｖの音声及びデータ通信を暗号化する。ＵＴＡＩＤは、随意にＩＭＳＩを含むことができ、従来技術の当業者にとって公知であるようにそのダミーＩＭＳＩを使用する代わりに、Ｄｅｖが起動の間に送信するために使用される。
【００６１】
起動の間、Ｄｅｖが好ましくは提供する他のパラメータは以下のものである：
‐サービスプロバイダがＮＡＭ起動の場合のように装置と関連させ、ＤｅｖのＮＡＭに前もってプログラムされていて、一方でＤｅｖは起動の間、その割り当てられた電話番号及びユーザのアカウント情報を記憶する、ＥＳＮ／ ＭＥＩＤ／ＩＭＥＩ（電子シリアル番号／移動機識別子／国際移動機識別子）。‐サービスプロバイダが加入者（加入者識別）と関連させる、ダミーＩＭＳＩ又はＩＭＳＩ（提供される場合にＵＴＡＩＤから復号化される国際移動電話加入者識別番号）及び、サービスプロバイダがＳＩＭ起動の場合のように、ユーザのアカウント情報に加えて装置（装置識別）と関連させ、起動の間ＤｅｖのＳＩＭメモリ記憶モジュール領域に記憶することができるＩＭＥＩ（国際移動機識別子）。
【００６２】
好ましくは、サービスプロバイダはまた：ＤｅｖのＳＮ（シリアル番号）、モデル番号、すでにＤｅｖのメモリに存在する装置のメーカー名のようなＤｅｖＩＤパラメータ（図５／６の５４２／６４２）を関連させることができ、その一方で、ユーザのアカウント情報、Ｄｅｖの割り当てられた電話番号及び、ＴＭＳＩは、ＭｏｄＳＩＭ起動の場合のように起動の間、Ｄｅｖのメモリ記憶モジュールに記憶することができる。
【００６３】
起動前‐未登録の送受話器：通常の送受話器は通常、起動及びアプリケーションソフトウェアを含まない。起動ボタンが押された場合（好ましくは、自動車の用途の場合、バックミラーの近くで自動車内のビルトインガレージ・ドアオープナの場所の近く、又は、住宅システムの用途の場合、筐体のそばに配置されている）、Ｄｅｖは、（Ｄｅｖに未登録の）送受話器にＳＲＣ媒体経由で起動クエリを送り、適切な応答を待つ。応答がないあるいは不正確な応答が送受話器から戻った場合、Ｄｅｖは、送受話器に適切なアプリケーションソフトウェアが含まれていないとみなし、送受話器にサーバロケーションへのリンクを提供し、Ｄｅｖを起動させてＤｅｖと通信するようにアプリケーションソフトウェアを実行するため、彼／彼女が送受話器へアプリケーションサーバ（アプリサーバ）から起動及びアプリケーションソフトウェアをダウンロードする必要があることをユーザに知らせるテキストメッセージを送信する。そしてユーザは、起動及びアプリケーションソフトウェアのダウンロードへ進む。ダウンロードの前又はその間に、アプリサーバは好ましくは、リクエストされたダウンロードの版が最新かどうか確認し、必要であれば（送受話器にソフトウエアの最新版をダウンロードして）、Ｄｅｖも最新版に更新される（ダウンロードされる）。この場合、送受話器はそれ自身の起動及びアプリケーションソフトウェアをアプリサーバからダウンロードするだけでなく、その記憶装置に最新版のＤｅｖのアプリケーションをダウンロードし、Ｄｅｖにそれを送信する；あるいは、送受話器が、ダウンロードウェブリンクを有するアプリ更新コマンドをＤｅｖに送信し、Ｄｅｖにアプリ更新をダウンロードさせる。Ｄｅｖのメーカーと連携して各々の携帯電話サービスプロバイダは、自社の起動及びアプリケーションソフトウェアを供給し、好ましくは、サービスプロバイダはＯＴＡ起動（無線）及びＯＤＡ起動（オンデマンド起動）をサポートする。
【００６４】
Ｄｅｖ起動：ユーザがＤｅｖを使用し始める前に、Ｄｅｖは起動される必要があるので、（ネットワークに登録する時に）認識されて、サービスプロバイダネットワークに許可され；それによって、電話をかける／メッセージを送る、あるいは他の装置から電話を受ける／メッセージを受信することができる。ユーザはＤｅｖを起動させる際に彼／彼女の送受話器を使用し、‐サービスプロバイダからＵＴＡＩＤを得るための起動前データ（起動ユーザＩＤ１２２６／１４２６、起動パスワード１２２８／１４２８）は、送受話器のタッチスクリーン及びキーボード１２３５／１４３５からユーザによって入力することができる。送受話器電話は、サービスプロバイダのネットワークで認識されて接続された後、Ｄｅｖがメッセージを送信する最初の装置であるので、ユーザは、（アカウント情報に加えて）送受話器の電話番号１２２９／１４２９のような別の情報もＤｅｖに提供する。起動の後、Ｄｅｖはパワーオンリセット２４９（図２／３／４）をして、従来技術の当業者に公知であるようにネットワークに登録されて認識される（図１５Ａ／１５Ｂ、１６Ａ／１６Ｂ及び１７／１９の１５１９Ａ／１５１９Ｂ、１６１９Ａ／１６１９Ｂ、及び、１７１９／１８１９）。好ましくは、ユーザがＯＫメッセージを返して承認するので、Ｄｅｖは送受話器への通信リンクが完了したことを認識し、ユーザはすぐにＤｅｖの初期化／構成プロセスを始めることができる。
【００６５】
Ｄｅｖとの通信の間、送受話器自体の電話番号（図１２／１４の１２２９／１４２９）は好ましくはカプセル化され、すべての送受話器音声／メッセージがその電話番号（発信者番号としても公知の）を持つ（又は先行する）わけではないので、データは（上述したようにＵＴＡＩＤで提供する同じセキュリティ／暗号化キーで）そのコマンドパケットにおいて暗号化される；したがって、Ｄｅｖがそのパケットを受信する時、好ましくは、データを解読し、カプセルを開放する（カプセル化を逆転させる）、又は、送受話器の電話番号をコマンドパケットから切り離す。次に、Ｄｅｖはそれを記憶された送受話器番号と比較して、合致した場合のみ反応する。それからＤｅｖは、携帯電話ネットワーク１１８又は携帯電話及びインターネットネットワークを経て送受話器と通信する（従来技術の当業者に公知であるように、Ｄｅｖは好ましくは、送受話器がその近距離にある又はＳＲＣネットワーク範囲内にある場合、ＳＲＣネットワーク１０４を経て送受話器と通信するために自動的に切り替えることができる）。Ｄｅｖは、それから初期化されるあるいは、パスワード（セキュリティ向上のため）、ユーザの電子メールアドレス（パスワード回復のため）のような情報により送受話器経由でユーザによって構成され、メモリにそれらを記憶する。ユーザはその時から、意図したタスクのためにＤｅｖをプログラムし、制御し、モニタすることができる。
【００６６】
ユーザはまた、好ましくはアカウントセキュリティパスワード（保護の向上のための）で彼／彼女の送受話器を用いて、追加の送受話器を加えるコマンドを出すことができ、それにより、Ｄｅｖは、これらの送受話器と通信し、送受話器ユーザのサービスのタスクをするよう導かれる。
【００６７】
Ｄｅｖ起動は、以下のいずれかを用いて実行することができる。
・ＮＡＭ（番号割り当てモジュール）。ＮＡＭの主なパラメータは、割り当てられた電話番号、ＭＩＮ／ＩＭＳＩ、システムＩＤ（ＥＳＮ／ＭＥＩＤ／ＩＭＥＩ）、アクセスオーバーロードクラス、グループＩＤマーク、最初のページング・チャンネル、ロックコード、ローカルＵＳＥフラグ、Ａ／Ｂシステム選択及びＭＩＮマークフラグである。
・ＳＩＭ（加入者識別モジュール）。ＳＩＭの主なパラメータは、ＩＭＳＩ、ＴＭＳＩ（一時的ＩＭＳＩ）、ＭＳＩＳＤＮ、認証キー（Ｋｉ）、場合によりＩＣＣＩＤ及びＩＭＥＩである。
・ＭｏｄＳＩＭ（修正ＳＩＭ）。ＭｏｄＳＩＭの主なパラメータは、割り当てられた電話番号、ＴＭＳＩ、ＤｅｖＩＤパラメータ及び認証キー（Ｋｉ）である。
【００６８】
方法及びシステムは、以下の図において詳細に説明される。従来技術の当業者にとって公知であるように、これらはＤｅｖを起動させる３つのみの方法であることを決して意味するものではない。起動の新しくより良い方法のための要求がある場合、技術が変化して改良されるにつれて、Ｄｅｖは、本発明において議論されるようにダウンロードして適当なソフトウエアを備えることができる。
【００６９】
起動及びアプリケーションソフトウェアは、送受話器及びＤｅｖの両方に存在する。
・起動ソフトウエアは、Ｄｅｖの起動、その一方の起動あるいはその両方の起動の間、プロビジョンサーバで双方により使われかつ実行される。
・アプリケーションソフトウェアは、送受話器及びＤｅｖが互いに通信する際に使われかつ実行される。ソフトウエアは、無線ネットワーク（携帯電話、インターネット）を通じてダウンロードされる、又は、更新されたソフトウエアは、より新しく改良した版を実行するためにダウンロードされる（これらのソフトウエアプログラムは、本発明で装置アプリケーション記憶サーバ‐アプリサーバ１０８と呼ばれるサーバで記憶される）。
【００７０】
起動期間の間、送受話器及びＤｅｖ間の通信は、従来技術の当業者に公知である、ブルートゥース、無線ＵＳＢ、ＮＦＣ、Ｗｉ−Ｆｉ、又は無線周波数（ＲＦ）技術のいずれかであるＳＲＣ（狭域通信）を経て実行される。
【００７１】
Ｄｅｖがうまく起動した後、Ｄｅｖは初期化リセット（又は電源内蔵リサイクル）を実行して、ネットワークへ登録する（そして、サービスプロバイダのネットワークにより認識される）。それから、Ｄｅｖはそのアプリケーションソフトウェアを起動し実行して、ユーザの送受話器と通信する（上記のように、送受話器は、スマートフォン、タブレット、タブレットＰＣ、ラップトップＰＣ、ｉＰａｄのような装置、ＰＤＡ（パーソナルデジタルアシスタント）、移動式の電子装置又はモバイル装置であってもよい）。それに対応して、ユーザは、彼／彼女の送受話器（アプリケーションソフトウェアがダウンロードされた）を用いてＤｅｖと通信し、送受話器のそれぞれのスクリーン及び関連したアイコンに行きスクロールすることで、Ｄｅｖ１０６をプログラムして、そのプログラムされたタスクを制御して、命令して、モニタして、見ることができる。ユーザはまた、特定の未許可の出来事が実行された時Ｄｅｖで彼／彼女の送受話器によって知らされる（警告される）。
【００７２】
Ｄｅｖをプログラムして、制御して、モニタするための方法とシステムは、以下に詳述される。
【００７３】
本発明の一態様（図８-１０）では、Ｄｅｖは（その起動ボタンが押された後）、ユーザの送受話器にアプリサーバのＵＲＬを記載したテキストメッセージを送信する（ＳＲＣメディア経由で）ことによって開始され、Ｄｅｖを起動させるそのサイトから送受話器へ彼／彼女に必要な起動及びアプリケーションソフトウェアをダウンロードするように指示して、送受話器をＤｅｖと通信させるためにダウンロードされたアプリケーションを起動し実行する。
【００７４】
本発明の一態様では（図１１／１３、１２／１４、１５Ａ−１８）では、ユーザは、Ｄｅｖのサービスアカウントを彼／彼女の携帯電話プロバイダから適用され取得した後、Ｄｅｖ機能メニュー（図１１／１３）の活性化アイコンを実行することによってＤｅｖ起動プロセスを開始する。ＮＡＭ（図１５Ａ／１５Ｂ）、ＳＩＭ（図１６Ａ／１６Ｂ）、ＭｏｄＳＩＭ（図１７／１８）あるいは、新しい又は改良された起動方法による起動プロセスの間又はその前に、送受話器は、サービスプロバイダ又はプロビジョンサーバからＵＴＡＩＤ（起動キー及び他のパラメータを含む固有一時起動識別子）を受信し、それからＤｅｖにそれを送信する（ＳＲＣメディア経由で）。Ｄｅｖは起動キーをＵＴＡＩＤから得て、起動プロセス（図１２／１４、１５Ａ−１８）を完了するためにプロビジョンサーバにその識別子及び他の起動パラメータと一緒にそれを送信する。Ｄｅｖはこのようにネットワークに登録されかつ認識されて、それから、送受話器及び他の登録されたモバイル装置と通信することができるようになる。起動プロセスの間、送受話器はまた、Ｄｅｖにその電話番号を送信し（自動的に又はユーザの入力により）、ネットワークに接続可能になった後確認メッセージを送受話器に送り返す（携帯電話経由で）。Ｄｅｖとの通信の間、携帯電話（又は他の無線長距離ネットワーク）の一部がパケットを送信すると、送受話器（又はモバイル装置）の電話番号は好ましくはコード化され、その電話番号がそのメモリに記憶／記録されている場合のみ応答を返す。Ｄｅｖが送受話器から確認承認を受信するとすぐに、それは、初期化アイコン（割り当てられた電話番号を含む図１２／１４のスクリーン１２８０／１４８０の１２９０／１４９０）を送り返し、ユーザは彼／彼女の送受話器及びＤｅｖ初期化プロセス（図１９／２０）を始めるために実行し、Ｄｅｖと通信してその送受話器がＤｅｖの電話番号を使用することが可能になる。
【００７５】
本発明の一態様（図１９／２０）では、ユーザは、彼／彼女の送受話器のインボックス（図１２／１４のスクリーン１２８０／１４８０）において、Ｄｅｖ１０６から受信したばかりの初期化アイコン（図１２／１４の１２９０／１４９０）を、Ｄｅｖ１０６が確認（図１２／１４のスクリーン１２７０／１４７０の成功アイコン１２７６／１４７６によって実行される）をユーザから受信した後、実行する。送受話器１０２はそれから、ユーザが必要な情報を入力できるスクリーン１９０２／２００２に進む。彼／彼女は、処理及び記憶のためにＤｅｖへ送受話器によりすべて送信される：ユーザが選んだアカウントセキュリティパスワード１９１４／２０１４及び１９１６／２０１６（セキュリティ追加のため）、彼／彼女送受話器自体が選んだパスワード１９１８／２０１８、電子メールアドレス（パスワード回復のため）、自動車識別、家の住所、及び緊急電話番号（例えば北米では９１１、又は地域あるいは国によっては他の番号）のようにリクエストされたパラメータを入力する。初期化の間、送受話器はまた、従来技術の当業者に公知のように、それらの通信においてアプリケーションによって用いられるＤｅｖの電話番号（１２２６）を得て、記憶する。
【００７６】
本発明の一態様（図２１Ａ）では、新しい送受話器１０２は、登録された送受話器１０２によってＤｅｖ１０６に追加され（登録され）；制限なく登録された送受話器として、Ｄｅｖ１０６を制御することができる。
【００７７】
本発明の一態様（図２１Ｂ）では、新しい送受話器１０２は、登録された送受話器１０２によってＤｅｖ１０６に追加され（登録され）；Ｄｅｖ１０６の制御において制限された機能を有する。
【００７８】
本発明の一態様（図２２）では、ちょうど新しく追加された送受話器１０２は、Ｄｅｖからアプリケーションダウンロードリンク及びメッセージを受信し、送受話器を作動させＤｅｖと通信させるためにその所有者に指示に従うように命じ、その新しい送受話器がタスクを完了する時も、登録している送受話器１０２の所有者に通知する。
【００７９】
本発明の一態様（図２３）では、登録された送受話器は、他の登録された送受話器によってＤｅｖから削除する（登録解除する）ことができる。
【００８０】
本発明の一態様（図２４Ａ）では、Ｄｅｖは、ユーザが３回パスワードの入力に失敗した後、パスワード回復プロセスを実行する。Ｄｅｖは、電子メールサーバにパスワード回復コマンドを送信し、回復されたパスワードをユーザに電子メールで送り返す。
【００８１】
本発明の一態様（図２４Ｂ）では、ユーザは、自動車ナンバープレート、家の住所、パスワード、アカウント番号、電子メールアドレス及び緊急センタの電話番号などの特定の情報を変える、削除する及び／又は更新するためにＤｅｖを構成するように送受話器を使用する。
【００８２】
本発明の一態様（図２４Ｃ）では、ユーザは、装置情報をＤｅｖから検索するために送受話器を使用する。
【００８３】
本発明の一態様（図２５）では、ユーザは、Ｄｅｖに送受話器を登録するために新しい送受話器を使用する。登録コマンドは、例えば、正しいアカウントセキュリティパスワード、新しい送受話器の電話番号（２回）、送受話器パスワード（２回）、及びＤｅｖの電話番号（新しい送受話器がコマンドを送信するために用いて、Ｄｅｖからその登録の確認応答を受信する時そのメモリへＤｅｖの電話番号を記録する）のようなユーザによる情報の入力を必要とする。Ｄｅｖはアカウントセキュリティパスワードを確認し、各々２回入力される送受話器の電話番号入力と選ばれたパスワード入力との両方が同一であるかを照合する。すべての情報が正しい場合、Ｄｅｖは、送受話器に確認応答及びその装置情報を送り；それ以降その両方は、互いに通信することができる。登録プロセスの間、Ｄｅｖはまた、そのメモリに合致するものがある場合、ユーザにその登録を知らせる警告メッセージを他の登録された送受話器に送信する。
【００８４】
本発明の一態様（図２６）では、ユーザは、起動ボタン２０２（図２／３／４）を用いてＤｅｖへの新しい送受話器の起動又は登録を試みる。その時Ｄｅｖがどのような携帯電話サービスも有していない場合、上記のように起動プロセスを始める。その他の点では、Ｄｅｖは、正しいアプリケーションがプロセスの起動に必要であることを登録している送受話器のユーザに知らせる。そしてユーザはアプリケーションをオンラインでダウンロードする（送受話器がアプリケーションを含まない場合）あるいは、アプリケーション（送受話器が前記ソフトウエアを含む場合）を実行する。（Ｄｅｖはまた、そのメモリに登録された送受話器の電話番号を有するかどうか確認する。もし含まない場合［送受話器の助けを借りて起動していないことを意味する］、ＳＩＭカードをスロット[図２／３／４の２７０］に押し込まれなければならず、それにより、ユーザは彼／彼女にアカウントのセキュリティパスワードを入力させて、彼／彼女の登録している送受話器の電話番号及びその送受話器に選ばれたパスワードを初期化することができる。Ｄｅｖが送受話器から登録コマンド及びそのデータを受信する場合、上で例示された（図２５のスクリーン２５０２）ように、コマンド及びデータを確認し処理し；未遂の動作（存在する場合）のある他の送受話器に警告を出す。登録プロセスの間、警告された送受話器が「ＯＫでない」メッセージ２６６２を送り返す場合、登録は直ちに中止される；あるいは、ＤｅｖがＯＫ２６５８を受信する場合、アカウントセキュリティパスワードの入力又は確認なしで登録を直ちに始めることができる。追加的な保護のため、彼／彼女がそのようなプロセスの実行を許容するあるいは許容させない前に、警告された送受話器のユーザはアカウントセキュリティパスワードが必要となる。
【００８５】
本発明の一態様（図２７）では、ユーザは、送受話器１０２及びＤｅｖ１０６のアプリケーションの最新版に更新するために送受話器を使用する。送受話器は、ＤｅｖからＤｅｖの現行版、アプリサーバ１０８から送受話器の最新版及びＤｅｖの最新版のアプリ情報を得る。ユーザが最新版の更新を決定する場合、彼／彼女が更新アイコンを実行するだけで、送受話器はアプリサーバから最新版のアプリのコピーを受信することができる。送受話器は、それからＤｅｖに更新コマンドとともにＤｅｖのアプリ更新ＵＲＬ（又はＤｅｖの最新版アプリ）を送り、送受話器及びＤｅｖは各々、それ自体の最新版のアプリをアップデートする（あるいは、送受話器１０２はアプリサーバ１０８からＤｅｖの更新アプリを受信して、Ｄｅｖ１０６にそれを送信する）。
【００８６】
本発明の一態様（図２８／２９）では、ユーザが他のサービスプロバイダへ切り替える時、彼／彼女は、Ｄｅｖ１０６を新しいサービスプロバイダのネットワークに接続させるように再び類似した起動プロセスを経験する。ユーザはサインアップして新しいサービスプロバイダから新しいＵＴＡＩＤを得て、現在のサービスプロバイダネットワークに接続している一方で、好ましくはＤｅｖ１０６を（彼／彼女の送受話器経由で）起動させる。送受話器がまだ携帯電話ネットワークを経てＤｅｖ１０６と通信することができるので、したがってユーザは（図１１／１３及び１２／１４の起動プロセスの場合のようにＳＲＣメディアを用いて通信するためにＤｅｖ１０６の付近になければならない代わりに）どこででも起動を実行することができる。Ｄｅｖ１０６が起動して登録することができるとすぐに、新しいネットワークに接続されて、前のネットワークへのサービスは切断され、それから、Ｄｅｖ１０６は新しいネットワークで他の送受話器（モバイル装置）と通信する。Ｄｅｖの装置情報ファイルは、同じプログラムデータを含む；つまり、ユーザがＤｅｖを再初期化又は変更する必要はない。好ましくは、唯一の違いは新しいアカウント番号であり、おそらくＤｅｖ１０６は異なる数を割り当てられる。送受話器１０２はＤｅｖの電話番号を更新し（異なる数であってもなくても関係なく）、Ｄｅｖ１０６との通信において今後それを使用する。Ｄｅｖ１０６は好ましくは他の送受話器にコマンドを送るので、送受話器のユーザはＤｅｖの電話番号も更新することができる。
【００８７】
本発明の一態様（図３０）では、ユーザは、エンジン始動、ドアロック／解錠、アラームのオン／オフなどのように自動車の電気‐機械的部品を制御する、又は、自動車アクセサリ状態を点検するため、Ｄｅｖ１０６と通信するように送受話器の自動制御及びモニタメニューを使用する。
【００８８】
本発明の一態様（図３１及び３２）では、ユーザは、自動車ＧＰＳ装置に場所のアドレスを入力する、又は、記憶されたエントリをＧＰＳメモリから検索するためにＤｅｖ１０６と通信するように自動制御及びモニタメニューの送受話器のＧＰＳアイコンを使用する。
【００８９】
本発明の一態様（図３３-３７）では、ユーザは、要求されかつそのメモリに取引を記録する際に必要な料金の支払いを処理するＤｅｖの料金支払いアカウントをセットアップするためにＤｅｖ１０６と通信するように送受話器の料金支払いアカウントメニューを使用する。Ｄｅｖ１０６はまた、対応するアイコンが送受話器１０２で実行される時送受話器に取引活動を送信する。
【００９０】
本発明の一態様（図３８）では、ユーザは、自動車の現在の場所を突き止めるためにＤｅｖ１０６と通信するように制御及びモニタメニューの送受話器の自動車ロケータアイコンを使用する。Ｄｅｖ１０６はそれから現在のロケーションコマンドをＧＰＳに中継して送信し、送受話器１０２へ現在のＧＰＳ位置情報を送る。
【００９１】
本発明の一態様（図３９）では、ユーザは、紛失している登録された送受話器の場所を突き止めるためにＤｅｖ１０６と通信するように制御及びモニタメニューの彼／彼女の送受話器の送受話器ロケータアイコンを使用する。Ｄｅｖ１０６は、Ｄｅｖ１０６が送受話器１０２の場所を突き止めるためにユーザが選択することができるリストに上げられた登録された送受話器１０２を返信する。
【００９２】
本発明の一態様（図４０）では、ユーザは、警告オプションを有する特定の速度制限記録ヒストリ及び／又は自動車のルート追跡ヒストリをセットアップするためにＤｅｖ１０６と通信するように自動制御及びモニタメニューの送受話器のルート追跡及び速度警告プログラム／状態アイコンを使用する。Ｄｅｖ１０６はそれから速度計及びＧＰＳと相互作用し、速度制限が生じた時間及び場所のヒストリを確立する、あるいは、ユーザが送受話器で後ほどチェックすることができる普通のルート追跡（その追跡サンプリング時間が数分でプログラム可能である）を実行する。必要に応じて、ユーザはまたＤｅｖ外の記憶装置のためのネットワークサーバ目的地へ入ってもよい。
【００９３】
本発明の一態様（図４１Ａ）では、Ｄｅｖ１０６は好ましくは、侵入のような特定の出来事が彼／彼女の自動車に起こった際に知らせるために、ユーザの送受話器に映像（又はストリーミング映像）データを有するメッセージを送信する。ユーザは、出来事の性質、出来事が生じた時間、日付及び場所、そして、警告が出された登録された送受話器の電話番号を知ることができる。
【００９４】
本発明の一態様（図４１Ｂ）では、Ｄｅｖ１０６は好ましくは、子供又はペットが駐車された自動車に残されているといった特定の出来事が彼／彼女の自動車に起こったことを彼／彼女に知らせるようにユーザの送受話器に映像（又はストリーミング映像）データを有するメッセージを送信する。ユーザは添付映像を見て、Ｄｅｖ１０６にそれらを送信する送受話器で適切な動作を取ることができ、例えば：誤報を無視する、あるいは：自動車ドアを解錠する、自動車窓を下げる、警笛を鳴らす、自動車アラームをオンにする、エアコンをつける、照明をつける、緊急センタに電話する、又は運転手が自動車に戻るなどの即時的かつ一時的な手段の組合せを実行することで、それを確認する。
【００９５】
本発明の一態様（図４２）では、ユーザは、遠隔で自動車エンジン状態を見るため、Ｄｅｖ１０６と通信するように自動アプリメニューの送受話器のエンジン状態アイコンを使用する。
【００９６】
本発明の一態様（図４３）では、ユーザは、例えば：ドア及び窓エントリ、運動検出器、アラームスピーカ及び警笛、及び、彼／彼女が在宅時、不在時、又は遠く離れている時、ＢＲ２（ベッドルーム＃２窓）へのドア／窓エントリ＃１、ホールへの運動エントリ＃１（運動検出器）、裏庭へのカメラ＃５（カメラ）のようにより記述的な用語で記載した（普通の数字の代わりに）カメラのように、アラームＩ／Ｏを構成するため、Ｄｅｖ１０６と通信するように自宅制御及びモニタメニューの送受話器のアラーム構成アイコンを使用する。
【００９７】
本発明の一態様（図４４）では、ユーザは、彼／彼女が在宅時、不在時、又は遠く離れている時、様々な窓、運動検出器及び住宅のカメラをモニタして見るため、Ｄｅｖ１０６と通信するように自宅制御及びモニタメニューの送受話器の状態／モニタアイコンを使用する。
【００９８】
本発明の一態様（図４５）では、ユーザは、彼／彼女が在宅時、不在時、又は遠く離れている時、住宅警告システムをプログラムし作動状態にするため、Ｄｅｖ１０６と通信するように住宅セキュリティメニューの送受話器のプログラム／制御アイコンを使用する。
【００９９】
本発明の一態様（図４６）では、Ｄｅｖ１０６は、侵入のような特定の出来事が彼／彼女の住宅に起こったことを彼／彼女に知らせるようにユーザの送受話器に、メッセージを好ましくは映像（又はストリーミング映像）データと共に送信する。ユーザは、彼／彼女が不在時、又は遠く離れている時、その出来事が発生した場所及び時間（どのエントリか及び時間）を送受話器により見ることができ、見つけることができる。
【０１００】
本発明の一態様（図４７）では、Ｄｅｖ１０６は、所有者が、在宅時、不在時、又は遠く離れている時、彼／彼女の住宅の外側で動いている対象物が検出されたような特定の出来事がカメラモニタ装置に起こったことを彼／彼女に知らせるようにユーザの送受話器に、メッセージを好ましくは映像（又はストリーミング映像）データと共に送信する。
【０１０１】
本発明の一態様（図４８-５１）では、ユーザは、家庭用器具の存在を発見する又は見つけるため、Ｄｅｖ１０６と通信するように家庭用器具メニューの送受話器の器具追加アイコンを使用する。送受話器は接続されて、それらのソフトウェアアプリケーションをＤｅｖ１０６へ次に送受話器に転送する；あるいは、ＵＲＬ（ウェブリンク）を提供してそれにより、ユーザは、Ｄｅｖにそれらを送信する彼／彼女の送受話器にソフトウェアアプリケーションをダウンロードすることができる、又は、Ｄｅｖは自動的にそのＵＲＬからアプリをダウンロードすることができる。ユーザは、彼／彼女が在宅時、不在時、又は遠く離れている時、遠隔でそれらの装置を制御するためにアプリを実行することができる。
【０１０２】
本発明の一態様（図５２）では、ユーザは、彼／彼女が在宅時、不在時、又は遠く離れている時、特定の家庭用器具又はもう使用されていない装置を削除するため、Ｄｅｖ１０６と通信するように家庭用器具メニューの送受話器の器具削除アイコンを使用する。
【０１０３】
本発明の一態様（図５３）では、ユーザの送受話器１０２及びＤｅｖ１０６の両方は、彼／彼女が在宅している一方でＳＲＣネットワークを経て家庭用器具と通信する。
【０１０４】
本発明の一態様（図５４）では、ユーザの送受話器１０２は、彼／彼女が在宅している一方でＳＲＣネットワークを経てＤｅｖ１０６及び家庭用器具の両方と通信する（Ｄｅｖ及び家庭用器具間の通信は維持されるが送受話器の存在によりアクティブ状態ではない。このことは、Ｄｅｖは家庭用器具に送受話器のコマンドを送らないことを意味する）。
【０１０５】
本発明の一態様（図５５Ａ）では、ユーザは、彼／彼女が在宅時、不在時、又は遠く離れている時、ケーブル及びテレビ番組をプログラムし、録画して、見るために、Ｄｅｖ１０６と通信するように家庭用器具メニューの送受話器のケーブルボックス／ＴＶアイコンを使用する。
【０１０６】
本発明の一態様（図５５Ｂ）では、ユーザは、ガレージドアを開閉するため、Ｄｅｖ１０６と通信するように家庭用器具メニュー又はホームアプリメニューの送受話器のガレージオープナアイコンを使用する。Ｄｅｖはまた、彼／彼女が在宅時、不在時、又は遠く離れている時、ガレージが開閉しているかをユーザに知らせる。
【０１０７】
本発明の一態様（図５６Ａ）では、ユーザは、彼／彼女が在宅時、不在時、又は遠く離れている時、集中空調ユニットを例えば：いつ何度でオンにするか、そして何度でオフにするかプログラムし、リアルタイムで制御し、いつでもその状態を見るために、Ｄｅｖ１０６と通信するように家庭用器具メニューの送受話器の暖房／ＡＣアイコンを使用する。
【０１０８】
本発明の一態様（図５６Ｂ）では、ユーザは、彼／彼女が在宅時、不在時、又は遠く離れている時、主なドアエントリをロック又は解錠するため、Ｄｅｖ１０６と通信するように家庭用器具メニュー又はホームアプリメニューの送受話器のドアロックアイコンを使用する。
【０１０９】
本発明の一態様（図５７）では、ユーザは、庭用スプリンクラをどの曜日に何時に、及びどれくらいの長さ起動させるか、そして、どのスプリンクラ装置をオンにしてどこに（庭及び室内植物など）向けるかプログラムするため、Ｄｅｖ１０６と通信するように家庭用器具メニューの送受話器のスプリンクラアイコンを使用する。スプリンクラはまた、在宅時、外出時又は遠く離れた時に送受話器を経てユーザによっていつでもオン又はオフにすることができる。
【０１１０】
本発明の一態様（図５８及び５９）では、ユーザは、毎月の電気支払いアカウントをセットアップするため、Ｄｅｖ１０６と通信するように家庭用器具メニューの送受話器の電気メータアイコンを使用する。そして、Ｄｅｖ１０６は毎月の電気メータ計測値を取得し、電力会社にそれを送信して、彼／彼女が在宅時、不在時、又は遠く離れている時、自動的に支払いを受け取る又は彼／彼女の送受話器を経てそれを支払うユーザに請求する。
【０１１１】
本発明の一態様（図６０Ａ）では、ユーザは、彼／彼女が敷地から遠く離れている時、彼／彼女の送受話器を経てヘルプアラート装置の着用者をモニタし通信するため、Ｄｅｖ１０６と通信するように家庭用器具メニューの送受話器のヘルプアラートアイコンを使用する。
【０１１２】
本発明の一態様（図６０Ｂ）では、ユーザは、誰かがドアベルを鳴らした時にユーザに（送受話器経由で）応答させるインターコムと接続するＤｅｖ１０６と通信するように家庭用器具メニューの送受話器のドアベル及びインターコムアイコンを使用する。この特徴により、所有者は自宅から離れていても在宅中であるように応答することができる。
【０１１３】
本発明の一態様（図６１）では、ユーザは、彼／彼女が在宅時、不在時、又は遠く離れている時、ペットの毎日の要求のためにスマートペットドアシステムをプログラムして、セットアップして、リアルタイムでその構成を制御するため、Ｄｅｖ１０６と通信するように家庭用器具メニューの送受話器のスマートペットドアアイコンを使用する。
【０１１４】
本発明の一態様（図６２）では、ロボットの用途で一体化しているＤｅｖ１０６により、複数のユーザがその周囲の環境で、その機能をプログラムする、制御する、指示する、命令する、モニタすることができ、同時に、その用途に関して予想されるあるいは予想外の出来事を知ることができる。
【０１１５】
図１は、本発明の実施態様１００の好適な例を示す。図は、すべての装置がアクセスを有し互いに通信するのに用いられる無線ネットワーク１１８を示す。ネットワーク１１８は、サービスプロバイダによって提供される携帯電話ネットワーク又は無線ネットワーク（ＧＳＭ（登録商標）ネットワーク、ＣＤＭＡネットワーク、ＷＣＤＭＡ（登録商標）ネットワーク、ＴＤ−ＳＣＤＭＡネットワーク、ＮＡＭＰＳネットワーク、及び／又は、ＧＳＭ（登録商標）／ＥＤＧＥ 及びＵＭＴＳ／ＨＳＰＡ、３ ＧＰＰ、４Ｇ ＬＴＥ、例えば：人工衛星ネットワーク又は有線、無線、地上波及び人工衛星多くの種類の媒体で構成されるハイブリッドネットワークのような他の類似した将来の媒体に基づいて、その派生物―ＧＰＲＳ、ＥＤＧＥ、 ＣＤＭＡ２０００、ＬＴＥ、 ＴＤ−ＬＴＥに従って機能するネットワークのような広域携帯電話ネットワーク）の種類として一般に公知である。本発明の装置／器具又はＤｅｖ（略して）１０６は、送受話器１０２と通信する本発明の装置であり、起動プロセスの間又はＳＲＣネットワークレンジ内にある時に使用されるＳＲＣメディア１０４（狭域通信）を通じたスマートフォン、タブレットＰＣ、ラップトップＰＣ、ｉＰａｄのような装置、ＰＤＡ（パーソナルデジタルアシスタント）、又はポータブルのモバイル電子装置であってもよい。Ｄｅｖ１０６は、自動車１２０、居住用住宅（又は会社の敷地）１２２、又は一般のロボット装置（設備）１２４のいずれかに存在するように示される。携帯電話サービスプロバイダ又はサービスプロバイダ１１２はＤｅｖ１０６への携帯電話通信サービスのプロバイダであるので、無線ネットワーク１１８を通じて他の携帯電話装置と通信するように認識されかつそれを可能にする。サービスプロバイダ１１２がＤｅｖ１０６を認識する前に、Ｄｅｖ１０６は起動されなければならない。起動プロセスは、Ｄｅｖ１０６とサービスプロバイダ１１２自体、又は、サービスプロバイダがその性質において所有権を持つプロビジョンサーバ１４として本発明では知られるそのネットワークコンピュータ／サーバ[ＭＳＣ（メッセージ交換センタ）、ＶＬＲ（ビジターロケーションレジスタ）、ＨＬＲ（ホームロケーションレジスタ）、ＡｕＣ（確認センタ）、起動サーバ、及び従来技術の当業者に公知の他のバックエンドシステムのような]の組合せとの間で、使用前／プログラム前及び／又は特定の固有の発行情報の交換を伴う。Ｄｅｖ１０６は、その内部記憶装置の起動においていくつかのパラメータを含む。そのいくつかは送受話器１０２を経てＤｅｖ１０６へサービスプロバイダ１１２及び／又はプロビジョンサーバ１１４からダウンロードすることによって得られる。アプリサーバ１０８はＤｅｖ１０６のメーカー（図１で図示せず）によって提供されても、及び／又は、サービスプロバイダ１１２のオペレータ（図１で図示せず、Ｄｅｖ１０６のメーカーと連携して）によって提供されてもよい。後者の場合のアプリサーバ１０８は、プロビジョンサーバ１１４及びサービスプロバイダ１１２間のバックエンド接続１２０に示すようにサービスプロバイダ１１２のイントラネットネットワークの一部であってもよい。
【０１１６】
図１は、ＢＴＳ（基地局）又はタワー１１０を示す（ここで示すように、サービスプロバイダ１１２に入る様々な装置間の通信は実際、始めに１つ以上のタワー１１０を通過する）。１つの装置からの情報は１つ以上のタワー１１０を通過し、地域のサービスプロバイダ１１２の１つに送信される。サービスプロバイダ１１２は、１つ以上のタワー１１０にその情報を送信し、それは最後に宛先サーバ／コンピュータに達する。
【０１１７】
タワー１１０、サービスプロバイダ１１２及びプロビジョンサーバ１１４などすべてのこれらの構成要素は、地上波公共移動通信ネットワーク（ＰＬＭＮ）とも称する。そのため、ここで称するプロビジョンサーバ１１４又はサービスプロバイダ１１２は、上記の構成要素（プロビジョンサーバ又はサービスプロバイダ）に含まれるメインタスクを有するＰＬＭＮ全体の機能にも関係する。電子メールサーバ１１６は、ユーザが必要なパスワード入力に際して問題がある場合Ｄｅｖ１０６によってリクエストされる時、ユーザの電子メールアドレスにパスワード回復のために電子メールを送る電子メールサーバの働きをする。
【０１１８】
図２−４は、従来技術の当業者に公知であるようにハードウェアブロック図の観点からの本発明の実施態様２００、３００及び４００の好適な例を示す。図は、図２の図２００、図３の住宅制御及びモニタシステム３００、及び、図４の一般のロボット制御及びモニタシステム４００によって表されるように自動車制御及びモニタシステムに一体化して結びついているＤｅｖ１０６を示す。Ｄｅｖ１０６の原理的な構成要素はＣＰＵ２４８、その関連する携帯電話回路２４６、及びそのＲＦインタフェース回路（ＲＦトランシーバ２４４、ＲＦアンプ２３４及びアンテナ２３２）である。ＣＰＵ及びその関連する回路、又はチップセットの例は、従来技術の当業者に公知であるインテル社のＸ−ＧＯＬＤ １０１シングルチップ、アーム社ライセンスのＮＥＯＮ Ｃｏｒｔｅｘ−Ａ９ 及び、Ｑｕａｌｃｏｍｍなどである。
【０１１９】
ブロック図２００、３００及び４００は、（１つ以上の無線ＬＡＮ上におけるＷｉ−Ｆｉ又はＷＩＦＩ通信と称される）無線ＬＡＮコントローラ、その関連する回路２５６、２５４、２５２及び２４２、揮発性及び不揮発性メモリ記憶装置２６４（フラッシュ、ＳＤＲＡＭ、ＲＡＭ、ＥＥＰＲＯＭ、...）、クロックシステム２３６、Ｉ／Ｏインタフェース２３８／３３８／４３８、リアルタイムクロック２４０そして、出力及びバッテリーバックアップ２５０を含む。それらはまた、ＮＦＣ２５８、ブルートゥース２６０、無線／有線ＵＳＢ２６２のような１つ以上のＳＲＣ（狭域通信）装置、及び他の無線周波数（ＲＦ）技術（図示せず）を含む。それはまた、ＮＡＭ２６８、ＳＩＭ２６６、ＭｏｄＳＩＭ２６６Ａパラメータ記憶装置のための不揮発性記憶装置領域及びＳＩＭカードのスロット２７０を含む。ＮＡＭ２６８、ＳＩＭ２６６及びＭｏｄＳＩＭパラメータ記憶装置は好ましくは、従来技術の当業者に公知であるように、プログラムコード、アプリケーションソフトウェア、データ及びＯＳファームウェアのための記憶装置でもある記憶装置２６４に組み込まれる。実施態様２００は、実施態様３００及び４００にも存在するハンズフリースピーカ、マイクロホン、及び音声動作する回路２３０を含む。ハンズフリースピーカ、マイクロホン及び音声動作する回路アプリケーション５３２は、実施態様６００にも存在し、一方で実施態様４００は複数の携帯電話送受話器インタフェース回路４３９、４３６、４３４及び４３２を提供する。
【０１２０】
図２は、例えば、運転手が事故を起こし、彼／彼女が状況を処理するのに即時の動作をすることが精神的又は物理的に難しい時などに非常に役立つものであり命を救うものである入出力（Ｉ／Ｏ）を含む。入力ダイヤル及びトークボタン２０４は、運転手が偶然送受話器を所有しておらず、必要な時、家族（登録された送受話器１０２）に連絡を取る際都合のよい方法を提供する。
【０１２１】
‐エアバッグ（２２６）：事故が発生して車に大きい衝撃を引き起こされた及び／又はそのエアバッグ（図２の２２６）が膨らんだ場合、Ｄｅｖ１０６は、緊急センタ（図示せず）及び登録された送受話器に少なくとも１回に自動車位置と共に警告の緊急メッセージを送信する（すなわち、米国とカナダでは９１１、中国では１１０又は上記のように国家や地域によっては他の番号）。Ｄｅｖ１０６は緊急センタにダイヤルし、ハンズフリーでマイクロホン及びスピーカ（図２の２３０）をオンにして、運転手は緊急センタのオペレータと通信することができる。短い一定期間以内に緊急センタから応答がない場合（すなわち１分又は２分；つまりその事故現場で携帯電話サービスが使用不可である可能性がある）、Ｄｅｖ１０６は、そうするよう（図示せず）プログラムされた場合、従来技術の当業者に公知であるように人工衛星ネットワークを経て、又は、有線、無線、地上波及び人工衛星のように多くの種類の媒体を含むハイブリッドネットワークを経て緊急センタ（図示せず）に自動車位置と共に警告の緊急メッセージを送信する。そのメッセージ送信の後、Ｄｅｖ１０６が緊急センタからまだ応答を得られない場合、ＧＰＳ（図３１の３１８２）に人工衛星緊急コマンドを送信し、それにより人工衛星を経てＧＰＳ位置（図示せず）と共に順番に緊急センタに好ましくは送信される。
【０１２２】
‐緊急ボタン（２２９ａ）：好ましくは、自動車内部で配置され押された（複数回続けて）場合、Ｄｅｖ１０６に電気信号を送信し、他の登録された送受話器１０２及び緊急センタ（図示せず）に現在のＧＰＳ位置と共に緊急メッセージを送信する。Ｄｅｖ１０６は緊急センタにダイヤルし、ハンズフリーマイクロホン及びスピーカ（２３０）をオンにして自動車の運転手が緊急センタの職員と通信することを可能にする。Ｄｅｖ １０６は登録された送受話器にダイヤルし（それが応答した場合）、自動車の運転手が送受話器のユーザ（すなわち；家族）と通信するのを可能にするようにハンズフリーマイクロホン及びスピーカ（２３０）に接続する。
【０１２３】
‐ダイヤル及びトークボタン（２０４）：自動車の運転手が、彼／彼女が送受話器を所有していない又は送受話器がその時に適切に機能しない場合に登録された送受話器１０２のユーザと通信するのを可能にする。
【０１２４】
図２及び３も、起動プロセス（図８、９、１１／１３、１２／１４）の間又は狭域通信（ＳＲＣ）内にある時ＳＲＣネットワーク１０４を経た、及び、通常動作の間携帯電話（又は他の無線）ネットワーク１１８を経た、送受話器１０２Ａ及びＤｅｖ１０６の間の通信を例示するものである。
【０１２５】
図５及び６は、従来技術の当業者に公知であるようにソフトウエアブロック図の観点から本発明の実施態様５００及び６００の好適な例を示す。例証５０２は自動車の用途を表し、例証６０２は住宅の用途を表すものである。これら２つの各々は、好ましくは２つの原理的なソフトウエアブロックを含む。
【０１２６】
‐Ｄｅｖベース５５２／６５２はＣｏｒｅＯＳ５４０（例えばｉＯＳ、ＧｏｏｇｌｅのアンドロイドモバイルＯＳ）と共に、基本的なカーネルを形成する。Ｄｅｖベース５５２／６５２は好ましくは、ＤｅｖＩＤパラメータ５４２／６４２（メーカー名及び製造日、Ｓ／Ｎ番号、モデル番号、工場の場所を含む）、ダウンロードレイヤ／モジュール５４４（ソフトウェアアプリケーションの現行版が更新される必要がある場合、Ｏｐアプリモジュール５０６／６０６の更新版をダウンロードするために使われる）、携帯電話及び無線ＬＡＮレイヤ／モジュール５４６（携帯電話及び無線ＬＡＮデバイスドライバ及び管理モジュール）、ＥＳＮ、ＩＭＳＩなどのようなすべてのＮＡＭ及びＳＩＭ関連の情報パラメータを含むＮＡＭ（ネーム割当てモジュール）５４８／６４８及びＳＩＭ（加入者識別モジュール）５５０／６５０を含む。
【０１２７】
‐Ｄｅｖアプリ５０４／６０４は、アプリケーションソフトウェアを実行してＤｅｖ１０６が他の無線装置と通信するのを可能にし、−送受話器１０２から受信されるプログラム／制御コマンド及び状態／モニタコマンドを復号化して、実行する。Ｄｅｖアプリ５０４／６０４は、好ましくは２つのモジュールを含む。
【０１２８】
‐送受話器情報モジュール５６０（自動車及び住宅の用途で共通であり‐ユーザの送受話器電話番号、アカウント番号、パスワード、他の送受話器の電話番号、電子メールアドレス、その他のような送受話器１０２の情報を含む）。
【０１２９】
‐Ｏｐアプリモジュール５０６／６０６は好ましくは、コマンドを受信して送受話器１０２の状態を送信するコマンド通信レイヤ／モジュール５０８／６０８、状態を復号化し実行して送受話器１０２からのコマンドをモニタする状態及びモニタレイヤ／モジュール５１０／６１０、ＤｅｖのＩ／Ｏ及び出来事の変化を検出するイベントレイヤ／モジュール５１２／６１２、プログラムを復号化して実行し送受話器１０２からのコマンドを制御するプログラム及び制御レイヤ／モジュール５１８／６１８、送受話器１０２からの起動／停止コマンドを復号化して実行するＤｅｖ起動／停止レイヤ／モジュール５１４／６１４、送受話器１０２からの送受話器情報更新コマンドを復号化して実行する送受話器アプリ更新レイヤ／モジュール５１６／６１６、送受話器１０２からの送受話器登録コマンドを復号化して実行する送受話器登録レイヤ／モジュール５２２／６２２、送受話器１０２からのＤｅｖ構成コマンドを復号化して実行するＤｅｖ構成レイヤ／モジュール５２４／６２４、送受話器１０２からの送受話器及びパラメータコマンドの追加及び削除を復号化して実行する追加及び削除レイヤ／モジュール５２６／６２６、送受話器１０２にＤｅｖ情報を取り込む自動車／住宅（ビジネス）Ｄｅｖ情報５２０／６２０、アラームアプリケーションを実行して起動する自動車／住宅アラームアプリケーションモジュール５６２／６６２、送受話器１０２からのアプリケーションダウンロードを復号化して実行する自動車／住宅アプリダウンロード５６４／６６４、紛失している登録された送受話器を捜す送受話器捜索レイヤ／モジュール５３４／６３４、及び、Ｄｅｖ１０６がＩ／Ｏ周辺機器２０１／３０１／４０１で通信するのを可能にするＩ／Ｏ管理レイヤ／モジュール５２８／６２８を含む。
【０１３０】
自動車Ｏｐアプリモジュール５０６及び住宅Ｏｐアプリモジュール６０６は好ましくは、各々の自身の機能にのみ適用可能である他のモジュールを含む。自動車アプリケーションの場合、Ｏｐアプリモジュール５０６は好ましくは、アカウント支払いセットアップレイヤ／モジュール５３０、ハンズフリーモードでＤｅｖ１０６により料金徴収取引の間運転手が通信するのを可能にする、あるいは緊急センタにダイヤルして接続するようＤｅｖ１０６に命じて運転手が職員とハンズフリーで通信するのを可能にするハンズフリーオーディオＩ／Ｏレイヤ５３２（音声によるＤｅｖ起動のために使われる）を含む。住宅のアプリケーションの場合、モジュール６０６は好ましくは、家庭用器具／設備を発見し、それらのオンラインアプリケーションをダウンロードする、又は、送受話器１０２にそれらのダウンロードリンクを提供し；そして記憶し、複数の家庭用器具／設備と通信して送受話器１０２（図１３の家庭用器具アイコン１３４４）によってコマンドを出されるとＨＨアプリ６３２を実行する家庭用器具レイヤ／モジュール６３０を含む。
【０１３１】
Ｏｐアプリ５０６／６０６の前もってプログラムされた版はすでにＤｅｖのメモリに存在し、起動９５０／１０５０（図９／１０）の間、必要であれば又は送受話器及びＤｅｖアプリ更新アイコン１１６４／１３６４（図１１／１３）を実行しているユーザによって、その更新版はダウンロードすることができる。
【０１３２】
Ｄｅｖアプリ５０４／６０４は好ましくは、常駐の（又はデバイス上の）機能と相互作用する通信及びアプリケーション機能、及び、ＣＰＵ及びその環境に均等なインタフェースを提供するＯＳカーネルを含む。カーネルは、コマンド通信レイヤ／モジュール、ＩＰＣ（複数のタスク又はプロセスの協調間のプロセス間通信）、メモリ管理、ファイルシステム（ＦＳ）、Ｉ／Ｏ装置管理、ネットワーク管理、（携帯電話、ＬＡＮ及び他の無線ネットワーク）及び関連するドライバ（すべて図示せず）のように各々の機能にタスク（ＲＴＯＳ）を割り当てることによってＣＰＵリソースを管理する。
【０１３３】
図７Ａ及び７Ｂは、登録された送受話器１０２に存在するソフトウエアブロック図の観点から本発明の実施態様７００Ａ及び７００Ｂの好適な例を示す。従来技術の当業者に公知であるように、図７０２Ａは図５の５０２の片割れであり、図７０２Ｂは図６の６０２の片割れである。
【０１３４】
図７Ａの送受話器１０２の送受話器アプリケーション７０４Ａ及び図５のＤｅｖ１０６のＤｅｖアプリ５０４の両方は、互いに通信するために用いられる。図７Ａの操作レイヤ７０６Ａの各々のモジュールのため、図５のＯｐアプリ５０６において同等の片割れのモジュールが存在する。ここでの例は、ユーザが自動車装置情報を見たい時の例である。ユーザは、好ましくはＤｅｖ情報アイコン１１６６を含み、実行される時に、送受話器１０２が自動装置情報スクリーンに２４１０Ｃ（図２４Ｃ）にナビゲートする自動Ｄｅｖ機能メニュー１１５０を送受話器１０２によってブラウズする。すべての動作／機能は好ましくは、従来技術の当業者に公知であるように、他の常駐の（デバイス中の）モジュールと通信し、「スクリーン表示モジュール」（図示せず）による表示スクリーンを含む送受話器１０２に存在し、「送受信モジュール」（図示せず）を通じてメッセージ／コマンドをＤｅｖ１０６に送信してＤｅｖ１０６からメッセージ／応答を受信するコマンド通信レイヤ／モジュール７０８Ａ及び自動車Ｄｅｖ情報モジュール７１４Ａによって復号化され実行される。
【０１３５】
送受話器１０２は、Ｄｅｖ１０６に「自動車Ｄｅｖ情報」メッセージ／コマンドを送信する。コマンド／メッセージはコマンド通信レイヤ／モジュール５０８によって受信され復号化し、図５のＤｅｖ１０６の自動車Ｄｅｖ情報モジュール５２０により実行される。Ｄｅｖ１０６はそれから、自動装置情報スクリーン２４１０Ｃ（図２４Ｃ）に示されるように情報を受信して表示する送受話器１０２へリクエストされたデータを送信する。
【０１３６】
同様に、図７Ｂの送受話器１０２の送受話器アプリケーション７０４Ｂ及び図６のＤｅｖ１０６のＤｅｖアプリ６０４の両方は、互いに通信するために用いられる。図７Ｂの操作レイヤ７０６Ｂの各々のモジュールのため、図６のＯｐアプリ６０６において同等の片割れのモジュールが存在する。
【０１３７】
この例は、図４６３２に示すように、信号をＤｅｖ１０６に送信する警告を生じ、図６のイベントレイヤ／モジュール６１２で処理される図４６（図３のエントリ発見３０８の入力のうちの１つ）におけるベッドルーム２（ＢＲ２ ４６３８）を通じた住宅への未許可のエントリ／侵入があった時の例である。イベントレイヤ／モジュール６１２は、ＢＲ２（ベッドルーム２）の窓へのエントリ発見３０８  図３の入力のうちの１つであるその侵入を復号化し、メッセージ（又は複数のメッセージ）を加えて送受話器１０２に送信するコマンド通信レイヤ／モジュール６０８  図６に情報を送り、侵入イベントをそのユーザに警告する。送受話器１０２で、コマンド通信レイヤ／モジュール（図７Ｂの７０８Ｂ）は、従来技術における当業者に公知であるように、メッセージを受信して復号化し、いくつかのディスプレイスクリーン（図４６の図４６０２、４６０６、４６１２及び４６２２によって示されるように）でナビゲートした後ユーザが表示されたメッセージを見た時、表示の準備ができるようにメモリにおいて実行されデータを保持する（図４６の図４６３２、４６５２及び４６６０によって示されるように）イベントレイヤ／モジュール７１６Ｂにメッセージとそのデータを送る。
【０１３８】
図８、９及び１０は、アプリサーバ１０８からその記憶装置にダウンロードされる起動及びアプリケーションソフトウェアを有する送受話器１０２の本発明の実施態様８００、９００及び１０００の好適な例を示す。
【０１３９】
Ｄｅｖ１０６と通信を可能にする前に、送受話器１０２は、そのメモリ／記憶装置領域２６４図２／３／４に適合するソフトウェアアプリケーションを備えていなければならない。ユーザが起動ボタン（自動車の用途の場合、内部のバックミラーの下側のガレージボタンの近くのどこかに配置される；又は、車内で音声により作動する回路（図２の２３０）を用いて；又は、住宅の用途の場合筐体内部の起動ボタン）を押すことによってＤｅｖ１０６を起動する一方で、新しいＤｅｖ１０６（まだ起動も登録もされていない）は、ＳＲＣ（狭域通信）１０４を通じて送受話器１０２に起動ソフトウエアリクエストメッセージ／コマンド  ステップ８０２を送信する。送受話器１０２から応答がない又は未許可の応答が戻る場合、Ｄｅｖ１０６は、送受話器１０２の中に関連するソフトウエアがないことを示す他のメッセージ  ステップ８０４を送受話器１０２インボックスに送信する（図９／１０の送受話器ディスプレイスクリーン９０２／１００２に記載のように図８のステップ８２０に更に詳細に示される）。ユーザはウェブアドレスリンク（ＵＲＬ）９０６／１００６（図９／１０）をスクリーンタッチし、送受話器１０２はアプリサーバ１０８（図８）にアプリケーションメニューダウンロードリクエスト  ステップ８０６を送信する。アプリサーバ１０８は、スクリーン９２０／１０２０（図９／１０）で更に詳細に示される送受話器表示８２２に示すようにリクエストされた情報  ステップ８０８を送受話器１０２に返信する。
【０１４０】
スクリーン９２０／１０２０は：アンドロイド（９２６／１０２６）、ｉＯＳ（９２８／１０２８）、ウィンドウズ（登録商標）（９３０／１０３０）、その他（９３２／１０３２）のように最も普及しているＯＳ（オペレーティング・システム）ベースの送受話器１０２をサポートする自動車／自宅制御及びアラームアプリケーションシステム９２４／１０２４を示す。これらは米国及び世界の大多数でよく知られたＯＳであるが、本発明のＤｅｖ１０６及びそのアプリケーションソフトウェアは、世界中で今開発されていて発明されるＯＳもサポートする。アプリケーションダウンロードメニュー９２２／１０２２で動作しているソフトウエアは好ましくは、その送受話器１０２がアンドロイドベースであり、自動ダウンロードリンク（ＵＲＬ）９３４／１０３４を示し、正しいＯＳベースのアプリダウンロードリクエスト（図８のステップ８１０）がアプリサーバ１０８へ送受話器１０２によって（タイマーが期限切れになる時−すなわち１０秒で）自動送信されるこの例示的な実施態様を自動検出する。アプリサーバ１０８はそれから、スクリーン８２４上にそれを表示する送受話器１０２にリクエストされたアプリケーション（図８のステップ８１２）を送信し、それはいくつかのスクリーン９４０／１０４０、９６０／１０６０及び９８０／１０８０（図９／１０）に更に詳細に示される。
【０１４１】
スクリーン９４０／１０４０は、ダウンロードされているアプリケーションに９４４／１０４４、そのモデル又はシリアル番号９４２／１０４２、及び、ソフトウエアの存在についてツールボックス９４８／１０４８を確かめさせるためのユーザへのメッセージを示す。ユーザはそれからスクリーン９６０／１０６０を操作し、ちょうど今ダウンロードされたソフトウエアを表すアイコン９８２／１０８２を示すスクリーン９８０／１０８０に取り込まれた自動車／住宅アプリケーション９６２／１０６４を選ぶ（例えば実行する）。それ自身のアプリケーションダウンロードの間、送受話器１０２は好ましくは、アプリサーバ１０８からＤｅｖ１０６へ更新の必要がある場合Ｄｅｖアプリケーションソフトウェア９５０／１０５０の更新状態を表示する。送受話器の自身のアプリケーションダウンロード（ステップ８１４）の間、Ｄｅｖのアプリケーションは、アプリサーバからＤｅｖ（ステップ８１６）への更新を必要とする可能性がある。
【０１４２】
ユーザは好ましくは、彼の送受話器のインボックス９０２／１０２でＤｅｖ１０６からメッセージを受信することなく、オンラインで正しいアドレス９０６／１００６を入力して、彼／彼女の送受話器１０２に起動及びアプリケーションをダウンロードすることができる。
【０１４３】
図１１／１３は、自動車／住宅の用途のための本発明の実施態様１１００／１３００の好適な例を示す。これは、起動及びアプリケーション１１０４／１３０４が送受話器１０２にダウンロードされた後に好ましくは最初に何をする必要があるかについて説明するものである。送受話器１０２は、ユーザがスクリーン９０２／１００２、９２０／１０２０、９４０／１０４０、９６０／１０６０及び９８０／１０８０を操作した後、自動車／自宅アプリ１１０４／１３０４が送受話器１０２に完全にダウンロードされたことを示すスクリーン１１０２／１３０２で始まり、自動車／自宅アプリケーションダウンロードに関する適切なリンク及びアイコンを実行する。スクリーン９８０／１０８０は、自動車／自宅アプリアイコン１１０４／１３０４を含むスクリーン１１０２／１３０２として繰り返される。そのアイコン１１０４／１３０４がユーザによって実行される時、送受話器１０２により、自動車／自宅アプリメニュー１１２２／１３２２を示すスクリーン１１２０／１３２０がナビゲートされる。
【０１４４】
ここでユーザは、彼／彼女の送受話器１０２にＤｅｖアプリケーションソフトウェアを所有し、彼／彼女は、彼／彼女の送受話器１０２がＤｅｖ１０６と通信させるようにＤｅｖ１０６を起動させなければならない（起動１１５４／１３５４）；そして、彼／彼女（及び後に追加されるユーザ）は、Ｄｅｖ１０６をプログラムし、制御し、モニタして、Ｄｅｖ１０６により何が起こったかが警告されるよう送受話器１０２を使用することができる。Ｄｅｖ１０６の起動は好ましくは、最初の送受話器１０２でユーザによって、‐サービスが途切れる又はユーザが他のサービスプロバイダへ切り替えない限り（その場合、図２８及び２９にて記載のように起動が再び必要である）、一度のみ（ユーザが最初にＤｅｖ１０６を使用する際）必要とされる。
【０１４５】
Ｄｅｖ１０６は、送受話器１０２の電話番号を含むのでその起動が完了するとすぐに送受話器１０２（ネットワークへの起動を補助したもの‐送受話器＃１）と通信することができる。
【０１４６】
ユーザが自動車／自宅Ｄｅｖ機能アイコン１１２４／１３２４を選び、送受話器に自動車／自宅Ｄｅｖ機能メニュー１１５２／１３５２をナビゲートさせ、そこでユーザはそれから起動アイコン１１５４／１３５４を選び、サービスプロバイダネットワークへのＤｅｖ１０６の起動プロセスが開始される。
【０１４７】
図１１８０／１３８０は、ＡＴ＆Ｔ Ｗｉｒｅｌｅｓｓ社、Ｖｅｒｉｚｏｎ Ｗｉｒｅｌｅｓｓ社、Ｓｐｒｉｎｔ社、Ｔ−Ｍｏｂｉｌｅ社、ＵＳ Ｃｅｌｌｕｌａｒ社、Ｍｅｔｒｏ ＰＣＳ社、Ｖｉｒｇｉｎ Ｍｏｂｉｌｅ社、及びＢｏｏｓｔ社のように米国で最も普及している携帯電話サービスプロバイダのいくつかを示す。
【０１４８】
ユーザが中国本土にいる場合、携帯電話サービスプロバイダは、Ｃｈｉｎａ Ｍｏｂｉｌｅ社、Ｃｈｉｎａ Ｕｎｉｃｏｍ社、Ｃｈｉｎａ Ｔｅｌｅｃｏｍ社、Ｃｈｉｎａ Ｔｉｅｔｏｎｇ社である（*）。
【０１４９】
（*）台湾では、携帯電話サービスプロバイダは、Ｆａｒ ＥａｓＴｏｎｅ Ｔｅｌｅｃｏｍｍｕｎｉｃａｔｉｏｎｓ社、Ａｓｉａ Ｐａｃｉｆｉｃ Ｔｅｌｅｃｏｍ社、ＬＤＴＡ／Ｃｈｕｎｇｈｗａ Ｔｅｌｅｃｏｍ社、ＶＩＢＯ Ｔｅｌｅｃｏｍ社、Ｔａｉｗａｎ Ｍｏｂｉｌｅ社である。
【０１５０】
香港では、携帯電話サービスプロバイダは、ＣＳＬ社、ＣＩＴＩＣ Ｔｅｌｅｃｏｍ １６１６社、Ｔｒｕｐｈｏｎｅ有限会社、Ｃｈｉｎａ Ｍｏｔｉｏｎ Ｔｅｌｅｃｏｍ社、及び、Ｃｈｉｎａ−Ｈｏｎｇ Ｋｏｎｇ Ｔｅｌｅｃｏｍ社である。
【０１５１】
日本では、携帯電話サービスプロバイダは、ＮＴＴドコモ、ａｕ、ソフトバンク・モバイル、Ｗｉｌｌｃｏｍ、ＥＭＯＢＩＬＥ、及び、ＫＤＤＩである。韓国では、携帯電話サービスプロバイダは、ＫＴ社、ＳＫ Ｔｅｌｅｃｏｍ社、ＬＧ Ｔｅｌｅｃｏｍ社、Ｋｏｒｅａ Ｃａｂｌｅ Ｔｅｌｅｃｏｍ （ｔ−ｐｌｕｓ）社、及び、Ｅｃｏ−ｍｏｂｉｌｅ社である。
【０１５２】
インドでは、携帯電話サービスプロバイダは、Ａｎｄｈｒａ Ｐｒａｄｅｓｈ、Ａｓｓａｍ、Ｂｉｈａｒ、Ｃｈｅｎｎａｉ、Ｄｅｌｈｉ ＆ ＮＣＲ、Ｇｕｊａｒａｔ、Ｈａｒｙａｎａ、Ｈｉｍａｃｈａｌ、Ｈｉｍａｃｈａｌ Ｐｒａｄｅｓｈ、Ｊａｍｍｕ ＆ Ｋａｓｈｍｉｒ、Ｋｅｒａｌａ、Ｍａｈａｒａｓｈｔｒａ ＆ Ｇｏａ、Ｍｕｍｂａｉ、Ｎｏｒｔｈ Ｅａｓｔ、Ｏｒｉｓｓａ、Ｐｕｎｊａｂ、Ｔａｍｉｌ Ｎａｄｕ、Ｕｔｔａｒ Ｐｒａｄｅｓｈ、Ｗｅｓｔ Ｂｅｎｇａｌである。
【０１５３】
カナダでは、携帯電話サービスプロバイダは、Ｔｅｌｕｓ Ｍｏｂｉｌｉｔｙ社、Ａｉｒｔｅｌ Ｗｉｒｅｌｅｓｓ社、ＥａｓｔＬｉｎｋ社、Ｂｅｌｌ Ｍｏｂｉｌｉｔｙ社、ＩＣＥ Ｗｉｒｅｌｅｓｓ社、Ｒｏｇｅｒｓ Ｃｏｍｍｕｎｉｃａｔｉｏｎｓ社、ＳａｓｋＴｅｌ Ｍｏｂｉｌｉｔｙ社、及び、Ｖｉｒｇｉｎ Ｍｏｂｉｌｅ Ｃａｎａｄａ社である。
【０１５４】
メキシコでは、携帯電話サービスプロバイダは、Ｎｅｘｔｅｌ Ｍｅｘｉｃｏ社、Ａｍｅｒｉｃａ Ｍｏｖｉｌ／Ｍｅｘｔｅｌ社、 Ｍｏｖｉｓｔａｒ−Ｔｅｌｅｆｏｎｉｃａ Ｍｏｖｉｌｅｓ社、及び、ｌｕｓａｃｅｌｌである。ブラジルでは、携帯電話サービスプロバイダは、Ｎｉｌ Ｈｏｌｄｉｎｇｓ社、Ｔｅｌｅｃｏｍ Ｉｔａｌｉａ Ｍｏｂｉｌｅ社、Ｃｌａｒｏ社、Ｖｉｖｏ社、ＳＥＲＣＯＭＴＥＬ Ｃｅｌｕｌａｒ社、Ｂｒａｓｉｌ Ｔｅｌｅｃｏｍ ＧＳＭ（登録商標）社、及び、ＣＴＢＣ Ｃｅｌｕｌａｒ社である。
【０１５５】
ＥＵでは、携帯電話サービスプロバイダは、（フランス）Ｆｒａｎｃｅ Ｔｅｌｅｃｏｍ社、Ｇｌｏｂａｌｓｔａｒ Ｅｕｒｏｐｔ社、Ｖｉｖｅｎｄｉ社、ＲＦＦ社、Ｉｌｉａｄ社、Ｂｏｕｙｇｕｅｓ Ｔｅｌｅｃｏｍ社、Ｔｒａｎｓａｔｅｌ社、Ｏｍｅａ Ｔｅｌｅｃｏｍ社、Ｅｌ Ｔｅｌｅｃｏｍ社、（ドイツ）Ｔ−Ｍｏｂｉｌｅ Ｄｅｕｔｓｃｈｌａｎｄ社、Ｖｏｄａｆｏｎｅ Ｄ２社、Ｅ−Ｐｌｕｓ Ｍｏｂｉｌｆｕｎｋ社、 ０２ ＧｍｂＨ ＆ Ｃｏ. ＯＨＧ社、Ａｒｃｏｒ ＡＧ ＆ Ｃｏ社、ｓｉｐｇａｔｅ Ｗｉｒｅｌｅｓｓ社、Ｍｏｂｉｌｅｃｏｍ Ｍｕｌｔｉｍｅｄｉａ社、Ｇｒｏｕｐ ３Ｇ ＵＭＴＳ社、Ｓｉｅｍｅｎｓ ＡＧ社、（イタリア）Ｔｅｌｃｏｍ Ｉｔａｌｉａ ＳｐＡ社、Vｏｄａｆｏｎｅ Ｏｍｎｉｔｅｌ Ｎ.Ｖ.社、Ｒｅｔｅ Ｆｅｒｒｏｖｉａｒｉａ Ｉｔａｌｉａｎａ社、Ｗｉｎｄ Ｔｅｌｅｃｏｍｕｎｉｃａｚｉｏｎｉ ＳｐＡ社、Ｈｕｔｃｈｉｓｏｎ ３Ｇ社、（スペイン）Ｖｏｄａｆｏｎｅ Ｓｐａｉｎ社、Ｆｒａｎｃｅ Ｔｅｌｅｃｏｍ Ｅｓｐａｎａ ＳＡ社、Ｘｆｅｒａ Ｍｏｖｉｌｅｓ ＳＡ社、Ｔｅｌｅｆｏｎｉｃａ Ｍｏｖｉｌｅｓ Ｅｓｐａｎａ社、ＢＴ Ｇｒｏｕｐ社、（英国）ＢＴ Ｇｒｏｕｐ社、Ｍｕｎｄｉｏ Ｍｏｂｉｌｅ有限会社、Ｔｅｌｅｆｏｎｉｃａ Ｅｕｒｏｐｅ社、Ｊｅｒｓｅｙ Ａｉｒｔｅｌ有限会社、Ｃａｂｌｅ ＆ Ｗｉｒｅｌｅｓｓ Ｗｏｒｌｄｗｉｄｅ社、Ｎｅｔｗｏｒｋ Ｒａｉｌ Ｉｎｆｒａｓｔｒｕｃｔｕｒｅ社、Ｖｏｄａｆｏｎｅ社である。
【０１５６】
ロシアでは、携帯電話サービスプロバイダは、Ｍｏｂｉｌｅ ＴｅｌｅＳｙｓｔｅｍｓ社、ＭｅｇａＦｏｎ ＯＪＳＣ社、Ｎｅｗ Ｔｅｌｅｐｈｏｎｅ Ｃｏｍｐａｎｙ社、ＪＳＣ Ｕｒａｌｓｖｙａｚｉｎｆｏｒｍ社、Ｔｅｌｅ２社、Ｃｅｎｔｒａｌ Ｔｅｌｅｃｏｍｍｕｎｉｃａｔｉｏｎ Ｃｏｍｐａｎｙ社、ＳｋｙＬｉｎｋ／ＭＴＳ／ｔｈｅ Ｍｏｓｃｏｗ Ｃｅｌｌｕｌａｒ ｃｏｍｍｕｎｉｃａｔｉｏｎ社である。
【０１５７】
（上記の情報ソースはＷｉｋｉｐｅｄｉａからのものである。）
【０１５８】
図１２／１４は、自動車／住宅の用途のための本発明の実施態様１２００／１４００の好適な起動の例を示す。これは、起動アイコン１１５４／１３５４（図１１／１３）が実行された後に送受話器１０２がナビゲートするＤｅｖ自動車／住宅起動スクリーン１２０２／１４０２を示す。このスクリーンは、サービスプロバイダのネットワークにＤｅｖ１０６を起動するためユーザに必要な情報を入力させることで起動プロセスを始める。Ｄｅｖ１０６がネットワークに接続し、通話して他の携帯電話及び／又は無線装置とデータ通信することができるようになる前に、サービスプロバイダ、そのユーザ／所有者による認識が必要とされ、したがって、起動が必要である。
【０１５９】
本発明は、ＯＴＡ（無線）起動手順を提供するサービスプロバイダによる前進及び発展を活用するものである。そこで、「まだ登録されていないモバイル装置（Ｄｅｖ１０６）」は接続／ログインして、モバイル装置（すなわちＤｅｖ１０６）とサービスプロバイダ設備／サーバとの間で起動／準備及び登録情報パラメータを交換するためにネットワークへの１回接続を実行することができる。起動プロセスが成功した後、サービスプロバイダはＤｅｖ１０６を認識し、その時からＤｅｖ１０６は、他の無線装置と音声、メッセージ、映像などを通信することができるサービスプロバイダのネットワークに接続される。
【０１６０】
本発明は、Ｄｅｖ１０６の起動のための以下の好適な例示的なステップで説明される。
【０１６１】
ユーザはサービスプロバイダのサービスプランに申し込み、加入して、選択する。承認された後、ユーザは好ましくは、サービスプロバイダからＩＰアドレス、ユーザＩＤ、起動パスワードを受け取り、彼／彼女の送受話器１０２により上記のように好ましくは起動タイプ／方法（ＮＡＭ、ＳＩＭ、ＭｏｄＳＩＭ又は他のもの）及び起動キーを含む暗号化されたＵＴＡＩＤ（固有一時起動識別子）を得る。送受話器１０２は、ＵＴＡＩＤ及びユーザアカウント情報をＤｅｖ１０６に送信することによって起動プロセスを始める。Ｄｅｖ１０６はデータを処理し、ＵＴＡＩＤから起動タイプを分離し、起動タイプを復号化して、それに応じて起動（ＮＡＭ、ＳＩＭ、ＭｏｄＳＩＭ又は他の起動法のいずれか）を開始する。Ｄｅｖ１０６はそれから、一時的にサービスプロバイダのネットワークへの接続が可能になる時添付の起動データに加えて起動キー、ＤｅｖＩＤパラメータをサービスプロバイダ１１２又はプロビジョンサーバ１１４に送信する。起動キー及びデータは、起動処理のためのそれらを認証してそのネットワークにＤｅｖ１０６を最後に登録するＯＴＡ起動プロセッサ（又は信頼できるサーバ）にサービスプロバイダ／プロビジョンサーバ／コンピュータによって送られる。Ｄｅｖ１０６はまた、その通信データの他の装置への暗号化のためのＵＴＡＩＤからそのセキュリティ／暗号化キーを得る。
【０１６２】
上記のステップは、図１２及び１４において例示される。
【０１６３】
ユーザは、サービスプロバイダのＩＰアドレス１２０８／１４０８（１２２４／１４２４に示すように）、起動ユーザＩＤ１２１０／１４１０（１２２６／１４２６に示すように）、起動パスワード１２１２／１４１２（１２２８／１４２８に示すように）、及び彼／彼女の送受話器電話番号１２１４／１４１４（１２２９／１４２９に示すように）をスクリーンキーボード１２３５／１４３５を用いて入力し、ＯＫアイコン１２３０／１４３０を実行する。
【０１６４】
送受話器１０２は、スクリーン１２２０／１４２０に入力した情報をサービスプロバイダ／プロビジョンサーバ１１４に送り、次にスクリーン１２３６／１４３６上の進歩で示されるように、ＵＴＡＩＤ１２４６／１４４６と一緒に加入者のアカウント情報１２４２／１４４２、名前１２４４／１４４４をサーバから受信する。
【０１６５】
送受話器１０２はそれからＤｅｖ１０６に接続し、（Ｄｅｖ１０６がまだネットワーク１１８に接続できないので）ＳＲＣ１０４を経てそれと通信し、その電話番号１２５４／１４５４、ユーザアカウント情報１２５６／１４５６、ＵＴＡＩＤ１２５８／１４５８、起動コマンド１２６０／１４６０を送信して、それから、Ｄｅｖ１０６がその起動１２６２／１４６２を完了するまで待機する。Ｄｅｖ１０６がその起動を完了する時、その電力を再利用し（又はパワーオンリセット２４９  図２／３／４を実行し）、そしてネットワークに登録する。Ｄｅｖ１０６は、所定のタイムアウト期間内にサービスプロバイダ１２６８／１４６８から確認メッセージを受信するとすぐに起動をうまく完了させる。ユーザは、Ｄｅｖ１０６からインボックス１２７４／１４７４に起動完了メッセージで通知され、起動プロセスを完了するために成功アイコン１２７６／１４７６を実行する。上記のようにＤｅｖ１０６がネットワークにうまく起動された後、好ましくは、Ｄｅｖ１０６がユーザに応答させるように送受話器１０２に確認メッセージ１２７４／１４７４を送る。Ｄｅｖ１０６がユーザから確認応答を受信した後（彼／彼女が成功アイコン１２７６／１４７６を実行する時）、彼／彼女の送受話器のインボックスに初期化アイコン１２９０／１４９０及びメッセージ１２９２／１４９２を送信するので、彼／彼女は、Ｄｅｖのメモリにすべてのユーザの情報及び送受話器のパラメータをセットアップする初期化プロセスを始めることができる。
【０１６６】
図１５Ａ−１８は、送受話器スクリーン１２２０／１４２０、１２３６／１４３６、１２５０／１４５０及び１２７０／１４７０と、送受話器１０２、Ｄｅｖ １０６及びプロビジョンサーバ／プロバイダ１１４間の相互作用とを更に詳細に示す。
【０１６７】
本発明は：ＮＡＭ（名前割り当てモジュール）、ＳＩＭ（加入者識別モジュール）及びＭｏｄＳＩＭ（修正ＳＩＭ）の３つの起動方法を示す。本発明はまた、技術が日々前進し改良されているので、発明者にまだ知られていない、まだ開発中である及び／又は開発されてない起動のシステム及び方法をサポートするものであり、Ｄｅｖ１０６は、それらの仕様及び必要に応ずるためにどの携帯電話サービスプロバイダにおいても機能するように特に設計される。
【０１６８】
図１５Ａ及び１５Ｂは、ＥＳＮ／ＭＥＩＤ／ＩＭＥＩ値で前もってプログラムされた名前割り当てモジュール（ＮＡＭ）記憶装置領域においてＤｅｖ１０６を起動させる際の本発明の実施態様１５００Ａ及び１５００Ｂの好適な起動の例を示す。
【０１６９】
この例は、ステップ１５０２Ａ／１５０２Ｂ（図１２／１４のスクリーン１２２０／１４２０と同等である）で開始し、ユーザが送受話器の電話番号、サービスプロバイダ／プロビジョンサーバＩＰアドレス、ユーザの起動ＩＤ、起動パスワードを入力し、コマンドＯＫアイコン１２３０／１４３０を実行する。送受話器１０２はそれから、起動リクエスト及び起動パスワード１２４０／１４４０（図１２／１４）及び１５０４Ａ／１５０４Ｂを送信し、サービスプロバイダ／プロビジョンサーバ１２４６／１４４６及び１５０６Ａ／１５０６ＢからＵＴＡＩＤを受信する。送受話器１０２は、ステップ１２５４／１４５４、１２５６／１４５６及び１５０８Ａ／１５０８ＢでＤｅｖ１０６にその電話番号、ユーザのアカウント情報及びＵＴＡＩＤを送信する。
【０１７０】
Ｄｅｖ１０６は好ましくは、起動キー及びＥＳＮ／ ＭＥＩＤ／ＩＭＥＩ（電子シリアル番号／移動機識別子／国際移動機識別子）１５１０Ａ／１５１０Ｂを送信することによってＯＴＡ起動を始める。サービスプロバイダ／プロビジョンサーバ１１２／１１４は、起動キーを受信し、処理し、それが正しいかを確認し、その起動キーをサーバデータベース１５１２Ａ／１５１２Ｂ内のユーザのアカウント情報と関連させることができる。プロビジョンサーバ１１４はそれから、好ましくは割り当てられた電話番号、他の全てのパラメータ＊＊、起動承認１５１４Ａ／１５１４ＢをＤｅｖ１０６に送信する。
【０１７１】
（＊＊残りのＮＡＭパラメータは、システムＩＤ、アクセスオーバーロードクラス、グループＩＤマーク、最初のページング・チャンネル、ロックコード、ローカルＵＳＥフラグ、Ａ／Ｂシステム選択及びＭＩＮマークフラグである。）
【０１７２】
Ｄｅｖ１０６はそれからそのＮＡＭ記憶装置領域１５１６Ａ／１５１６ＢにＮＡＭパラメータを記憶し、その送受話器の情報記憶装置領域１５１８Ａ／１５１８Ｂに送受話器１０２の電話番号及びユーザのアカウント情報を記憶する。Ｄｅｖ１０６は、従来技術の当業者に公知であるようにその電力を再利用し（又は図２／３／４のパワーオンリセット２４９を実行し）、そしてネットワーク１５１９Ａ／１５１９Ｂに登録される。サービスプロバイダ１１２から確認承認１５２０Ａ／１５２０Ｂを受信すると、起動は成功している;つまり、ネットワークに接続することができる。
【０１７３】
起動プロセスの間、Ｄｅｖ１０６は好ましくは、スクリーン１２５０／１４５０、ステップ１５１１Ａに前もって表示されるように送受話器１０２でその進歩状態を（ＳＲＣ１０４経由で）通信し、最後に携帯電話ネットワーク１１８を経て、Ｄｅｖ初期化アイコン１２９０／１４９０と共にスクリーン１２９２／１４９２に示される確認テキストメッセージ１５２２Ａ／１５２２Ｂを通信する。ユーザは好ましくは、送受話器１０２がすべてのＤｅｖの機能及び能力を通信しかつ利用するために、彼／彼女の送受話器１０２でＤｅｖ初期化プロセスを開始するようアイコンを実行する（図１９及び２０に示すように）。ユーザが直ちに初期化に失敗した場合、好ましくは、Ｄｅｖ１０６は、ユーザから確認応答を受信するまで、周期的にユーザの送受話器に同じ初期化メッセージ及びアイコンを送る。
【０１７４】
図１６Ａ及び１６Ｂは、加入者識別モジュール（ＳＩＭ）記憶装置領域においてＤｅｖ１０６を起動させる際の本発明の実施態様１６００Ａ及び１６００Ｂの好適な起動の例を示す。
【０１７５】
Ｄｅｖ１０６は、そのＳＩＭモジュールが携帯電話サービスプロバイダ又はその提携した第三者によって発行又は製造されるような典型的な移動送受話器ではない。これらの移動送受話器はすでに、送受話器のメモリに記録されるＩＭＥＩ（国際移動機識別子）、ＳＩＭモジュールにプログラムされるＩＭＳＩ（国際移動電話加入者識別番号）、Ｋｉ（認証キー）、暗号化キー、場合によりＩＣＣＩＤを有して、携帯電話サービスプロバイダと関連付けられ；したがって、最初の始動時にサービスプロバイダネットワークに容易に起動することができる。ＳＩＭモジュールも記憶装置として機能し：ユーザ電話ディレクトリ、テキストメッセージ、画像などのような個人情報を含む。
【０１７６】
他方でＤｅｖ１０６は、いかなる携帯電話サービスプロバイダにも縛られないので、どの携帯電話サービスプロバイダによっても機能するため、好ましくはソフトウエアダウンロード及び／又は更新によりサポートするように設計される。
【０１７７】
Ｄｅｖ１０６は、ダミーＩＭＳＩ（又は随意に起動前の間、サービスプロバイダ発行のＵＴＡＩＤにおいて得られるＩＭＳＩ）のように前もってプログラムされたパラメータの最小量を含むそれ自身の固有のＩＭＥＩ及びＳＩＭ記憶装置領域を備えるように各々設計される。これによって、いかなるサービスプロバイダも起動プロセスの間、そのＳＩＭメモリに記憶するように残りのパラメータを供給することができる。ユーザはしたがって、いつ何時でもサービスプロバイダを選択し、指定し、変えることができる。そしてＤｅｖのＳＩＭは、ＩＭＥＩ又はＳＮ（シリアル番号であるので、Ｄｅｖ１０６と関連付けることができる）、識別のための起動の間に使用されるＩＭＳＩ値といったこの例示的な実施態様のように、起動前パラメータの最小量を含む。そして、もちろん、上記の起動キーも含むので、それで、サービスプロバイダはユーザ／加入者と関連付けることができる。
【０１７８】
この例は、図１５Ａ／１５Ｂのステップ１５０２Ａ／１５０２Ｂ、１５０４Ａ／１５０４Ｂ、１５０６Ａ／１５０６Ｂ及び１５０８Ａ／１５０８Ｂで説明したものと類似して開始される。
【０１７９】
Ｄｅｖ１０６は、起動キー、ＩＭＥＩ及びダミーＩＭＳＩ１６１０Ａ／１６１０Ｂを送信することによってＯＴＡ起動を継続する。サービスプロバイダ／プロビジョンサーバ１１２／１１４は、起動キーを受信し、処理し、それが正しいかを確認し、その起動キーをサーバデータベース１６１２Ａ／１６１２Ｂ内のユーザのアカウント情報と関連させることができる。サーバはそれから：好ましくは割り当てられた電話番号（又はＭＳＩＳＤＮ―移動電話加入者ＩＳＤＮ番号）、ＩＭＳＩ、ＴＭＳＩ（一時的ＩＭＳＩ）、Ｋｉ（認証キー）、及び起動承認１６１４Ａ／１６１４ＢのようなＳＩＭパラメータをＤｅｖ１０６に送信する。
【０１８０】
Ｄｅｖ１０６はそれからそのＳＩＭ記憶装置領域１６１６Ａ／１６１６ＢにＳＩＭパラメータを記憶し、その送受話器の情報記憶装置領域１６１８Ａ／１６１８Ｂに送受話器１０２の電話番号及びユーザのアカウント情報を記憶する。Ｄｅｖ１０６は、従来技術の当業者に公知であるようにその電力を再利用し（又は図２／３／４のパワーオンリセットを実行し）、そしてネットワーク１６１９Ａ／１６１９Ｂに登録される。サービスプロバイダ１１２から確認承認１６２０Ａ／１６２０Ｂを受信すると、起動は成功している;つまり、ネットワークに接続することができる。
【０１８１】
起動プロセスの間、Ｄｅｖ１０６は好ましくは、スクリーン１２５０／１４５０、ステップ１６１１Ａに前もって表示されるように送受話器１０２でその進歩状態を、ＳＲＣ１０４を経て通信し、最後に携帯電話ネットワーク１１８を経て、Ｄｅｖ初期化アイコン１２９０／１４９０と共に（１２９２／１４９２のように、インボックススクリーン１２８０／１４８０に示される）確認テキストメッセージ１６２２Ａ／１６２２Ｂを通信する。ユーザは好ましくは、送受話器１０２がすべてのＤｅｖの機能及び能力を通信しかつ利用するために、彼／彼女の送受話器１０２でＤｅｖ初期化プロセスを開始するようアイコン１２９０／１４９０を実行する（図１９及び２０に示すように）。ユーザが直ちに初期化に失敗した場合、好ましくは、Ｄｅｖ１０６は、ユーザから確認応答を受信するまで、周期的にユーザの送受話器に同じ初期化メッセージ及びアイコンを送る。
【０１８２】
図１７及び１８は、修正された加入者識別モジュール（ＭｏｄＳＩＭ）記憶装置領域においてＤｅｖ１０６を起動させる際の本発明の実施態様１７００及び１８００の好適な起動の例を示す。
【０１８３】
ＭｏｄＳＩＭ起動は、ＳＩＭの起動に類似しているがよりシンプルである。Ｄｅｖ１０６は、そのＩＤパラメータ及び起動キー（ＵＴＡＩＤから得られた）のみを、それを受信し処理して、ＤｅｖとＩＤパラメータ、加入者と起動キーを関連付けるプロビジョンサーバに送信する。プロビジョンサーバはそれから登録承認を生成し、その割り当てられた（ＯＤＡ）電話番号、ＴＭＳＩ及びＫｉをＤｅｖへ送り返す。
【０１８４】
Ｄｅｖ１０６は、図１５Ａ／１５Ｂのステップ１５０２Ａ／１５０２Ｂ、１５０４Ａ／１５０４Ｂ、１５０６Ａ／１５０６Ｂ及び１５０８Ａ／１５０８Ｂで説明したものと類似して開始される。
【０１８５】
Ｄｅｖ１０６は、起動キー、そのＩＤパラメータ（Ｄｅｖのシリアル番号、部品番号、メーカー名）１７１０／１８１０を送信することによってＯＴＡ起動を継続する。サービスプロバイダ／プロビジョンサーバ１１２／１１４は、起動キーを受信し、処理し、それが正しいかを確認し、その起動キーをサーバデータベース１７１２／１８１２内のユーザのアカウント情報と関連させることができる。サーバはそれから、好ましくは割り当てられた電話番号、ＴＭＳＩ（一時的ＩＭＳＩ）、Ｋｉ（認証キー）、及び起動承認１７１４／１８１４のようなＭｏｄＳＩＭパラメータをＤｅｖ１０６に送信する。
【０１８６】
Ｄｅｖ１０６はそれからそのＭｏｄＳＩＭ記憶装置領域１７１６／１８１６にＭｏｄＳＩＭパラメータを記憶し、その送受話器の情報記憶装置領域１７１８／１８１８に送受話器１０２の電話番号及びユーザのアカウント情報を記憶する。Ｄｅｖ１０６は、従来技術の当業者に公知であるようにその電力を再利用し（又は図２／３／４のパワーオンリセットを実行し）、そしてネットワーク１７１９／１８１９に登録される。サービスプロバイダ１１２から確認承認１７２０／１８２０を受信すると、起動は成功している;つまり、ネットワークに接続することができる。
【０１８７】
起動プロセスの間、Ｄｅｖ１０６は好ましくは、スクリーン１２５０／１４５０、ステップ１７１１に前もって表示されるように送受話器１０２でその進歩状態を（ＳＲＣ１０４経由で）通信し、最後に携帯電話ネットワーク１１８を経て、Ｄｅｖ初期化アイコン１２９０／１４９０と共に（１２９２／１４９２のようにインボックススクリーン１２８０／１４８０にも示される）確認テキストメッセージ１７２２／１８２２を通信する。ユーザは好ましくは、送受話器１０２がすべてのＤｅｖの機能及び能力を通信しかつ利用するために、彼／彼女の送受話器１０２でＤｅｖ初期化プロセスを開始するようアイコン１２９０／１４９０を実行する（図１９及び２０に示すように）。ユーザが直ちに初期化に失敗した場合、好ましくは、Ｄｅｖ１０６は、ユーザから確認応答を受信するまで、周期的にユーザの送受話器に同じ初期化メッセージ及びアイコンを送る。
【０１８８】
住宅の用途におけるＤｅｖ１０６は（図３及び６のハードウェア及びソフトウエアブロック図によって表されるように）、固定された装置である。つまり、それは通常移動させる必要はない。例えば加入者アカウントのビット／フラグのようなメカニズム又は方法が好ましくは存在するので、サービスプロバイダは、移動している典型的モバイル装置とそれとを識別することができ、したがって、それをサポートするために割り当てられるサービスプロバイダのリソースは少ないので、住宅の用途においてユーザ／顧客へのサービスコストを減らすことができる。Ｄｅｖ１０６（自動車及びロボットの用途とは異なる住宅の用途の）は、この方法で、その登録（識別データ）がサービスプロバイダのネットワークの同じＭＳＣ／ＶＬＲに留まる（存在する）ので、その存在を周期的に送信する必要はない。
【０１８９】
図１９及び２０は、本発明の実施態様１９００及び２０００の好適な用途の例を示す。この例示的な実施態様は、Ｄｅｖがうまく起動して携帯電話ネットワークに登録された後、Ｄｅｖ１０６へ彼／彼女の個人情報及び送受話器パラメータを初期化するため、ユーザにより彼／彼女の送受話器で実行される好適なステップを示す。
【０１９０】
ユーザは、送受話器１０２に送受話器の自動車／住宅の装置初期化スクリーン１９０２／２００２をナビゲートさせる初期化アイコン１２９０／１４９０（彼／彼女がインボックス、図１２／１４のスクリーン１２８０／１４８０で受信した）を実行することにより開始する。次に、ユーザは彼／彼女の選んだアカウントセキュリティパスワード（１９１４／２０１４及び１９１６／２０１６）及び送受話器が選んだパスワード１９１８／２０１８を入力して実行１９０６／２００６し、送受話器１０２にコマンド及び情報（フロー図１９７０／２０７０のステップ１９７６／２０７６及び１９７８／２０７８で）を、コマンドを処理し（識別のための慣例として）二度入力された２つのパスワードが同一であるかを確認するＤｅｖ１０６へと送信させる。Ｄｅｖ１０６はリクエストされた情報を送り返し、送受話器１０２がスクリーン１９２０／２０２０にそれを表示する。それには、送受話器の電話番号１９２４／２０２４（送受話器が起動プロセスの間、前もって送信した）、送受話器パスワード、サービスプロバイダの名前及びアカウント情報１０２５／２０２５、Ｄｅｖ電話番号１９２６／２０２６、アカウントセキュリティパスワード１９２３／２０２３及びユーザ名（１９２５／２０２５）が示される。ユーザは残りの情報を記入する必要があり、完了するとスクリーン１９３０／２０３０のように示される。
【０１９１】
スクリーン１９３０／２０３０（ステップ２０８２に示すように）において、ユーザは、自動車製造及びモデル、ナンバープレート１９３４（自動車Ｄｅｖで）、あるいは家の住所２０３４（住宅Ｄｅｖで）、アカウントセキュリティパスワード１９３６／２０３６、登録された電話番号１９３７／２０３７及びそのパスワード、アカウント名及びサービスプロバイダアカウント番号１９３８／２０３８、Ｄｅｖ電話番号１９４０／２０４０、パスワード回復のための電子メールアドレス１９４２／２０４２、緊急センタの電話番号１９４６／２０４６、及び複数の他の必要な情報（従来技術の当業者に公知であるように記載の明確さ及び容易さのために図示せず）を入力する。ユーザはそれからＥｘｅアイコン１９５４／２０５４を実行して、送受話器１０２のメモリにＤｅｖの電話番号１９８４／２０８４を記憶させて、コマンド及び情報（ステップ１９８６／２０８６に示すように）を、それを処理しメモリ１９８８／２０８８にそれらを保存するＤｅｖ１０６へ送信する。Ｄｅｖ１０６はそれから、スクリーン１９３０a／２０３０aに示すように情報１９９２／２０９２を送り返し１９９０／２０９０、ユーザが再編集する１９５２a／２０５２aあるいは実行１９５０a／２０５０aすることで初期化プロセスを終える。
【０１９２】
エアバッグ２２６（図２）が膨らんだ又は住宅が火事である（煙の警告がある）３０４（図３）時、他の登録された送受話器１０２と同様に警察及び緊急電話番号１９４６／２０４６（米国及びカナダ９１１、ステップ１９６０／２０６０‐中国本土１１０及び１１９、香港９９９、-ＥＵ１１２、‐台湾、日本、韓国、フランス１１９、インド１００及び１０１、メキシコ０６６及び０６８、ブラジル１９０及び１９３である）宛てにＤｅｖ１０６によって電話がかけられ、音声及びテキストメッセージが送信される。電子メールアドレス１９４２／２０４２は、ユーザがアカウントセキュリティパスワードを忘れた時のパスワード回復のためのものである。Ｄｅｖ１０６はそれから、パスワード及び電子メールアドレスを電子メールサーバ１１６に送り、彼／彼女のパスワードを回復するためにその記憶された電子メールアドレス１９４２a／２０４２aへユーザのために送信する。Ｄｅｖ電話番号１９２６／２０２６（電話番号９１６-１２２-９８７６／９１６-１２２-９８７７）が使用され、送受話器メモリへ送受話器アプリケーションソフトウェアによって記憶され（ステップ１９８４／２０８４で）、送受話器アプリケーションは、Ｄｅｖ１０６と通信するためにその数を使用する。
【０１９３】
図２１Ａは、本発明の実施態様２１００Ａの好適な用途の例を示す。この例示的な実施態様は、Ｄｅｖ１０６に新しい送受話器１０２を追加する（登録する）ためにユーザにより彼／彼女の送受話器で実行される好適なステップを示す。
【０１９４】
ユーザは新しい送受話器１０２を加えることができ、それはＤｅｖ１０６に登録される。追加（登録）の後、新しい送受話器１０２は、登録された送受話器１０２としてすべての制御、プログラム及びモニタの能力を有するようになる。
【０１９５】
ユーザは、スクリーン１１５０／１３５０（図１１／１３）の送受話器追加アイコン１１７２／１３７２を実行して、ユーザにアカウントセキュリティパスワード入力を促すスクリーン２１０２Ａ／２１５２Ａに示されるように、彼／彼女の送受話器を新しい送受話器追加メニューへナビゲートさせる。ユーザはアカウントセキュリティパスワード２１０８Ａ又は２１５８Ａを入力しＯＫアイコンを実行して、送受話器に、データを確認し処理するＤｅｖ１０６へコマンド及びデータを送信させる。アカウントセキュリティパスワードが合致する場合、Ｄｅｖ１０６は自動車／住宅の情報２１１０Ａ／２１６０Ａを送り返し、新しい送受話器が選んだパスワード２１１２Ａ／２１６２Ａの入力をユーザに促す。ユーザはそれから、その新しい送受話器が選んだパスワード２１１３Ａ／２１６３Ａを入力する。自動車の用途では、単一の送受話器カテゴリ２１１４Ａがユーザの新しい電話番号入力のために必要である。住宅の用途では、家族電話の入力２１６４Ａ、家事の手伝い人（すなわちメイドサービス）の電話の入力２１６５Ａ、及び、友人又は臨時の構成員の電話の入力２１６７Ａのような３つのカテゴリからユーザが選んだ１つで新しい送受話器電話番号を入力する。この例示的な実施態様において、ユーザが彼／彼女の家族の送受話器電話番号２１６４Ａを入力すると仮定すると、次にＯＫアイコン２１１６Ａ／２１６６Ａを実行して、送受話器１０２に、Ｄｅｖ１０６へコマンド及びデータを送信させる。Ｄｅｖ１０６はデータを確認し処理して、送受話器１０２に返信する。それらはユーザの確認のためにスクリーン２１２０Ａ／２１７０Ａに表示される。ユーザはそれから確認アイコン２１３４Ａ／２１８４Ａを実行し、送受話器１０２に、メモリのその装置情報ファイルを処理し更新するＤｅｖ１０６へその確認を返信させ、そして、それ自体のメモリに記憶する送受話器１０２へ送信し、スクリーン２１４０Ａ／２１９０Ａにそれを表示する。ユーザは、図２４Ｃで以下に記すように最新の装置情報を常に検索する、見るあるいはリクエストすることができる。Ｄｅｖ１０６はまた、図２２のスクリーン２２０２に表示されるようにアプリケーションダウンロードリンク及びサインインアイコン２２１４（電話番号を含む）を有する指示メッセージを図２２にて示したようにそのユーザがサインインを始めることができる追加された送受話器１０２に送る。
【０１９６】
図２１Ｂは、本発明の実施態様２１００Ｂの好適な用途の例を示す。この例示的な実施態様は、制限されたあるいは一時的なモードでＤｅｖ１０６に新しい送受話器１０２を追加（登録する）するため、ユーザにより彼／彼女の送受話器で実行される好適なステップを示す。
【０１９７】
この例では、ユーザが、彼／彼女の送受話器を、家事の手伝いのためにちょうど入力された送受話器の電話番号２１１５Ｂを含むスクリーン２１０２Ｂへ誘導し、家族の送受話器の電話番号２１６５Ａ（図２１Ａのスクリーン２１５２Ａ）を入力する。あるいは、ユーザは、彼／彼女の送受話器を、友人（臨時）のちょうど入力された送受話器の電話番号２１６７Ｂを含むスクリーン２１０２Ｂへ誘導し、友人（臨時）の送受話器の電話番号２１６７Ａ（図２１Ａのスクリーン２１５２Ａ）を入力する。ユーザはそれから、ＯＫアイコン２１１６Ｂ／２１６６Ｂを実行し、送受話器１０２に、Ｄｅｖ１０６へコマンド及びデータを送信させる。Ｄｅｖ１０６はデータを確認し処理して、送受話器１０２に返信する。それらはユーザの確認のためにスクリーン２１２０Ｂ／２１７０Ｂに表示される。スクリーン２１２０Ｂは追加された送受話器が制限モードにあることを示し、一方でスクリーン２１７０Ｂは追加された送受話器が一時的モードにあることを示す。ユーザはそれから確認アイコン２１３４Ｂ／２１８４Ｂを実行し、送受話器１０２に、メモリのその装置情報ファイルを処理し更新するＤｅｖ１０６へその確認を返信させ、そして、好ましくはそれ自体のメモリに記憶する送受話器１０２へ送信する。ユーザは、（図２４Ｃで以下に記すように）最新の装置情報を常に検索する、見るあるいはリクエストすることができる。Ｄｅｖ１０６はまた、図２２のスクリーン２２０２に表示されるようにアプリケーションダウンロードリンク及びサインインアイコン２２１４（電話番号を含む）を有する指示メッセージを図２２にて示したようにそのユーザがサインインを始めることができる追加された送受話器１０２に送る。
【０１９８】
住宅への一時的なアクセスを有する友人、来客又は隣人に所有される一時的に登録された送受話器１０２は、開始日（２１６７Ｂ１）及び時間（図示せず）そして終了日（２１６７Ｂ２）及び時間（図示せず）が好ましくはプログラムされ、住宅への優先的なアクセスは通常の登録された送受話器１０２にある。この送受話器１０２はＤｅｖ１０６へ他の送受話器１０２を登録する能力、あるいは新しいネットワークにＤｅｖ１０６を起動させる能力はなく、その失効日（２１６７Ｂ２）に自動的にＤｅｖ１０６から削除される（登録解除される）。
【０１９９】
家事の手伝い人の送受話器１０２は好ましくは、特定の時間及び曜日（図示せず）における住宅又は敷地への出入りのため、住宅セキュリティアラームをオン・オフにすることができるだけであるようにその機能において制限される。この送受話器１０２は、何かを制御する、観察するあるいはモニタするようにＤｅｖ１０６に命令することができず、Ｄｅｖ１０６に他の送受話器１０２を登録する能力を有しない。
【０２００】
この実施態様により好ましくは、家（近距離又は遠距離で）を離れている、あるいは、出張又は休暇中のＤｅｖ１０６のユーザは、彼／彼女自身の登録された送受話器１０２を用いてＤｅｖ１０６に遠隔で彼／彼女の友人の送受話器１０２を加える（登録する）ことができる。これにより、プログラム可能な期間の間友人は、彼／彼女の自身の送受話器１０２を用いて、ユーザの住宅に出入りすることができる。ユーザは好ましくは、図１３のスクリーン１３２０のリスト送受話器の出入り活動リストアイコン１３４２を実行することによって、友人（図示せず）あるいは家事の手伝い人（図示せず）の出入りの時間及びの日付のトラックを保持することもできる。家事の手伝い人又は友人は好ましくは、必要なくなった時Ｄｅｖ１０６と関連するソフトウェアアプリケーションを彼／彼女の送受話器から１０２をいつでも削除することができる。
【０２０１】
図２２は、本発明の実施態様２２００の好適な用途の例を示す。この例示的な実施態様は、彼／彼女の新しく追加された送受話器１０２でＤｅｖ１０６へ送受話器１０２をサインインするため、ユーザにより彼／彼女の送受話器で実行される好適なステップを示す。
【０２０２】
新しく追加された（登録された）送受話器１０２のユーザは、そのインボックス（スクリーン２２０２）でＤｅｖ１０６から、彼／彼女がアプリケーション２２１０をダウンロードする必要があるという通知２２０４（フロー図２２４０のステップ２２４２）を受信し、Ｄｅｖ１０６で彼／彼女の送受話器１０２を機能させるためにサインイン２２１２する。ユーザは最初に、ステップ２２４４に示すようにアプリのダウンロードのためアプリケーションＵＲＬ（２２１０）を実行する（アプリのダウンロードのステップが上記の図９／１０のスクリーン９２０／１０２０、９４０／１０４０、９６０／１０６０及び９８０／１０８０に記載されているダウンロードリンク２２１０）。ステップ２２４６でアプリケーションがダウンロードされた後（彼／彼女の送受話器がそのアプリを含まない；あるいはユーザがちょうどサインインしたばかりであると仮定して）、ユーザはサインインアイコン２２１４（ステップ２２４８も示される）を実行して、送受話器１０２をスクリーン２２２０にナビゲートし、そこでユーザは彼／彼女の正しい送受話器パスワード２２２６  （図２１Ａのスクリーン２１０２Ａ／２１５２Ａ又は図２１Ｂのスクリーン２１０２Ｂ／２１５２Ｂ上の２１１３Ｂ／２１６３Ｂでユーザの送受話器を追加／登録の際割り当てられた２１１３Ａ／２１６３Ａものと同じパスワードである）を入力する。ユーザは最後に（実行アイコン２２２８を）実行し、送受話器１０２が、そのメモリ２２５０（グラフ２２４０の）にＤｅｖの電話番号を記憶し、Ｄｅｖ１０６に承認を送信するのが可能になる。Ｄｅｖは承認２２５２を受信し、そして、スクリーン２２６０で示すように登録している送受話器１０２r（フローチャート２２４０）のユーザに通知（２２６２）を送信する（ステップ２２５４）。これ以降、サインインした送受話器１０２とＤｅｖ１０６は互い（２２５６）に通信することができる。
【０２０３】
図２３は、本発明の実施態様２３００の好適な用途の例を示す。この例示的な実施態様は、Ｄｅｖ１０６から登録された送受話器１０２を削除するため、ユーザにより彼／彼女の送受話器で実行される好適なステップを示す。
【０２０４】
ユーザは、図１１／１３のスクリーン１１５０／１３５０の送受話器削除アイコン１１７６／１３７６を実行して、ユーザにアカウントセキュリティパスワード入力を促すスクリーン２３０２／２３５２に示されるように、彼／彼女の送受話器を新しい送受話器削除メニューへナビゲートさせる。ユーザはアカウントセキュリティパスワード２３０８／２３５８を入力しＯＫアイコン２３１６／２３６６を実行して、送受話器１０２に、データを確認し処理するＤｅｖ１０６へコマンド及びデータを送信させる。アカウントセキュリティパスワードが合致する場合、Ｄｅｖ１０６は自動車／住宅の情報２３１０／２３６０及びその登録された送受話器電話番号２３１２／２３６２を送り返し、送受話器１０２の電話番号の削除２３１４／２３６４をユーザに促す。ユーザは、削除される送受話器の電話番号２３１４／２３６４を入力し、ＯＫアイコン２３１６／２３６６を実行して、送受話器１０２に、Ｄｅｖ１０６へコマンド及びデータを送信させる。Ｄｅｖ１０６はデータを確認し処理して、確認２３２８／２３７８及び２３３０／２３８０のためそれをユーザの送受話器１０２（スクリーン２３２０／２３７０）に返信する。ユーザはそれから確認２３３４／２３８４し、送受話器１０２に、その装置情報を処理し更新するＤｅｖ１０６へ確認を送信させ、その送受話器１０２が削除２３４６／２３９６されたことを示すように送受話器１０２（２３４０／２３９０）にそれを返信する。
【０２０５】
図２４Ａは、本発明の実施態様２４００Ａの好適な用途の例を示す。この例示的な実施態様は、許可される回数（すなわち３回）を超えてユーザが正しいパスワードの入力に失敗した場合のＤｅｖ１０６のパスワード回復の好適なプログラムの流れを示す。
【０２０６】
この図は、ユーザが正しいパスワードの入力に失敗して、彼／彼女の電子メールアカウントに電子メールサーバからパスワードを受信する際のパスワード回復メカニズムを示す。パスワード回復の例は、ユーザが図１１／１３のアイコン１１５６／１３５６によって表される自動車／住宅装置構成コマンドを見る又は編集したい時に実行されるものである。
【０２０７】
ユーザが自動車／住宅装置構成アイコン（図１１／１３の１１５６／１３５６）を実行した後、自動車／住宅装置構成コマンドを表示するスクリーン２４０２Ａ／２４２２Ａに示されるように、彼／彼女の送受話器１０２に、コマンドを処理して送受話器１０２へ応答を返すＤｅｖ１０６へコマンドを送信させる。これにはユーザからのアカウントセキュリティパスワード入力２４０８Ａ／２４２８Ａを必要とし、彼／彼女が３回失敗した２４１０Ａ／２４３０Ａ場合（フロー図２４７０Ａのステップ２４７２Ａ）、Ｄｅｖ１０６は、送受話器１０２にパスワードリクエストコマンドに２４７４Ａを送信することによって電子メール回復プロセスに入り、ユーザは彼／彼女の電子メールアドレス２４１２Ａ／２４３２Ａの入力２４１０Ａ／２４３０Ａを促される。ユーザは電子メールアドレスを入力してＥｘｅアイコン２４１４Ａ／２４３４Ａを実行する、そして、送受話器１０２に、それを受信し処理するＤｅｖ１０６へコマンドを送信させる（ステップ２４７８Ａ）。電子メールアドレスが確認２４８０Ａされてそれが合致しない場合、Ｄｅｖ１０６は、「電子メールアドレスが合致していない」メッセージ２４８４Ａを送信し、停止する２４８６Ａ。電子メールアドレスが合致する場合、Ｄｅｖ１０６は、パスワード回復のためユーザの電子メールアドレス２４８２Ａ及びパスワードに加えてパスワード回復コマンドをメールサーバ１１６に送信する。ユーザはそれから彼／彼女の電子メール（スクリーン２４５０Ａの２４５２Ａ）をチェックして、パスワード（２４５６Ａ）を取り出すことができる。
【０２０８】
図２４Ｂは、本発明の実施態様２４００Ｂの好適な用途の例を示す。この例示的な実施態様は、個人情報あるいは送受話器情報を変える際にＤｅｖ１０６を構成するため、ユーザにより彼／彼女の送受話器で実行される好適なステップを示す。
【０２０９】
この図は、上記の図２４Ａに記載のようにＤｅｖ１０６に送受話器１０２によって送信された正しいアカウントセキュリティパスワード２４０８Ａ／２４２８Ａをユーザが入力した場合のスクリーン２４０２Ａ／２４２２Ａの継続を示すものである。Ｄｅｖ１０６は、スクリーン２４０２Ｂ／２４２２Ｂにそれを表示する送受話器１０２にその装置構成データを（図２４６０Ｂで）返信２４６４Ｂする。自動車ＩＤ情報（Ａ１）／家の住所（Ｂ１）、アカウントセキュリティパスワード（Ａ２／Ｂ２）、登録された送受話器電話番号及びそのパスワード（Ａ３／Ｂ３）、ユーザ名及びアカウント番号（Ａ４／Ｂ４）、Ｄｅｖ電話番号（Ａ５／Ｂ５）、電子メールアドレス（Ａ６／Ｂ６）及び緊急センタの電話番号（Ａ７／Ｂ７）のような、いくつかの好ましい情報（全てでない）が示されている。ユーザは好ましくは、登録された送受話器の電話番号（Ａ３／Ｂ３）及びＤｅｖの電話番号（Ａ５／Ｂ５）以外の（ステップ２４６６Ｂに示される）スクリーン２４０２Ａ／２４２２Ａの情報を変えるように編集することができる。ユーザが、第２の電子メールアドレス２４０４Ｂ／２４２４Ｂを加えるように編集（ステップ２４６６Ｂ）し、Ｅｘｅアイコン２４０８Ｂ／２４２８Ｂ実行して、送受話器１０２に、Ｄｅｖ１０６（ステップ２４６８Ｂ）へコマンド及びデータを送信させると仮定する。Ｄｅｖ１０６はデータを処理し、ユーザ確認（スクリーン２４１２Ｂ／２４３２Ｂ及びステップ２４７０Ｂ）のために送受話器１０２にそれを返信して（ステップ２４７２Ｂ）、第２の電子メールアドレス（２ｎｄｏｗｎｅｒ＠ａｎｙ.ｃｏｍ）が構成／装置ファイルに加えられた（２４１４Ｂ／２４３４Ｂ）ことを示す。ユーザはそれから確認２４１８Ｂ／２４３８Ｂして、送受話器１０２に、それをメモリに記憶する（ステップ２４７６Ｂ）Ｄｅｖ１０６へ確認されたデータを返信（ステップ２４７４Ｂ）させる。
【０２１０】
図２４Ｃは、本発明の実施態様２４００Ｃの好適な用途の例を示す。この例示的な実施態様は、Ｄｅｖ１０６の装置情報を検索して見るため、ユーザにより彼／彼女の送受話器で実行される好適なステップを示す。
【０２１１】
ユーザは、自動車／住宅Ｄｅｖ機能メニュー１１５０／１３５０（図１１／１３）のＤｅｖ情報アイコン１１６６／１３６６を実行し、彼／彼女の送受話器１０２に、そのスクリーン２４１０Ｃ／２４４０Ｃに示すように自動車／住宅装置情報を表示するようコマンドを処理し送受話器１０２に応答を送り返すＤｅｖ１０６へ装置情報クエリコマンドを送信させる。ここでは、Ｄｅｖタイプ自動車ＩＤ情報／家の住所２４１６Ｃ／２４４６Ｃ、アカウントセキュリティパスワード２４１８Ｃ／２４４８Ｃ、登録された電話番号２４２０Ｃ／２４５０Ｃ及びパスワード、アカウント名及びナンバー２４２２Ｃ／２４５２Ｃ、Ｄｅｖの電話番号２４２４Ｃ／２４５４Ｃ、電子メールアドレス２４２６Ｃ／２４５６Ｃ、及び、緊急センタの電話番号２４２８Ｃ／２４５８Ｃが示される。
【０２１２】
図２５は、本発明の実施態様２５００の好適な用途の例を示す。この例示的な実施態様は、Ｄｅｖ１０６に送受話器１０２を登録するため、ユーザにより彼／彼女の送受話器で実行される好適なステップを示す。
【０２１３】
この特徴により、ユーザは彼／彼女が登録された送受話器のみを無くした場合、新しい送受話器１０２を登録することができる。ユーザが彼／彼女の古い送受話器（２４１０Ｃ／２４４０Ｃの電話番号９１６-９８７-６５００）を無くし、新しいもの（電話番号９１６-９８７-００００）を買ったと仮定する。ユーザは、Ｄｅｖ１０６に新しい送受話器１０２を登録する。したがってこの特徴により、登録した古い送受話器がもう使えない場合、Ｄｅｖ１０６に新しい送受話器１０２を登録することができる。新しく登録された送受話器１０２で、ユーザは、図２３において記載したように無くした送受話器１０２を削除する（登録解除する）ためにそれを使用することができる。また上記のように、彼／彼女は、Ｄｅｖへの彼／彼女送受話器１０２を登録するようにアプリケーションを実行し関連したコマンド／アイコンを使用するためにアプリケーションをオンラインでダウンロードする（そして起動する）必要がある。Ｄｅｖ１０６がネットワークにすでに登録されているので、彼又は彼女はＤｅｖ１０６の付近（ＳＲＣレンジ内）においる必要はない。登録の開始においてＤｅｖ１０６にコマンド及びデータを彼／彼女の送受話器１０２が送信するため、ユーザはＤｅｖの電話番号及びそのセキュリティパスワードを知っている必要がある。無くした送受話器を所有する人は、該当する場合、ステップ２５９２に示すように登録する際に送受話器のスクリーン２６５０（図２６）に通知されるが、２６６６（図２６）に示すように彼／彼女が入力するアカウントセキュリティパスワードを有しないので、それを予防することはできない。
【０２１４】
ユーザは図１１／１３の送受話器登録アイコン１１５８／１３５８を実行し、彼／彼女の送受話器に、そのスクリーン２５０２に示すように送受話器に登録メニューへナビゲートさせる。領域２５０６において、ユーザはＤｅｖ電話番号２５０８、アカウントセキュリティパスワード２５１０、送受話器電話番号２回（２５１２及び２５１４）、及び選ばれた送受話器パスワード２回（２５１６）を入力する。ユーザはそれからＥｘｅアイコン２５２０を実行して、送受話器１０２に、情報を受信し処理する（チャート２５７０の２５７２）Ｄｅｖ１０６へコマンド及びデータを送信させる。
【０２１５】
ここから、発明者は（場合により）、必要なアカウントセキュリティパスワード入力及び再試行のため、送受話器１０２及びＤｅｖ１０６間での相互通信を促す送受話器スクリーン表示メッセージ（２５１０）をスキップする。彼はまた（場合により）、従来技術の当業者に公知であるように、合致しない電話番号及び再試行、又は、合致しい選ばれた送受話器パスワード及び再試行、（説明の容易さのため）送受話器スクリーン表示メッセージをスキップする。
【０２１６】
Ｄｅｖのアカウントセキュリティパスワード及び送受話器パスワードの必要条件は特定の共通の機能のために部分的に重なる一方で、Ｄｅｖが別々の操作を実行するため各々のタイプのパスワードが必要とされる（ユーザの保護のため）。それら（アカウントセキュリティパスワードを必要とする機能）は：送受話器登録、送受話器追加又は除去、装置構成、装置情報、送受話器ロケータ、料金支払いセットアップ、ルート及び速度追跡、ホームアラーム構成、家庭用器具／設備追加及び除去などのＤｅｖの構造機能のためにあるものである。そして、送受話器パスワードは、自動車／住宅制御、プログラム、モニタ、及び、エンジン状態、家庭用器具／設備の操作、自動車ロケータを見るなどのようなＤｅｖの操作機能のためにあるものである。
【０２１７】
フローチャート２５７０は、送受話器（スクリーン２５０２）によって送信された登録コマンドを実行する時のＤｅｖ１０６のプログラムの流れを示す。それは、コマンド及びデータを受信して、アカウントセキュリティパスワード（ＰＷ）が正しい２５７４かを確認するステップ２５７２から始まる。アカウントセキュリティパスワードが正しい場合、Ｄｅｖ１０６は２回入力された送受話器電話番号２５１２及び２５１４が同一であり、選ばれた送受話器パスワード２５１６（ステップ２５８２で）も同一であるかどうかを確認する。Ｄｅｖ１０６は同時に、送受話器（ユーザに知らせるために、スクリーン２５３２）に登録プロセス状態を送信する。すべてが合致している場合、Ｄｅｖ１０６はコマンド処理へ進み、そのメモリにすべての情報（送受話器の電話番号ステップ２５８６を含む）を記憶する。それから、その完了２５５８／２５５８aを確認するため、確認コマンド又は自動車／住宅Ｄｅｖ情報２５４０／２５４０a（ステップ２５９０で）を送受話器１０２に送信する。アカウントセキュリティパスワードが合致しない場合、Ｄｅｖ１０６は「パスワードが合致していない」メッセージを送受話器１０２に送信し、３回試行させ（ステップ２５８０）それが失敗した場合、Ｄｅｖ１０６はパスワード回復２５８８へ進み、その動作（ステップ２５９２）を知らせるメッセージを他の登録された送受話器１０２に送る。この特徴により、未許可のソースから不法な登録があるかどうかユーザは知ることができる。送受話器電話番号又は送受話器の選ばれたパスワードの入力が同一でない場合、Ｄｅｖ１０６はユーザによる情報の再入力を必要とするステップ（ステップ２５８４）へ進む。
【０２１８】
図２６は、本発明の実施態様２６００の好適な用途の例を示す。この例示的な実施態様は、ＳＲＣネットワークを経てＤｅｖ１０６へ送受話器１０２を登録するため、ユーザにより彼／彼女の送受話器で実行される好適なステップを示す。
【０２１９】
チャート２６０２は、Ｄｅｖ１０６への新しい送受話器１０２の起動／登録の試行、及び、起動／登録の試行の警告を受信する登録された送受話器１０２のスクリーン表示２６５０を示す。Ｄｅｖ起動ボタンが押された時に、起動／登録は２６０４で始まる。Ｄｅｖ１０６は、その現在のアカウントがアクティブである２６０６かどうか確認し；アカウントがアクティブでない（起動していない又は停止された、あるいは過去３０日間ネットワークに登録することができない）場合、起動している／登録している送受話器１０２（２６０８）に問合せメッセージを送る。Ｄｅｖ１０６が短い時間内で応答が得られない２６１０場合、Ｄｅｖ１０６を起動させて通信するため、送受話器１０２ユーザがアプリケーション（アプリ）ソフトウエアをダウンロードする必要があるということを示すメッセージ２６１４を送受話器１０２に送る（これらのステップはすでに図８及び９／１０に示された）。ステップ２６１０でＤｅｖ１０６が送受話器１０２から適当な応答を得た場合、起動は開始する２６１２（Ｄｅｖ１０６を起動させる１つ又は複数の方法ですでに図１１／１３、１２／１４、１５Ａ-１８にて示したように）。この図でＤｅｖ１０６及び起動させている／登録している送受話器１０２の間のすべての通信は、従来技術の当業者に公知であるように、そして図１の１０４に示すように、ブルートゥース、無線ＵＳＢ、ＮＦＣ、Ｗｉ−Ｆｉ、赤外線、無線ＬＡＮ、無線周波数（ＲＦ）技術又は無数の短波通信のようなＳＲＣ（狭域通信）を使用する。
【０２２０】
Ｄｅｖ１０６のアカウントがアクティブである（つまりネットワークに登録／接続される）場合、登録している送受話器１０２に「このアプリケーションを実行するには正しいソフトウエアを必要とする」というメッセージが送られる（２６１６）。ユーザは、彼／彼女の送受話器１０２がソフトウエアを含まない場合、（図９／１０のスクリーン９２０／１０２０、９４０／１０４０、９６０／１０６０及び９８０／１０８０に記載のように彼／彼女の送受話器のスクリーンのアプリサーバ９０６／１００６のＵＲＬをタイプして、スクリーンキーボードのリターンを押すことで）アプリケーション（アプリ）オンライン２６１８でダウンロードする。あるいは、（図２５の送受話器スクリーン２５０２に記載のように、そのユーザが図１１／１３の送受話器登録アイコン１１５８／１３５８を実行した後）ユーザは彼／彼女送受話器に存在するアプリケーション２６２０を実行する。
【０２２１】
ステップ２６２１で、Ｄｅｖ１０６は登録された電話番号がそのメモリの中に存在するか確認する。Ｄｅｖ１０６がアクティブである一方でメモリの中に登録された電話番号が存在しない場合、それはそのスロットにＳＩＭカードモジュール（図２／３／４の２７０）を含んでいることを意味する（図１１／１３から１２／１４及び１５Ａから１８にて図示したように、ネットワークに登録させるためにそれが通常の起動プロセスを経る必要がないという理由である）。ステップ２６２３で（ＳＩＭカードの存在のおかげで）、Ｄｅｖ１０６はネットワークに接続しているが、最初の送受話器の電話番号は、これらの２つの装置が互いに通信するためにＤｅｖのメモリに登録されなければならない。Ｄｅｖ１０６は、新しい送受話器のユーザに彼／彼女の選ばれたセキュリティパスワード（２６２３）の入力を促し、それらの入力が同一のステップ２６２５であるかどうか確認する。セキュリティパスワード入力が同一の場合、Ｄｅｖ１０６は送受話器電話番号入力を促し、ステップ２６２７でその選ばれた送受話器パスワードの入力を促し、ステップ２６４０でそれらの確認に進む。
【０２２２】
ステップ２６２４で（Ｄｅｖのメモリの登録された電話番号が存在し、Ｄｅｖ１０６が通常の起動及び登録プロセスを経たことを意味する）、Ｄｅｖ１０６は、送受話器登録コマンド、アカウントセキュリティパスワード、送受話器番号及び選ばれた送受話器パスワードを登録している送受話器１０２から受信する。Ｄｅｖはまた、（彼／彼女の送受話器スクリーン２６５０に示すことによって）この登録の試行を登録された送受話器１０２の所有者にメッセージ２６５４を送ることによって警告する（ステップ２６２２）。
【０２２３】
スクリーン２６５０で、警告された送受話器１０２の所有者は、警告２６５２の性質、メッセージ２６５４、時間及び日付２６５６、登録している送受話器／モバイル電話番号２６６０を見ることができる。所有者は、ＯＫアイコン２６５８で許可するあるいはＮｏアイコン２６６２でそれを止めるようにするため、正しいパスワード２６６６を入力することで登録プロセスをスピードアップすることができる。（ここでパスワードが好ましくは、彼／彼女が送受話器の本当の所有者であることを確認するために必要となる）。これにより、彼／彼女の送受話器１０２はＤｅｖ１０６へコマンドを送信し、それは、２６２６又は２６４４（チャート２６０２）のいずれかで受信される。
【０２２４】
チャート２６０２に戻って、Ｄｅｖ１０６は、アカウントセキュリティパスワード（図１９／２０のスクリーン１９３０a／２０３０aの１９３６a／２０３６aによって示される）がＯＫであるかどうか確認する。この時点以降で、Ｄｅｖ１０６が送受話器１０２の１つからステップ２６２６で「ＯＫ」コマンドを受信した場合（スクリーン２６５０の２６５８のアイコンによって実行される）、送受話器電話番号及びそのパスワード（タイプミスを予防するため両方とも二度入力される）入力においてそれらが同一２６４０であるかの確認に進む（アカウントセキュリティパスワード入力確認２６３０を経ずに）。Ｄｅｖ１０６は、送受話器１０２の１つから（スクリーン２６５０の２６６２により実行される）「Ｎｏ  ＯＫ」ステップ２６４４を受信する場合、直ちにプロセスを止めるステップ２６３６になる。それにもかかわらず、Ｄｅｖ１０６が登録ユーザからメッセージを受信しない場合、（所有者が彼／彼女のただ１つの送受話器１０２を失ってしまい、新しいものの登録を望んでいるかもしれないので）アカウントセキュリティパスワード２６３０の確認に進む。パスワードがＯＫでない場合、Ｄｅｖ１０６は他の入力２６２８を促す。入力が３回の試行２６３２でまだ失敗する場合、Ｄｅｖ１０６は、（図２４Ａに記載される）パスワード回復プロセスステップ２６３４へ進み、最後に停止（ステップ２６３６）する。アカウントセキュリティパスワードが通る場合、Ｄｅｖは、送受話器電話番号入力及び送受話器パスワード入力確認ステップ２６４０へ進み、それらの二度の入力を確認しそれらが同一であるかを確認する。それらの二度の入力が同一でない場合、再入力ステップ２６３８を促し；同一である場合、すでに図２５に記載のように送受話器１０２の登録２６４２の許可に進む。
【０２２５】
図２７は、本発明の実施態様２７００の好適な用途の例を示す。この例示的な実施態様は、送受話器１０２及びＤｅｖ１０６のアプリケーションを更新するため、ユーザにより彼／彼女の送受話器で実行される好適なステップを示す。
【０２２６】
ユーザは図１１／１３の送受話器及びＤｅｖアプリ更新アイコン１１６４／１３６４を実行し、彼／彼女の送受話器に、そのスクリーン２７０２に示すように送受話器及びＤｅｖアプリ更新コマンドへナビゲートさせる。送受話器は、ユーザにアカウントセキュリティパスワードを入力させる（この実施態様では、送受話器はユーザの便宜のためアプリサーバのＵＲＬをすでに保持／記憶していると仮定する。そうでなければ、アプリサーバのＵＲＬ図９／１０の９０６／１００６の入力をユーザに促す）。パスワード２７０４がメモリのものと合致する場合（そうでなければＤｅｖ１０６は図２４Ａに記載のようにパスワード回復へ進む）、送受話器１０２はスクリーン２７１２にナビゲートし、Ｄｅｖ１０６（ステップ２７６２）及びアプリサーバ１０８（ステップ２７６４）にアプリ版クエリコマンドを送信し、その両方は、それぞれ送受話器１０２によってスクリーン２７１６に：送受話器現行版２７１８／２７６８、送受話器最新版２７２０／２７７４a、Ｄｅｖ現行版２７２２／２７７２a、及びＤｅｖ最新版２７２４／２７７６aが表示されるように、バージョン情報ステップ２７７２、２７７４及び２７７６で送り返す。ユーザが最新版のアプリ２７２６に更新することを望み、Ｅｘｅアイコン２７３０を実行する場合、送受話器１０２に、アプリサーバ１０８（ステップ２７８０）へアプリダウンロードコマンドを送信させ、アプリサーバ１０８から最新のアプリケーション（２７８２a）のダウンロードされたコピーを受信する（ステップ２７８２）。送受話器１０２はそれから、Ｄｅｖ１０６（ステップ２７８４）に、Ｄｅｖの最新版アプリ（２７８４a）及びアプリ更新コマンドを送信する。Ｄｅｖ１０６がコマンド及び最新版アプリを受信する時、最新版アプリ２７８６にそのアプリケーションを更新してそれから送受話器１０２へ承認２７８８を送る。次に、送受話器１０２は最新版２７９０にそのアプリケーションを更新する。送受話器１０２及びＤｅｖ１０６の更新された情報は、スクリーン２７４０の送受話器１０２により表示される。あるいは、Ｄｅｖ１０６は、送受話器１０２からアプリ更新コマンドを受信する時アプリサーバ１０８から直接に最新版のアプリをダウンロードすることができる。
【０２２７】
図２８／２９は、本発明の実施態様２８００／２９００の好適な用途の例を示す。この例示的な実施態様は、彼／彼女がプロバイダへ切り替えることを決めた時、新しい携帯電話プロバイダのネットワークに彼／彼女の現在登録されたＤｅｖ１０６を起動させるため、ユーザにより彼／彼女の送受話器で実行される好適なステップを示す。
【０２２８】
この実施態様は、ユーザがＤｅｖ１０６の携帯電話サービスを異なる（第２の）携帯電話サービスプロバイダに切り替えることに決めて、彼／彼女がＤｅｖ１０６を新しいネットワークに起動させる場合を示すものである。彼／彼女が既存の（最初の）サービスプロバイダのネットワークからＤｅｖ１０６を切断する前に、ユーザが彼／彼女のＤｅｖ１０６を新しい（第２の）サービスプロバイダのネットワークに起動しているのが好ましい。つまり、ユーザがそれ（Ｄｅｖ１０６）を第２のネットワークで起動させている一方で、Ｄｅｖ１０６はまだ現在のネットワークへのアクセスを有しなければならない。新しいネットワークへのＤｅｖの起動が完了するとすぐに、ユーザのＤｅｖ１０６は現在の（最初の）サービスプロバイダのネットワークから切断される。これにより、ＳＲＣ１０４媒体を経由する代わりに携帯電話ネットワークを経た起動の間、ユーザはＤｅｖ１０６と通信する際に送受話器１０２を使用することができる。（つまり、彼／彼女が今までのようにＤｅｖ１０６の付近にいなくてはならない代わりにどこででもＤｅｖ１０６を起動させることができる）。
【０２２９】
ユーザが自動車／住宅Ｄｅｖ機能メニュー１１５０／１３５０（図１１／１３）の起動アイコン１１５４／１３５４を実行した後、起動プロセスが開始し、彼／彼女の送受話器はそのスクリーン２８０２／２９０２に示されるように自動車／住宅起動メニューへナビゲートされる。起動手順の残りは、図２８／２９に示すものと同一であり、Ｄｅｖ１０６がすでに送受話器の電話番号２８１４／２９１４を含んでいて；図１２／１４ではユーザがそれを入力１２１４／１４１４しなくてはならないこと以外は図１２／１４とほとんど同一である。Ｄｅｖが起動し新しいネットワークに登録及び接続が可能になり、ユーザが（成功アイコン２８７６／２９７６を実行することによって）Ｄｅｖ１０６へのコマンドの成功を確認するとすぐに、Ｄｅｖ１０６はその電話番号を含む装置情報（スクリーン２８８０）を送り、送受話器はそれを記憶してその時からＤｅｖ１０６との通信にそれを使用する。現在のネットワークへのＤｅｖの携帯電話サービスはそれから切断されて、これ以降Ｄｅｖ１０６は、新しいネットワークで他のモバイル装置（送受話器）１０２と通信する。Ｄｅｖの情報ファイル（スクリーン２８８０）は、同じプログラムされたデータを含む。つまり、ユーザはＤｅｖ１０６を再初期化又は変更する必要はない。好ましくは唯一の違いは、新しいアカウント番号２８８４／２９８４（更に新しいサービスプロバイダの名前）であり、おそらくＤｅｖは異なる電話番号２８８２／２９８２が割り当てられる。Ｄｅｖはまた好ましくは、ユーザに彼／彼女の送受話器のＤｅｖを（新しい）番号で更新するよう知らせるメッセージ２８９４／２９９４に加えて、インボックス（スクリーン２８９０／２９９０）のアイコン２８９２／２９９２の形状で示すように他の送受話器にコマンドを送る。
【０２３０】
図３０は、本発明の実施態様３０００の好適な用途の例を示す。この例示的な実施態様は、Ｄｅｖ自動車制御及びモニタシステムをプログラムし、検索し、見て、モニタするため、ユーザにより彼／彼女の送受話器で実行される好適なステップを示す。
【０２３１】
ユーザは図１１の自動車アプリメニュー１１２０の自動車制御及びモニタアイコン１１３２を実行し、彼／彼女の送受話器に、そのスクリーン３００２に示すように自動車制御及びモニタメニューへナビゲートさせる。自動車制御及びモニタメニュー３００４は、例えば：アラームをオン／オフにする３０５２、ドアをロック／解錠する３０５４、警笛を鳴らす３０５６、点火をオン／オフにする３０５８、及び非常灯をオン／オフにする３０６０ようにユーザが自動車アクセサリ（スクリーン３０５０）を制御するために使用する制御アイコン３０１４をユーザに示す。ユーザがその時の自動車の状態を見るために使用する状態アイコン３０１８は送受話器スクリーン３０２０／３０３６に示される。モニタアイコン３００６は、自動車のカメラ（図２の２１６）の入力であり、ユーザは、（図４１００Ｂのスクリーン４１８０Ｂ及び４１９０Ｂに示すように）自動車の周り及び内部で出来事が起こったリアルタイムをモニタするために使用することができる。
【０２３２】
チャート図３０７０は、上記のスクリーン３０５０において示されたように送受話器１０２及びＤｅｖ１０６間の相互作用を示す。例えばアラームアイコン３０５２がユーザによって選ばれる（スクリーンタッチで）場合、携帯電話ネットワークを経てグラフ３０７０のステップ３０７２に示すように、送受話器１０２がＤｅｖ１０６のＳＲＣ媒体の範囲内で周辺にないときに、送受話器１０２はアラーム「切り替えコマンド」をＤｅｖ１０６に送る（この例では、発明者は、Ｄｅｖ１０６が送受話器１０２及び他の装置と通信するようため、ネットワークにアクセスを有しなければならないことを示すためにサービスプロバイダ１１２を追加する）。一方で、Ｄｅｖ１０６及び送受話器１０２の両方がＳＲＣ媒体の範囲内にある場合、それらはＳＲＣ通信ネットワークを経て互いに通信するように好ましくは選択され、これは：送受話器の電話番号がデータ列にカプセル化され、必要に応じて所有者のアカウントセキュリティパスワードも好ましくは暗号化されるような内蔵型の保護であるので、より速くかつ好ましくは安全である。
【０２３３】
Ｄｅｖ１０６が送受話器１０２からコマンドを受信する前にアラームがオンであった場合、それは切り替わり、ステップ３０７３に示されるように「アラームはオフである」３０５３と送信する。ステップ３０７２はアイコンアラーム選択３０５２に対応し；ステップ３０７３は「オフである」３０５３メッセージに対応する。ステップ３０７４はアイコンドア選択３０５４に対応し；ステップ３０７５は「ロックされている」３０５５メッセージに対応する。ステップ３０７６はアイコン警笛選択３０５６に対応し；ステップ３０７７は「鳴っている」３０５７メッセージに対応する。ステップ３０７８はアイコン点火選択３０５８に対応し；ステップ３０７９は「エンジンがオフである」２３５９メッセージに対応する。ステップ３０８０はアイコン非常灯選択３０６０に対応し；ステップ３０８１は「オフである」３０６１メッセージに対応する。
【０２３４】
図３１は、本発明の実施態様３１００の好適な用途の例を示す。この例示的な実施態様は、ＤｅｖＧＰＳシステムで検索し、見て、情報を入力するため、ユーザにより彼／彼女の送受話器で実行される好適なステップを示す。
【０２３５】
ユーザはＧＰＳアイコン３００８（図３０）を実行して、彼／彼女の送受話器１０２に、Ｄｅｖ１０６へコマンドを送信させる。そして次にそのコマンドを処理し、ＧＰＳ３１８２にそれを送り、ＧＰＳ３１８２から応答を受信して、その応答を処理して、そのスクリーン３１０２に示すように自動車ＧＰＳメニューを表示する送受話器１０２にそれを送り返す。図は、ＧＰＳアドレス目的地入力３１０８、目的地検索３１０６及び最近の入力アイコン３１１０を含む自動車ＧＰＳメニュー３１０４を示す。ＧＰＳ目的地入力及び目的地検索により、ユーザは運転席に座ることなく、ＧＰＳ位置アドレスを入力し検索することができる。
【０２３６】
ＧＰＳに位置アドレスを入力するため、ユーザはまず目的地入力アイコン３１０８を選び、送受話器１０２をスクリーン３１２０へナビゲートさせる。ユーザは、データ入力のためのキーボード３１３２を用いて都市３１２４、州３１２６、通り及び住所３１２８を入力する。ユーザが都市３１４６の名前を入力する時、送受話器１０２は、Ｄｅｖ１０６に好ましくはリアルタイム（ＩＭ）で情報を送信して、ＧＰＳ３１８２に情報を送り、スクリーン３１４０において示すようにＤｅｖ１０６を経てポップアップヒントスクリーン３１５０で応答する（文字数により、潜在的に合致した名前の都市名は短くなる可能性がある）。すべてのアドレス情報が入力された後、保存アイコン３１７０を実行し、送受話器１０２にＤｅｖ１０６へ情報及びコマンドに送信させ、それをＧＰＳ３１８２に送り、ＧＰＳメモリにスクリーン３１６０のすべての情報を保存する。
【０２３７】
グラフ３１８０は、送受話器１０２、Ｄｅｖ１０６及びＧＰＳ３１８２間の相互作用を示す（サービスプロバイダ１１２は説明の容易さのためにここでは省略される）。グラフ３１８０において、Ｄｅｖ１０６は、送受話器１０２及びＧＰＳ ３１８２の間で情報を並進させ、往復して送信する導管のような働きをする。ステップ３１８４は、Ｄｅｖ１０６へ及びＧＰＳ３１８２へ送受話器１０２から都市名３１６６を送信することに対応する。ステップ３１８６は、Ｄｅｖ１０６へＧＰＳ３１８２から、そして送受話器１０２への対応する応答である。ステップ３１８８は、Ｄｅｖ１０６へ及びＧＰＳ３１８２へ送受話器１０２から州の名３１６６を送信することに対応する。ステップ３１９０（ある場合には）は、ＧＰＳからの対応する応答である。ステップ３１９２は、Ｄｅｖ１０６へ及びＧＰＳ３１８２へ送受話器１０２から通り及び住所３１６２を送信することに対応する。ステップ３１９４（ある場合には）は、ＧＰＳからの対応する応答である。ステップ３１９６は、Ｄｅｖ１０６へ及びＧＰＳ３１８２への送受話器１０２からのコマンド保存アイコン３１７０に対応する。そして最後に、ステップ３１９８（ある場合には）は、ＧＰＳ３１８２からの対応する応答である。あるいは、ステップ３１８４、３１８８、３１９２及び３１９６は、Ｄｅｖ１０６へと単一のステップに（又はすべてのＧＰＳ情報を１つのパケットに）結合することができ、Ｄｅｖ１０６から戻る単一の応答３１９８を得る。本発明に示されるステップ及び方法は、従来技術の当業者に公知であるように、同じ目標を達成するための１つ以上の用途であり、唯一の方法として制限されるべきものではない。
【０２３８】
図３２は、本発明の実施態様３２００の好適な用途の例を示す。この例示的な実施態様は、ＤｅｖＧＰＳシステムで検索し、見て、グラフィック情報を入力するため、ユーザにより彼／彼女の送受話器で実行される好適なステップを示す。
【０２３９】
送受話器のスクリーン表示３１２０は、ドラッグアンドドロップアイコン３１３０を用いたＧＰＳ入力の他の方法を示しここで繰り返される。ユーザは、彼／彼女の送受話器１０２でアドレス位置３２０４をＧｏｏｇｌｅ検索することができ、検索結果３２０６及び３２１０を得る。彼／彼女は、情報をコピー３２０８してドラッグし、アイコン３１３０にドロップして、そこで送受話器１０２が復号化して、通り及びアドレス３２４６、都市３２４２及び州３２４４に変換される。ユーザはそれから保存アイコン３２５２を選び、図３１のフロー図３１８０において示されるように、送受話器１０２にＤｅｖ１０６へ情報を送信させて、ＧＰＳ３１８２までそれを送る。
【０２４０】
図３３は、本発明の実施態様３３００の好適な用途の例を示す。この例示的な実施態様は、申し立てられた支払いアカウントをプログラムしてセットアップし、Ｄｅｖ料金支払いシステムの活動リストを見るため、彼／彼女の送受話器１０２のユーザにより実行される好適なステップを示す。
【０２４１】
ユーザは料金支払いアカウントアイコン１１３４（図１１）を実行して、彼／彼女の送受話器１０２に、Ｄｅｖ１０６へコマンドを送信させ、コマンドを処理し、そのスクリーン３３０２に示すように料金支払いアカウントメニューを表示する送受話器１０２に応答を返す。図は、アカウント支払いセットアップ３３１０（料金支払いアカウントをセットアップするのに用いられる）、アカウント支払いキャンセル３３１２（既存の料金支払いアカウントを取り消すのに用いられる）、アカウント活動３３０６（様々な既存の料金支払いアカウント及び活動を表示する）、及び、オンデマンド料金支払いアカウントセットアップ３３１４（このアカウントへ／からオンデマンドで料金収集装置に支払う）を有する料金支払いアカウントメニュー３３０４を示すものである。もちろん、運転手３７５２は常に現金での支払いに決めることもできる。スクリーン３３２０及び３３５０は、セットアップが実行される方法の例を示す。従来技術の当業者に公知であるように、本発明の上記の及びこの図で言及する通り、それぞれの用途を達成する多くの方法が存在するので、これらの例は、唯一の解決法というわけではない。
【０２４２】
スクリーン３３２０は、ユーザが選んだアカウント支払いセットアップ３３１０の結果であり、アカウント支払いセットアップ３３２２が応答を返すＤｅｖ１０６にコマンドを送信した後に送受話器１０２がナビゲートするものである。ユーザは、受取人のアカウント支払いセットアップ３３２２に受取人のウェブページリンクアドレス３３２４を記入し、Ｅｘｅアイコン３３２６を選択して、送受話器１０２はスクリーン３３３０に表示されている受取人のウェブページを実行して開く。図は、ユーザが：彼／彼女の銀行名３３３４、アカウント番号３３３６、アカウント種類３３３８、及びアカウント名及びアドレス３３４０のような必要な情報の入力を完了するところである。彼／彼女はそれからＥｘｅアイコン３３４８を選び、送受話器１０２に、アカウント支払い情報を処理するため、受取人のコンピュータ／サーバ（図示せず）へ情報を送信させる。受取人のコンピュータ／サーバ（図示せず）完了（スクリーン３３５０）の応答を返す時、受取人の名前３３５６及びその名前コード３３７０、請求金額３３５８、支払いコード３３６２、支払人コード３３６４、及び、支払人の支払い情報３３６６及び３３６８が示される。ユーザはそれからＯＫアイコン３３７２を実行し、送受話器に、受取人のコンピュータ／サーバへ確認を送信させかつＤｅｖ１０６へコマンド（完了データスクリーン３３５０を含む）を送信させて、必要な支払いセットアップデータを処理しそのメモリに保存する。Ｄｅｖ１０６は好ましくは、完了及び確認を送受話器（図示せず）に返信する。従来技術の当業者に公知であるように、ユーザの電話番号（図示せず）などの他の個人情報が必要となる可能性がある。
【０２４３】
スクリーン３３８０は、ユーザが、情報の応答を返すＤｅｖ１０６にコマンドを送信した後に送受話器１０２がナビゲートするアイコン３３０６を選んだ時、過去のアカウント活動を見ることができるアカウント支払い活動を示すものである。そこには受取人の名前３３８４、個々の支払い３３８６及び３３９０そして、毎月の総支払い３３８８及び３３９２が示されている。
【０２４４】
図３４は、本発明の実施態様３４００の好適な用途の例を示す。図は料金支払いステーションの全体図を示すものであり、そこでＤｅｖ１０６を有する車３４１０、３４１２及び３４１４は屋根の下で料金徴収人／トランシーバ３４０２、３４０４及び３４０６と料金取引を完了する。媒体３４０８は好ましくは、Ｗｉ−Ｆｉ、あるいはＮＦＣ２５８、ブルートゥース２６０、無線／ワイヤＵＳＢ ２６２及び他の無線周波数（ＲＦ）技術のようなＳＲＣ１０４（狭域通信）装置である。取引データは、図３３の３３２０、３３３０及び３３５０において示した通りセットアップの間、Ｄｅｖ１０６及び受取人のコンピュータ／サーバ（図示せず）の間で決められたように好ましくは暗号化される。
【０２４５】
図３５及び３６は、本発明の実施態様３５００及び３６００の好適な例を示す。これは、図３４にて図示したように、Ｄｅｖ１０６（車３４１０、３４１２及び３４１４に搭載された）及び料金徴収人３４０２３、３４０４及び３４０６の間で生じている取引を示すものである。
【０２４６】
車３４１０が料金徴収人３４０２との通信距離に接近すると、Ｄｅｖ１０６（車３４１０内の）は、ステップ３５０２／３６０２に示すように料金徴収人３４０２からのデータ信号「料金徴収支払い」を受信する。Ｄｅｖ１０６が、図３３の３３７０及び図３６のステップ３６０２にも示されるように料金徴収人３４０２から会社名コード「９７５３２９６」を受信すると、そのコード「９７５３２９６」が図３３のスクリーン３３５０の支払いアカウント３３７０のものと合致するかどうかを確認する。Ｄｅｖ１０６は、それから３３６４（図３３）及びステップ３５０４／３６０４の支払人コード「６７８９０」（支払人取引識別子）と共に承認を料金徴収人３４０２に送り返す。そして、３３６２（図３３）及びステップ３５０６／３６０６に示される支払いコード「５６７８１２３４」（取引識別子）を受信する。次の２つのステップでは、所有者の名前及びその支払いアカウント情報をステップ３５０８／３６０８で料金徴収人３４０２に送信するＤｅｖ１０６との取引を完了し、Ｄｅｖ１０６はステップ３５１０／３６１０で料金徴収人３４０２から請求金額の総額を受信する。ステップ３５１２／３６１２において、Ｄｅｖ１０６は、取引完了後その記憶装置にタイムスタンプと共に支払いを記憶する。ステップ３５０１Ａ、３５０１Ｂ、３５０１Ｃ及び３５０１Ｄは、異なる伝送媒体を用いて料金徴収が行われる一方でＤｅｖ１０６及びサービスプロバイダ１１２間で進行している（他の登録された送受話器に接続できるように）通常の活動を示す。
【０２４７】
図３７は、本発明の実施態様３７００の好適な用途の例を示す。この例示的な実施態様は、Ｄｅｖ料金支払システムのオンデマンド支払いのために支払いアカウントをプログラムしてセットアップするため、彼／彼女の送受話器１０２のユーザにより実行される好適なステップを示す。
【０２４８】
ユーザは、図３３のオンデマンド料金支払いアカウントセットアップアイコン３３１４を実行し、彼／彼女の送受話器１０２に、Ｄｅｖ１０６へコマンドを送信させ、コマンドを処理し、そのスクリーン３７０２に表示されるようにオンデマンド料金支払いアカウントセットアップを表示する応答を送受話器１０２に送り返す。
【０２４９】
図は、他のタイプの料金支払いをセットアップする他の方法を示す。これは、料金支払いが音声承認又は運転手３７５２から音声の承認なしで料金支払い徴収人により要求された時、Ｄｅｖ１０６が取引を実行しそれを可能にする方法を示すものである。ユーザは、スクリーン３７０２で：ユーザの銀行名３７０８、アカウント番号３７１０、アカウント種類３７１２、アカウント名及びアドレス３７１４、運転手３７５２からの音声入力（音声確認）の非音声承認選択３７１６のための承認「ＹＥＳ」又は「ＮＯ」のような情報を入力し、結果は３７２０に示すようなものである。ユーザはそれからＥｘｅアイコン３７３８を選び、送受話器１０２に、Ｄｅｖ１０６へコマンド及びすべての情報を送信させ、送受話器スクリーン３７４０に示すようにその処理している情報と共に「音声起動料金支払い実行中。お待ちください。」３７４２との応答を返す。Ｄｅｖ１０６が完了した時、３７４４に示すように送受話器のスクリーンにセットアップ情報が送信され、それから、ユーザはアカウントのセットアップを完了するために完了アイコン３７４６を実行する。
【０２５０】
フロー図３７５０は、Ｄｅｖ１０６、料金徴収人３４０２及び運転手３７５２の間で生じている取引を示し、一方でチャート３７７０は、Ｄｅｖ１０６のプログラムの流れを示す。それはステップ３７５３において開始し、Ｄｅｖ１０６が、不正行為を防ぐため（車が一定時間の間静止する時に料金収集がおそらく行われない）に料金収集する前に、若干の運転時間がすでに生じたことを確認していることを示す。ステップ３７５４において（ステップ３７７４にも示される）、Ｄｅｖ１０６は、料金徴収人３４０２から「料金支払い要求」を受信する。Ｄｅｖ１０６は、それから音声（スピーカ経由で）を出力して３７５６（ステップ３７７６にも示される）、運転手に料金を知らせ、運転手３７５２から「ＹＥＳ」の承認３７５８（３７７８）を得る。Ｄｅｖ１０６は、料金徴収人３４０２にアカウント名、アカウント番号及びアドレスを送り（ステップ３７６０及び３７８０）、料金徴収人から支払い承認（ステップ３７６２及び３７８２）を受信する。Ｄｅｖ １０６はそれから取引完了（ステップ３７６４及び３７８４）を運転手に通知し、最後に、取引記録をそのメモリに（ステップ３７６６及び３７８６）記憶する。
【０２５１】
図３８は、本発明の実施態様３８００の好適な用途の例を示す。この例示的な実施態様は、彼／彼女の送受話器を経て遠隔で彼／彼女自動車（Ｄｅｖ１０６によって制御された）の場所を見つけるため、彼／彼女の送受話器１０２のユーザにより実行される好適なステップを示す。
【０２５２】
ユーザは、図３０のロケータアイコン３０１６を実行し、彼／彼女の送受話器１０２に、Ｄｅｖ１０６へコマンドを送信させ、コマンドを処理し、そのスクリーン３８０２に示すように自動車ロケータコマンドを表示する応答を送受話器１０２に送り返す。図は、ユーザに自動車の（Ｄｅｖ１０６）現在のＧＰＳ位置を見つけさせる自動車ロケータコマンド３８０４を示す。ユーザは、必要なアカウントセキュリティパスワード３８０６を入力し、実行アイコン３８０８が選ばれた後、送受話器１０２はそれをＤｅｖ１０６に送信する。Ｄｅｖ１０６は、パスワード３８０６及びコマンドを受信する（チャート３８５０のステップ３８５２にも示される）。Ｄｅｖ１０６はそれから、セキュリティパスワードがそのメモリに記憶されたものと合致するかどうか確認し、もし合致した場合、Ｄｅｖ１０６はそのコマンドをＧＰＳのコマンドフォーマットに変換し、それをＧＰＳ３１８２（ステップ３８５４）に送信する。ＧＰＳ３１８２は、その応答を変換するＤｅｖ（ステップ３８５６）へ応答を送信し、スクリーン３８２０に示すように情報を表示する送受話器１０２（ステップ３８５８）にそれを送る。スクリーン３８２０は、スクリーン３８３０に示すように詳細な地図３８３２が拡張されて車がその時点３８２２に存在する場所及びグラフィックアイコン３８２４を示すものである。
【０２５３】
図３９は、本発明の実施態様３９００の好適な用途の例を示す。この例示的な実施態様は、彼／彼女の登録された送受話器を経て紛失している登録された送受話器１０２を見つけるため、彼／彼女の送受話器１０２のユーザにより実行される好適なステップを示す。
【０２５４】
ユーザは、送受話器ロケータアイコン１１７０／１３７０（図１１／１３）を実行し、彼／彼女の送受話器１０２に、Ｄｅｖ１０６へコマンドを送信させ、コマンドを処理し、そのスクリーン３９０２に示すように送受話器ロケータコマンドを表示する応答を送受話器１０２に送り返す。ユーザが正しいセキュリティパスワード３９０８を入力し、実行アイコン３９１４を選択した後、照会する送受話器１０２に、Ｄｅｖ１０６へコマンド及びパスワードを送信させる。Ｄｅｖ１０６は（フローチャート３９５０のステップ３９５２に示すように）それを受信し処理して、登録された送受話器３９１０（ステップ３９５４）へ送り返す。この例では、ユーザは、領域３９０６でそれを強調する３９１２ことによって紛失している送受話器１０２（電話番号９１６-９８７-６５００）を捜すことに決めるものとして、再び実行アイコン３９１４を選択し、照会する送受話器１０２に（例えば、電話番号が９１６-９８７-６５４３又は４０８-２３４-５６７８のいずれか）、Ｄｅｖ１０６へ送受話器ロケータコマンド及び必要なデータを送信させる。Ｄｅｖ１０６はデータを処理し、ステップ３９５６の紛失している送受話器１０２（電話番号９１６-９８７-６５００）に送受話器ロケータコマンドを送信し、スクリーン３９２０に示すようにその照会する送受話器１０２に捜索状態３９２２を送り返す。Ｄｅｖ１０６が送受話器（３９５８）から紛失している送受話器１０２のＧＰＳ位置を受信する時、Ｄｅｖ１０６は、その位置３９２６をアイコン３９２８と共に表示する照会する送受話器１０２へ情報３９６０を送り返す。照会する送受話器１０２は、アイコン３９２８が実行された（拡張された）後、紛失している送受話器１０２（スクリーン３９３０の３９３２）のグラフィック位置を表示する。
【０２５５】
この実施態様は、実際的かつセキュリティの理由のため、その登録された送受話器１０２検索及び捜索のみにＤｅｖを制限するものである。（Ｄｅｖ１０６内と同様に）送受話器に存在し作動しているアプリケーション及び操作ソフトウエアは好ましくは、（送受話器１０２及びＤｅｖ１０６へダウンロードして更新するため）アプリサーバで設計されかつ修正され、それによって、この実施態様のアプリケーションがより一般的かつ汎用的になることができ；スマート送受話器１０２のユーザは、紛失している送受話器がまだ古い電話番号を利用する限り、他のスマート送受話器１０２を経て紛失しているスマート送受話器１０２の場所を突き止めることができる。
【０２５６】
更に、送受話器が起動して携帯電話サービスプロバイダに登録された時、携帯電話サービスプロバイダデータベースに送信されて記憶される各々のスマート送受話器と関連する固有識別子（例えば−送受話器／装置ＩＤパラメータ５４２／６４２のような）が存在する。したがって、送受話器１０２又はＰＣ（コンピュータ）によって、携帯電話サービスプロバイダのコンピュータ／サーバへ提供される紛失している送受話器の固有識別子を用いて、紛失している送受話器が検索エンジン（すなわち携帯電話サービスプロバイダのコンピュータ／サーバに存在するソフトウエア）によって追跡する方法が存在する。そしてその識別子から、紛失している送受話器の現在の（新しいあるいは異なる電話番号）は、コンピュータ／サーバによって変換（探索）され、紛失している送受話器の場所を突き止めることができる。
【０２５７】
図４０は、本発明の実施態様４０００の好適な例を例示する。この例示的な実施態様により好ましくは、ユーザは、自動車ルート追跡及び最高速度制限の時間と場所をプログラムしてセットアップすることができ、Ｄｅｖ１０６はデータを記録する。ユーザはデータをチェックすることができ、警告オプションが選択された場合、最高速度に達した時彼／彼女の送受話器を経て彼／彼女は知らされる。データはまた、長期保管のため会社の記憶装置に記憶することができる。
【０２５８】
ユーザは、ルート追跡及び速度警告アイコン３０１０（図３０）を実行し、送受話器１０２に、Ｄｅｖ１０６へコマンド（チャート４０７０のステップ４０７６）を送信させ、コマンドを処理し、そのスクリーン４００２に示すようにルート追跡及び速度警告プログラム及びセットアップを表示する応答を送受話器１０２に送り返す（ステップ４０７８）。図は、速度警告及びルート追跡がオフの（使用不能の）状態４０２０及び４０２１を表す。領域４００６において：ｍｐｈ（毎時マイル）又はｋｐｈ（毎時キロメートル）４４０８、Ｄｅｖ１０６が速度データ（４０１０）を記憶するネットワーク記憶装置サーバ目的地‐記憶装置、ユーザの送受話器（４０１２）への超過速度制限警告又は警告選択なし、速度警告のオン４０１８又はオフ４０２０、及び、ルート追跡のオフ４０２１又はオン４０２２のような情報が入力される。追跡がオン４０２２の時、ユーザは、ＲＴＣ２４０（図２）から時間及び日付を得て何分間Ｄｅｖで追跡のためにサンプルをとられるか（４０２３）、速度計４０７４からの速度、及びＧＰＳ３１８２からの位置を入力することができる。ユーザはそれからスクリーン４０３２で示されるデータを入力し、そこで、例えばユーザは：７０ｍｐｈ（４０３８）の最高速度制限、記憶装置サーバ目的地４０４０、ユーザの送受話器１０２への警告の解除４０４４、速度警告４０４８をオンにする、５分毎４０５３のサンプルによるルート追跡４０５２をオンにすることを設定し；Ｅｘｅアイコン４０５６を実行することでプログラミングを完了して、送受話器１０２に、Ｄｅｖ１０６へコマンド及び情報を送信させる（チャート４０７０のステップ４０８０）。
【０２５９】
Ｄｅｖは、速度計４０７４と最高速度（ステップ４０８２）を通信する。これ以降（速度警告がオフ４０２０及び４０５０にされるまで）、自動車が動いているときはいつでも、Ｄｅｖ１０６は速度がステップ４０８４の速度閾値以上あるいは速度閾値以下になるとすぐに速度計４０７４によって割り込まれる。Ｄｅｖ１０６は、（図２のＲＴＣ２４０経由で）割込みの日時の記録を保持し、ＧＰＳ３１８２と通信してそれらを取得（ステップ４０８６）することによりＧＰＳ位置を得る。送受話器ユーザは、したがって、速度超過制限、その持続期間及び位置の記録を検索し、見ることができる。この好ましい実施態様は、自動車Ｄｅｖ１０６の主なユーザが、速度を出しすぎて運転している他の運転手の運転の習慣を知りたい時に非常に役立つ。この実施態様はまた、Ｄｅｖの追跡をオンにする（４０５２）ことによって自動車の運転ルートの記録を取る自動車レンタル、タクシー、トラック輸送会社などに適用することができる。これにより、Ｄｅｖは、速度計４０７４（チャート７０７０aのステップ４０９２）から速度を得て、ＧＰＳ３１８２（ステップ４０９４）から位置を得ることによって、５分毎に１つの追跡サンプルをとる（この場合では）ことができる。追跡記録は、従来技術の当業者に公知であるように、ユーザ（ステップ４０９６）によって後で見られる、又は、会社の記録のための記憶装置サーバ４０７２（ステップ４０９８）に一日の終わりにダウンロードすることができる。
【０２６０】
送受話器１０２（そのユーザがＤｅｖ１０６をプログラムした）は、速度警告リストアイコン３０１２（図３０のスクリーン３００２の）を実行することによって、最高速度超過ヒストリ（スクリーン４０６０に示すように）を見ることできる。この特徴により、Ｄｅｖ１０６は、自動車がそのプログラムされた速度制限を上回った場所、時間及びその継続期間のヒストリを構築することができる。Ｄｅｖ１０６は、自動車ナンバープレート４０６６、速度制限、時間、日付及びその持続期間４０６８を表示する。
【０２６１】
ルート追跡４０５１により、ユーザ又は会社（図３０のスクリーン３００２のルート追跡リストアイコン３０１３を実行することによって）、その追跡が可能である時４０２２／４０５２の自動車の毎日のルート設定を見ることができる。それは、ユーザ／所有者がどのように彼／彼女の自動車が使われているか（あるいは彼／彼女自動車の運転記録を）知りたい時に役立つライセンスＩＤ４０５７、日付４０５９、時間４０６１、位置４０６９及び速度４０６５のような自動車の運転記録を示す。
【０２６２】
図４１Ａは、本発明の実施態様４１００Ａの好適な例を示す。この例示的な実施態様は、予想外あるいは未許可の出来事が彼／彼女の自動車に起こった時に彼／彼女の送受話器で警告を受信するユーザの好適なスクリーン表示を示す。
【０２６３】
Ｄｅｖ１０６は、侵入、衝突又はその駐車位置からの撤去のような未許可の出来事が彼／彼女自動車に起こったことをユーザに通知するメッセージを送受話器１０２のインボックス４１０２Ａに送る。ユーザはツールスクリーン４１１４Ａに送受話器１０２をナビゲートし、Ｄｅｖ１０６から自動車警告４１２２Ａを見つけるためにセキュリティ自動車４１１６Ａを選ぶ。自動車警告アイコン４１２４Ａがユーザによって実行される時、送受話器１０２は、Ｄｅｖ１０６がちょうど送信した出来事情報、とりわけ警告メッセージ４１１０Ａを含むスクリーン４１３０Ａにナビゲートされる。スクリーン４１３０Ａの情報は、理由‐侵入４１３４Ａ、日付及び時間４１３６Ａ、位置４１３８Ａ、車が動かされているか否か４１４０Ａを含む。それはまた、警告されている登録された送受話器の電話番号４１４２Ａをリストする。アイコン４１４４Ａにより、スクリーン４１６２Ａに示すようにユーザはその出来事が生じた４１６４Ａ場所のグラフィック地図を見ることができる。
【０２６４】
図４１Ｂは、本発明の実施態様４１００Ｂの好適な例を示す。この例示的な実施態様は、潜在的に命を脅かすものあるいは出来事が彼／彼女の自動車に起こった時に彼／彼女の送受話器で警告を受信するユーザの好適なスクリーン表示を示す。
【０２６５】
Ｄｅｖ１０６は、一定期間、子供又はペットが過失で彼／彼女の駐車した自動車に放置されているような不規則かつ潜在的に危険な状況をユーザに通知するメッセージを送受話器１０２のインボックス４１０２Ａに送る。ユーザは、映像アイコン４１１４Ｂ及び４１１６Ｂと共にメッセージ４１１２Ｂを彼／彼女が見た時、適切な決定を下すことができる。映像アイコン４１１４Ｂ及び４１１６Ｂにより、ユーザは、自動車内部のカメラを通して彼／彼女の自動車４１８０Ｂ及び４１９０Ｂの内部を見ることができるので、状況が本当かどうか彼／彼女は確実に知ることができる。自動車に子供もペットも放置されていない場合、ユーザは、Ｄｅｖ１０６へ送受話器１０２によって送信される無視アイコン４１２０Ｂを実行して；Ｄｅｖ１０６は、警告を止めるあるいはメッセージの送信を止める（又は完全に止める前に、５分毎に数回警告する）ことができる。子供又はペットが過失で中に残っている場合、ユーザは、Ｄｅｖ１０６に送受話器１０２によって送信され、彼／彼女の送受話器１０２のユーザに実行されるべき（スクリーン４１３０Ｂ）即時の動作を送り返す警告スクリーン４１１０Ｂにおいて警告を確認するために確認アイコン４１１８Ｂを実行する。スクリーン４１３０Ｂは、自動車ドアを解錠する４１３２Ｂ、自動車窓を下げる４１３４Ｂ、警笛を鳴らす４１３６Ｂ、自動車アラームをオンにする４１３８Ｂ、ヒーターをオンにする４１４０Ｂ、エアコンをつける４１４２Ｂ、照明をつける４１４４Ｂ、緊急センタに電話する４１４６Ｂ、又は運転手が自動車に戻る途中である４１４８Ｂなどの動作をリストする。ユーザ／運転手は、この例では、自動車窓を下げて「私は戻る途中である」アイコン（４１３４Ｂ及び４１４８Ｂ）を選び、それはＤｅｖ１０６へ送受話器１０２によって送信され、スクリーン４１５０Ｂに示すように必要とされる動作４１５４Ｂ及び４１６８Ｂの状態を送り返す。
【０２６６】
図４２は、本発明の実施態様４２００の好適な例を示す。この図は、危険状態アイコン又は自動車緊急ボタンが押された時、自動車エンジン状態及びＤｅｖの応答をモニタする際のステップを示す。
【０２６７】
この図は、ユーザがエンジン状態アイコン４２１０を実行する時のエンジン状態メニュー４２２２を示すものであり、送受話器１０２に、Ｄｅｖ１０６へ対応しているコマンドを送信させ、エンジン状態Ｉ／Ｏ ２０５（図２）と通信し、そのエンジン状態を送り返し、スクリーン４２２０に表示されるように送受話器１０２に情報を送るものである。送受話器１０２は、Ｄｅｖ１０６から受信する自動車エンジン及びアクセサリ状態４２２２を表示する。
【０２６８】
燃料レベルアイコン４２２４は、どれくらいの燃料がタンクにあるかを示す（図示せず）。
【０２６９】
電気アイコン４２２６は、自動車の電気状態を示す（図示せず）。
【０２７０】
オイルレベルアイコン４２２８は、オイルを追加する必要があるかを示す（図示せず）。
【０２７１】
タイヤ状態アイコン４２３２は、ユーザにタイヤ圧及びスレッドの厚みを知らせる（図示せず）。
【０２７２】
最近のサービスアイコン４２３４は、自動車の最近のサービス日を表示する（図示せず）。
【０２７３】
ブレーキアイコン４２３６は、ブレーキパッドが交換される必要があるかを示す（図示せず）。
【０２７４】
照明アイコン４２３８は、どの照明が消えているあるいは機能していないかをユーザに知らせる（図示せず）。
【０２７５】
危険状態アイコン４２１４が選ばれる時、送受話器１０２は、Ｄｅｖ１０６へコマンドを送信させて、それにより、直ちに自動車警告スピーカ（図２の２２０）及び非常灯がオンにされる。Ｄｅｖ１０６は、オンになっている（図示せず）ものとして警告スピーカ及び非常灯を表示してそれらの状態を送受話器１０２に送り返す。危険状態アイコン４２１４は好ましくは、トグル入力のように機能する。つまり、それが再び選ばれる場合、送受話器１０２はＤｅｖ１０６にコマンドを送信し、それから自動車警告スピーカ（図２の２２０）及び非常灯をオフにして、またオフになっている（図示せず）ものとしてそれらの状態を送受話器１０２に送り返す。
【０２７６】
図４３は、本発明の実施態様４３００の好適な用途の例を示す。図は、より記述的な用語で送受話器１０２を経てＤｅｖ１０６によって制御される住宅警告システムの様々な入出力接続を構成するために実行されるステップを示す。
【０２７７】
送受話器１０２はスクリーン４３０２にナビゲートされ、ユーザのスクリーンが住宅アプリメニュー１３２０へと操作され、住宅制御及びモニタアイコン１３２６（図１３）が選ばれた後の住宅制御及びモニタメニュー４３０４を示す。ユーザが、送受話器１０２にＤｅｖ１０６へコマンドを送信させる警告構成アイコン４３０６を選択する時、送受話器１０２はスクリーン４３２０にナビゲートされ、スクリーン４３２０に示すように構成情報を送り返す。スクリーン４３２０は、すべて数字で記述されているドア／窓エントリ（４３２４）、運動エントリ４３２８、スピーカ／警笛４３３０、及びカメラ４３３２を示す工場デフォルトの住宅アラームセキュリティシステム構成を示す。ユーザは、構成情報の所に到達するためにスクリーンを上下左右に動かすようにディスプレイをわずかに触れることで指の動きを使用する、あるいは、上４３３４、下４３８４、左４３４４、右４３５２にスクロールしてアイコンを使用する。ドア／窓エントリ＃１アイコン（４３２６）が構成のために選ばれる時、送受話器１０２がコマンドを送りＤｅｖ１０６から情報を受信するので、送受話器１０２はスクリーン４３４０にナビゲートされる。キーボード４３４８を使用して、より認識しやすくするためにエントリ１をメイン（メインエントリ）とするなど、ユーザはエントリを４３４２で記述的な名前に編集することができ、最終的な結果はスクリーン４３６０、４３７０及び４３８０に示すものである。（文字Ｔは、示されるエントリが使われる時にアラームを使用不能にするように若干のタイマー遅延を可能にするものである。）
【０２７８】
図４４は、本発明の実施態様４４００の好適な用途の例を示す。この例示的な実施態様は、彼／彼女の送受話器を経て（Ｄｅｖ１０６によって制御されて）彼／彼女の住宅の環境をモニタして見るため、彼／彼女の送受話器１０２のユーザにより実行される好適なステップを示す。
【０２７９】
ユーザは、状態／モニタアイコン４３１０（図４３）を実行し、送受話器１０２に、Ｄｅｖ１０６へコマンドを送信させ、コマンドを処理し、そのスクリーン４４０２に示すように住宅セキュリティ状態／モニタ情報を表示する応答を送受話器１０２に送り返す。ユーザは、ＭＢ（主寝室）の窓が開けられた、あるいはホールアイコン４４３４（運動）検出器がオフになっている４４３２ことを伝えるポップアップスクリーン４４２４で、４４２２に示すように個々のアイコン／エントリを選択／強調することで状態を点検することができる。ユーザは、ポップアップキッチンウィンドウ４４４４でそれを表示するＫｉｔｃｈアイコン４４４６を選ぶことによって、リアルタイムカメラ入力においてモニタすることもできる。裏庭アイコン４４５４及びそのポップアップウィンドウ４４５２は、スクリーン４４５２に触れているユーザによって拡大することができ、それにより、送受話器１０２はフルスクリーン４４７４で表示される、あるいは領域４４５６への接近を実行することにより近づくことができる。
【０２８０】
図４５は、本発明の実施態様４５００の好適な用途の例を示す。この例示的な実施態様は、彼／彼女の送受話器を経て（Ｄｅｖ１０６によって制御されて）彼／彼女の住宅セキュリティシステムを遠隔でプログラムし、制御し、モニタするため、ユーザにより彼／彼女の送受話器で実行される好適なステップを示す。
【０２８１】
プログラム／制御アイコン４３０８（図４３）がユーザによって実行される時、送受話器１０２はスクリーン４５０２にナビゲートされ、送受話器１０２に、Ｄｅｖ１０６へコマンドを送信させて、制御情報を４５０２にそれを表示する送受話器１０２へ送り返す。この特徴によって、ユーザはキーボードコントロールキー４５０６又はキーパッドコントロールキー４５３６を使用することができるので；キーボード４５０８又はキーパッド４５４６が、住宅セキュリティ機能のためにＤｅｖ１０６を制御しプログラムするように使うことができる。スクリーン４５０２は、住宅セキュリティシステムがオフであり、準備できていない４５０４ことを示す。ユーザは、プログラムアイコン４５４８を押すことによってより多くのことを知ることができ、それにより、Ｄｅｖ１０６から戻った情報を得た後、送受話器１０２に理由「主寝室が...開いている」４５３４と表示させる。ユーザが回避アイコン（コマンド）４５６８を選ぶ時、Ｄｅｖ１０６は主寝室エントリを回避することができ、送受話器１０２に回避選択４５６４を表示させて、主寝室を回避するために送受話器１０２にＤｅｖ１０６へコマンドに送信させるようボックス４５６６が選ばれる。ユーザは最後に、カメラモーション警告アイコン４５７０及び警告不在起動アイコン４５７４を選ぶことによって、彼／彼女の送受話器１０２を用いてアラームをオンにすることができ、送受話器１０２に、アラーム、更にカメラモーション検出４５８２がオンであり不在である（すべての内部の運動検出がオンである）ことを示すスクリーン４５８０へナビゲートさせる。ユーザは、オフアイコン４５５６又はオン／オフアイコン１３３６／１３３８（図１３）を使用することにより常に解除する（アラームをオフにする）ことができる。カメラモーション警告アイコン４５７０は（使用可能である場合）、カメラ／映像入力３１２（図３）に変化があった時にユーザに警告し、一方でカメラモーション音声アイコン４５７２は、ユーザに、潜在的な侵入者を追い払う音をたてさせる。Ｄｅｖ１０６は、住宅（図４７に示すように）の外側の活動を警告するため、ユーザの送受話器１０２にメッセージ及びカメラ入力の変化の映像４５７０を送信する。カメラモーション警告４５７０は、運搬車が配達をする、庭師が手入れをする、あるいは隣人が郵便を受け取っている時を所有者が知りたい場合に使われ、一方でカメラモーション音声４５７２は、家族がいない間不必要な来客を保留するように音をたてる。
【０２８２】
図４６は、本発明の実施態様４６００の好適な例を示す。この例示的な実施態様は、予想外あるいは未許可の出来事が彼／彼女の家に起こった時に彼／彼女の送受話器でユーザが警告を受信する好適なスクリーン表示を示す。
【０２８３】
送受話器１０２はスクリーン４６０２にナビゲートされ、ユーザにＤｅｖ１０６からメッセージ及び警告情報データをインボックス４６０６へ知らせる。ユーザはスクリーンツール４６１２にスクロールして、スクリーン４６２２の住宅警告でＤｅｖ１０６からの情報を見つけるためにセキュリティ住宅４６１４を選ぶ。住宅警告アイコン４６２４がユーザによって実行される時、送受話器は、Ｄｅｖ１０６がちょうど送信した出来事情報、とりわけ警告メッセージ４６０６を含むスクリーンに４６３２にナビゲートされる。図は、ＢＲ２（ベッドルーム２）４６３８に侵入が起こり、ホール及びＬＲ（リビングルーム）運動検出器４６４０もそれを検出したところを示すものである。スクリーン４６５２は、時間及び日付を詳細設定してＢＲ２アイコン４６３８が選ばれる時のポップアップアイコン４６５６を示す。スクリーン４６６０は、警告が鳴る時間４６６８及び警告のメッセージを送る電話番号（４６７２）を詳細設定して、ＳＰＫ１又はＳＰＫ２アイコン４６４２が選ばれる時のポップアップアイコン４６６４を示す。
【０２８４】
図４７は、本発明の実施態様４７００の好適な例を示す。この例示的な実施態様は、映像カメラが彼／彼女住宅周辺で変化を検出した時、彼／彼女送受話器でユーザが警告を受信する好適なスクリーン表示を示す。
【０２８５】
送受話器１０２はスクリーン４７１０にナビゲートされ、ユーザにＤｅｖ１０６からメッセージ４７１２及び警告情報データ（映像）４７２２をインボックス４７２０へ知らせる。ユーザは、スクリーン４７３０（２０１３年６月１４日午前１０時２３分に撮られた）から目標物４７４４（２０１３年６月１４日午前１０時２４分に撮られた）４７４２を有するスクリーン４７４０へユーザが操作／スクロールする時のスクリーン変化を示すいくつかのカメラショットを含む住宅アイコン４７２４を実行することによって発見する。これにより、ユーザが、図４５で前もって使用可能にされるようにカメラモーション警告アイコン４５７０でアラームをオンにする時、警告が生じるようになる。
【０２８６】
図４８及び４９は、本発明の実施態様４８００及び４９００の好適な用途の例を示す。この例示的な実施態様は、Ｄｅｖの住宅制御及びモニタシステムに家庭用器具／設備を追加するため、ユーザにより彼／彼女の送受話器で実行される好適なステップを示し、一方で、例示的な実施態様４９００はＳＲＣネットワーク（Ｗｉ−Ｆｉを除く）内におけるこれらの装置との通信作用を示す。
【０２８７】
ユーザは、家庭用器具アイコン１３４４（図１３）を実行し、彼／彼女の送受話器１０２に、Ｄｅｖ１０６へコマンドを送信させ、コマンドを処理し、そのスクリーン４８０２に示すように家庭用器具メニュー表示する応答を送受話器１０２に送り返す。家庭用器具メニュー４８０４によって、使用中でない時、彼／彼女が在宅中あるいは家から離れている時、ユーザは彼／彼女が送受話器１０２を用いて遠隔で制御するよう家庭用器具／設備又はアクセサリを追加する（４８０６）あるいは、それらを削除する４８０８ことができる。
【０２８８】
ユーザは、器具追加アイコン４８０６を実行し、送受話器１０２に、Ｄｅｖ１０６へコマンドを送信させ、それを処理し、スクリーン４８１０に見られる器具／設備に送り返す。この特徴により、送受話器１０２は、家庭用器具発見スクリーン４８３０に示すように適切なボックスを選んでチェックすることによって、無視する４８２８、あるいは、エントリドアロック４８１４、ヘルプアラート４８１６、暖房及び空気調節４８１８、ケーブルボックス４８２０、ガレージオープナ４８２２、芝生スプリンクラ４８２４、電気メータ４８２６、そしてドアベル及びインターコム４８２７に接続する４８２９よう、Ｄｅｖ１０６にコマンドを与えることができる。ユーザは、Ｅｘｅアイコン４８４８を実行し、送受話器１０２に、Ｄｅｖ１０６へコマンドを送信させ、それを処理し、器具から家庭用器具スクリーン４８５０に示すように、対応するソフトウェアアプリケーション：ドアロック４８５４、ヘルプアラート４８５６、暖房及び空気調節４８５８、ケーブルボックス／ＴＶ４８６０、ガレージオープナ４８６２、スプリンクラコントローラ４８６４、電気メータ４８６６、そしてドアベル及びインターコム４８６８を送り返す。ユーザはそれから、スクリーン４８５１として示される、送受話器１０２をスクリーン４８０２へ戻るようにナビゲートさせる完了アイコン４８６８aを実行する。スクリーン４８５１において、家庭用器具メニュー４８５３は、新しく追加される８つの家庭用器具制御アイコン：ドアロック４８５９、ヘルプアラート４８６１、暖房／空気調節４８６３、ケーブルボックス／ＴＶ４８６５、ガレージオープナ４８６７、スプリンクラコントローラ４８６９、電気メータ４８７１、そしてドアベル及びインターコム４８７３を含む。ドアロック１３３２、解錠１３３４及びガレージオープナアイコン１３４０はまた、Ｄｅｖの住宅アプリ６０４によって住宅アプリメニュー１３２２へコピーされ、彼／彼女が機能を使用する必要がある時、ユーザがナビゲートするのに便利になる（より少ないスクリーンのステップで済む）。
【０２８９】
チャート図４８７０及び図４９は、送受話器１０２、Ｄｅｖ１０６及びすべての器具‐ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、そしてドアベル及びインターコム４８８６（その他、例えば：水道メータ、加熱及び料理用ガスメータ）の間の相互作用を示す。図は、送受話器１０２から家庭用器具接続コマンドを受信した後、及び、ユーザがスクリーン４８３０に示す特徴を実行した後、Ｄｅｖ１０６が送受話器１０２と通信する時のステップ４８８１から始まる。
【０２９０】
Ｄｅｖ１０６は、（図４９の通信リンク／媒体４８８３としても示される）ドアロックステップ４８８３で接続し通信して、そのソフトウェアアプリケーションステップ４８８３Ａを受信し、それにより、Ｄｅｖ１０６はまた、アイコン４８５４（ＤＡ）の形で示される送受話器ステップ４８８３Ｂにそのコピーを送る。
【０２９１】
Ｄｅｖ１０６は、（図４９の通信リンク／媒体４８８５としても示される）ヘルプアラートステップ４８８５で接続し通信して、そのソフトウェアアプリケーションステップ４８８５Ａを受信し、それにより、Ｄｅｖ１０６はまた、アイコン４８５６（ＨＡ）の形で示される送受話器ステップ４８８５Ｂにそのコピーを送る。
【０２９２】
Ｄｅｖ１０６は、（図４９の通信リンク／媒体４８８７としても示される）空気調節／暖房ステップ４８８７で接続し通信して、そのソフトウェアアプリケーションステップ４８８７Ａを受信し、それにより、Ｄｅｖ１０６はまた、アイコン４８５８（ＡＡ）の形で示される送受話器ステップ４８８７Ｂにそのコピーを送る。
【０２９３】
Ｄｅｖ１０６は、（図４９の通信リンク／媒体４８８９としても示される）ケーブルボックス／ＴＶステップ４８８９で接続し通信して、そのソフトウェアアプリケーションステップ４８８９Ａを受信し、それにより、Ｄｅｖ１０６はまた、アイコン４８６０（ＣＡ）の形で示される送受話器ステップ４８８９Ｂにそのコピーを送る。
【０２９４】
Ｄｅｖ１０６は、（図４９の通信リンク／媒体４８９１としても示される）ガレージオープナステップ４８９１で接続し通信して、そのソフトウェアアプリケーションステップ４８９１Ａを受信し、それにより、Ｄｅｖ１０６はまた、アイコン４８６２（ＧＡ）の形で示される送受話器ステップ４８９１Ｂにそのコピーを送る。
【０２９５】
Ｄｅｖ１０６は、（図４９の通信リンク／媒体４８９３としても示される）スプリンクラステップ４８９３で接続し通信して、そのソフトウェアアプリケーションステップ４８９３Ａを受信し、それにより、Ｄｅｖ１０６はまた、アイコン４８６４（ＳＡ）の形で示される送受話器ステップ４８９３Ｂにそのコピーを送る。
【０２９６】
Ｄｅｖ１０６は、（図４９の通信リンク／媒体４８９５としても示される）電気メータステップ４８９５で接続し通信して、そのソフトウェアアプリケーションステップ４８９５Ａを受信し、それにより、Ｄｅｖ１０６はまた、アイコン４８６６（ＥＡ）の形で示される送受話器ステップ４８９５Ｂにそのコピーを送る。
【０２９７】
電気メータ４８８４は、無線装置との通信において、更にＤｅｖの家庭用器具発見段階（スクリーン４８１０に図示せず）の間、埋め込み式であるあるいは識別子（例えばシリアル番号、位置アドレス）を備えていることが好ましく、それにより、彼／彼女の隣人とユーザを識別することができる。
【０２９８】
Ｄｅｖ１０６は、（図４９の通信リンク／媒体４８９７としても示される）ドアベル及びインターコムステップ４８９７で接続し通信して、そのソフトウェアアプリケーションステップ４８９７Ａを受信し、それにより、Ｄｅｖ１０６はまた、アイコン４８６８（ＢＡ）の形で示される送受話器ステップ４８９７Ｂにそのコピーを送る。
【０２９９】
この場合、Ｄｅｖ１０６及び器具（ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、そしてドアベル及びインターコム４８８６）間の通信媒体は、ＳＲＣ（狭域通信）ネットワーク１０４であり；一方で、Ｄｅｖ１０６及び送受話器１０２間の通信は、ＳＲＣ又は携帯電話ネットワーク１１８のいずれであってもよい。
【０３００】
あるいは、Ｄｅｖ１０６及び送受話器１０２に（グラフ４８７０で）家庭用器具から前もって送信された、アイコンのようなソフトウェアアプリケーション：ＤＡ４８５４、ＨＡ４８５６、ＡＡ４８５８、ＣＡ４８６０、ＧＡ４８６２、ＳＡ４８６４、ＥＡ４８６６及びＢＡ４８６８は好ましくは、ＵＲＬ（アプリダウンロードアドレス・リンク又はハイパーリンク）であってもよく、ユーザは、彼／彼女の送受話器１０２に適切なオンラインアプリケーションをダウンロードするためにそれを使用して、それからＤｅｖ１０６へそれらを送信する。
【０３０１】
ユーザはまた、送受話器ディスプレイスクリーン４８０２／４８５１上のアプリダウンロードアイコン４８０９／４８７５を用いて住宅アプリケーションをオンラインでダウンロードすることができる。
【０３０２】
同様に、同一のステップが好ましくは、Ｄｅｖ１０６を経て送受話器によって、一体化されたスマートペットドア（そのドア６１９０、スピーカ６１９２及びカメラ６１９４）、そして、複数の他の家庭用器具／設備に適用され、器具／設備を発見し接続して、これらの装置からアプリケーション又はハイパーリンクを受信する。送受話器ユーザは、彼／彼女の送受話器１０２を経てこれらの家庭用器具／設備プログラムし、制御し、モニタすることができる。
【０３０３】
図５０及び５１は、本発明の実施態様５０００及び５１００の好適な用途の例を示す。例示的な実施態様５１００は、Ｄｅｖの住宅制御及びモニタシステムに家庭用器具／設備を追加するため、ユーザにより彼／彼女の送受話器で実行される好適なステップを示し、一方で、例示的な実施態様５１００はＷｉ−Ｆｉネットワーク内におけるこれらの装置との通信作用を示す。
【０３０４】
ユーザは、家庭用器具アイコン１３４４（図１３）を実行し、彼／彼女の送受話器１０２に、Ｄｅｖ１０６へコマンドを送信させ、コマンドを処理し、そのスクリーン５００２に示すように家庭用器具メニュー表示する応答を送受話器１０２に送り返す。家庭用器具メニュー５００４によって、使用中でない時、彼／彼女が在宅中あるいは家から離れている時、ユーザは彼／彼女が送受話器１０２を用いて遠隔で制御するよう家庭用器具／設備又はアクセサリを追加する５００６あるいは、それらを削除する５００８ことができる。
【０３０５】
ユーザは、器具追加アイコン５００６を実行し、送受話器１０２に、Ｄｅｖ１０６へコマンドを送信させ、それを処理し、スクリーン５０１０に見られる器具／設備に送り返す。この特徴により、送受話器１０２は、家庭用器具発見スクリーン５０３０に示すように適切なボックスを選んでチェックすることによって、無視する５０２８、あるいは、エントリドアロック５０１４、ヘルプアラート５０１６、暖房及び空気調節５０１８、ケーブルボックス５０２０、ガレージオープナ５０２２、芝生スプリンクラ５０２４、電気メータ５０２６、そしてドアベル及びインターコム５０２７に接続する５０２９よう、Ｄｅｖ１０６にコマンドを与えることができる。ユーザは、Ｅｘｅアイコン５０４８を実行し、送受話器１０２に、Ｄｅｖ１０６へコマンドを送信させ、それを処理し、器具から家庭用器具スクリーン５０５０に示すように、対応するソフトウェアアプリケーション：ドアロック５０５４、ヘルプアラート５８５６、暖房及び空気調節５０５８、ケーブルボックス／ＴＶ５０６０、ガレージオープナ５０６２、スプリンクラコントローラ５０６４、電気メータ５０６６、そしてドアベル及びインターコム５０６８を送り返す。ユーザはそれから、スクリーン５０５１として示される、送受話器１０２をスクリーン５００２へ戻るようにナビゲートさせる完了アイコン５０６８aを実行する。スクリーン５０５１において、家庭用器具メニュー５０５３は、新しく追加される８つの家庭用器具制御アイコン：ドアロック５０５９、ヘルプアラート５０６１、暖房／空気調節５０６３、ケーブルボックス／ＴＶ５０６５、ガレージオープナ５０６７、スプリンクラコントローラ５０６９、電気メータ５０７１、そしてドアベル及びインターコム５０７３を含む。ドアロック１３３２、解錠１３３４及びガレージオープナアイコン１３４０はまた、Ｄｅｖの住宅アプリ６０４によって住宅アプリメニュー１３２２へコピーされ、彼／彼女が機能を使用する必要がある時、ユーザがナビゲートするのに便利になる（より少ないスクリーンのステップで済む）。
【０３０６】
チャート図５０７０及び図５１は、送受話器１０２、Ｄｅｖ１０６及びすべての器具‐ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、そしてドアベル及びインターコム４８８６（その他、例えば：水道メータ、加熱及び料理用ガスメータ）の間の相互作用を示す。図は、送受話器１０２から家庭用器具接続コマンドを受信した後、及び、ユーザがスクリーン５０３０に示す特徴を実行した後、Ｄｅｖ１０６が送受話器１０２と通信する時のステップ５０８１から始まる。
【０３０７】
Ｄｅｖ１０６は、（図５１の通信リンク／媒体５０８３としても示される）ドアロックステップ５０８３で接続し通信して、そのソフトウェアアプリケーションステップ５０８３Ａを受信し、それにより、Ｄｅｖ１０６はまた、アイコン５０５４（ＤＡ）の形で示される送受話器ステップ５０８３Ｂにそのコピーを送る。
【０３０８】
Ｄｅｖ１０６は、（図５１の通信リンク／媒体５０８５としても示される）ヘルプアラートステップ５０８５で接続し通信して、そのソフトウェアアプリケーションステップ５０８５Ａを受信し、それにより、Ｄｅｖ１０６はまた、アイコン５０５６（ＨＡ）の形で示される送受話器ステップ４８８５Ｂにそのコピーを送る。
【０３０９】
Ｄｅｖ１０６は、（図５１の通信リンク／媒体５０８７としても示される）空気調節／暖房ステップ５０８７で接続し通信して、そのソフトウェアアプリケーションステップ５０８７Ａを受信し、それにより、Ｄｅｖ１０６はまた、アイコン５０５８（ＡＡ）の形で示される送受話器ステップ５０８７Ｂにそのコピーを送る。
【０３１０】
Ｄｅｖ１０６は、（図５１の通信リンク／媒体５０８９としても示される）ケーブルボックス／ＴＶステップ５０８９で接続し通信して、そのソフトウェアアプリケーションステップ５０８９Ａを受信し、それにより、Ｄｅｖ１０６はまた、アイコン５０６０（ＣＡ）の形で示される送受話器ステップ５０８９Ｂにそのコピーを送る。
【０３１１】
Ｄｅｖ１０６は、（図５１の通信リンク／媒体５０９１としても示される）ガレージオープナステップ５０９１で接続し通信して、そのソフトウェアアプリケーションステップ５０９１Ａを受信し、それにより、Ｄｅｖ１０６はまた、アイコン５０６２（ＧＡ）の形で示される送受話器ステップ５０９１Ｂにそのコピーを送る。
【０３１２】
Ｄｅｖ１０６は、（図５１の通信リンク／媒体５０９３としても示される）スプリンクラステップ５０９３で接続し通信して、そのソフトウェアアプリケーションステップ５０９３Ａを受信し、それにより、Ｄｅｖ１０６はまた、アイコン５０６４（ＳＡ）の形で示される送受話器ステップ５０９３Ｂにそのコピーを送る。
【０３１３】
Ｄｅｖ１０６は、（図５１の通信リンク／媒体５０９５としても示される）電気メータステップ５０９５で接続し通信して、そのソフトウェアアプリケーションステップ５０９５Ａを受信し、それにより、Ｄｅｖ１０６はまた、アイコン５０６６（ＥＡ）の形で示される送受話器ステップ５０９５Ｂにそのコピーを送る。
【０３１４】
電気メータ４８８４は、無線装置との通信において、更にＤｅｖの家庭用器具発見段階（スクリーン５１１０に図示せず）の間、埋め込み式であるあるいは識別子（例えばシリアル番号、位置アドレス）を備えていることが好ましく、それにより、彼／彼女の隣人とユーザを識別することができる。
【０３１５】
Ｄｅｖ１０６は、（図５１の通信リンク／媒体５０９７としても示される）ドアベル及びインターコムステップ５０９７で接続し通信して、そのソフトウェアアプリケーションステップ５０９７Ａを受信し、それにより、Ｄｅｖ１０６はまた、アイコン５０６８（ＢＡ）の形で示される送受話器ステップ５０９７Ｂにそのコピーを送る。
【０３１６】
この場合、Ｄｅｖ１０６及び器具（ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、そしてドアベル及びインターコム４８８６）間の通信媒体は、Ｗｉ−Ｆｉ（有線／無線ＬＡＮ）ネットワーク１０４であり、一方で、Ｄｅｖ１０６及び送受話器１０２間の通信は、ＳＲＣ又は携帯電話ネットワーク１１８のいずれであってもよい。
【０３１７】
あるいは、Ｄｅｖ１０６及び送受話器１０２に（グラフ５０７０で）家庭用器具から前もって送信された、アイコンのようなソフトウェアアプリケーション：ＤＡ５０５４、ＨＡ５０５６、ＡＡ５０５８、ＣＡ５０６０、ＧＡ５０６２、ＳＡ５０６４、ＥＡ５０６６及びＢＡ５０６８は好ましくは、ＵＲＬ（アプリダウンロードアドレス・リンク又はハイパーリンク）であってもよく、ユーザは、彼／彼女の送受話器１０２に適切なオンラインアプリケーションをダウンロードするためにそれを使用して、それからＤｅｖ１０６へそれらを送信する。
【０３１８】
ユーザはまた、送受話器ディスプレイスクリーン５００２／５０５１上のアプリダウンロードアイコン５００９／５０７５を用いて住宅アプリケーションをオンラインでダウンロードすることができる。
【０３１９】
同様に、同一のステップが好ましくは、Ｄｅｖ１０６を経て送受話器によって、一体化されたスマートペットドア（そのドア６１９０、スピーカ６１９２及びカメラ６１９４）、そして、複数の他の家庭用器具／設備に適用され、器具／設備を発見し接続して、これらの装置からアプリケーション又はハイパーリンクを受信する。送受話器ユーザは、彼／彼女の送受話器１０２を経てこれらの家庭用器具／設備プログラムし、制御し、モニタすることができる。
【０３２０】
図５２は、本発明の実施態様５２００の好適な用途の例を示す。この例示的な実施態様は、Ｄｅｖの住宅制御及びモニタシステムに家庭用器具／設備を削除するため、ユーザにより彼／彼女の送受話器で実行される好適なステップを示す。
【０３２１】
この特徴により、ユーザは、器具削除アイコン５０５７を強調して選び、送受話器１０２はスクリーン住宅装置除去５２０２へナビゲートされて、メニューから器具装置を削除することができる。ユーザは：ドアロック５２０６、ヘルプアラート５２０８、暖房／空気調節 ５２１０、ケーブルボックス５２１２、ガレージドアオープナ５２１４、スプリンクラ５２１６、電気メータ５２１８、そして、ドアベル及びインターコム５２２０のような適切な削除するボックスをスクリーンタッチすることで、削除する装置を選ぶことができる。送受話器スクリーン「住宅装置除去」５２３０は、装置＃６‐削除されるのに選ばれているスプリンクラ５２４４（Ｔｏｒｏ‐３５６）を示している。ユーザがＥｘｅアイコン５２５０を実行すると、送受話器１０２はＤｅｖ１０６へコマンドを送信して、Ｄｅｖの完了応答を待つ。送受話器１０２がＤｅｖ１０６から戻る応答を受信する時、それは、芝生スプリンクラ（アプリケーションソフトウェア）がＤｅｖ１０６から削除されたことを意味する。送受話器１０２は、そのメモリからスプリンクラアプリケーションソフトウェアを削除する。家庭用器具メニュー５２８２は、スプリンクラがもはや住宅装置としてリストされていないような更新された内容を示す。（送受話器ソフトウエアは、Ｄｅｖ１０６がその除去機能を完了するまで好ましくは装置ソフトウェアアプリケーションを削除しない‐したがって、アプリケーションソフトウェアの部分的な削除を防ぎ、Ｄｅｖ１０６及び送受話器１０２間の同期を維持する）。
【０３２２】
図５３は、本発明の実施態様５３００の好適な用途の例を示す。例示的な実施態様５３００は、送受話器及びＤｅｖがＳＲＣネットワーク（Ｗｉ-Ｆｉを除く）内で家庭用器具／設備と通信する時の通信作用を示す。
【０３２３】
図は、ユーザが在宅している時の送受話器１０２、Ｄｅｖ１０６及び、ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、ドアベル及びインターコム４８８６、（更に一体化されたスマートペットドア６１９０、そのスピーカ６１９２及びそのカメラ６１９４、そして示されないアプリをサポートする他の複数の装置）のような様々な家庭用器具／設備間の相互作用を示すものである。Ｄｅｖ１０６及び送受話器１０２は、ＳＲＣ ５３０３を経て互いに検出し通信し、したがって、送受話器１０２もすべての上記の家庭用器具と直接通信し、ＳＲＣ媒体を経て：ドアロック５３０４、ヘルプアラート５３０６、空気調節／暖房５３０８、ケーブルボックス／TV５３１０、ガレージオープナ５３１２、スプリンクラ５３１４、電気メータ５３１６、そしてドアベル及びインターコム５３１８を制御して、一方で（前もって）Ｄｅｖ１０６は、ドアロック４８８３、ヘルプアラート４８８５、空気調節／暖房４８８７、ケーブルボックス／ＴＶ４８８９、ガレージオープナ４８９１、スプリンクラ４８９３、電気メータ４８９５、そしてドアベル及びインターコム４８９７（図４８、４９及び５３）とも通信する。
【０３２４】
図５４は、本発明の実施態様５４００の好適な用途の例を示す。例示的な実施態様５４００は、送受話器のみがＳＲＣネットワーク（Ｗｉ-Ｆｉを除く）内で家庭用器具／設備と能動的に通信する時の通信作用を示す。
【０３２５】
図は、ユーザが在宅している時の送受話器１０２、及び、ドアロック４８７２、ヘルプアラート４８７４、空気調節／暖房４８７６、ケーブルボックス／ＴＶ４８７８、ガレージオープナ４８８０、スプリンクラ４８８２、電気メータ４８８４、ドアベル及びインターコム４８８６、（そして示されないソフトウエアをサポートする他の複数の装置）のような様々な家庭用器具／設備間の相互作用を示すものである。Ｄｅｖ１０６及び送受話器１０２は、ＳＲＣ５３０３を経て互いに検出し通信するが、そのＳＲＣ媒体内で送受話器の存在を検出するので、Ｄｅｖ１０６は家庭用器具との通信を中断する。Ｄｅｖ１０６は、それがコマンドの対応している家庭用器具からの応答がないのを検出する場合、送受話器１０２からのコマンドに反応するだけである。
【０３２６】
図５５Ａは、本発明の実施態様５５００Ａの好適な例を示す。この例示的な実施態様は、Ｄｅｖの住宅制御及びモニタシステムのケーブルボックス／ＴＶをプログラムし、制御し、記録して、見るため、ユーザにより彼／彼女の送受話器で実行される好適なステップを示す。
【０３２７】
家庭用器具メニュー４８５１／５０５１（図４８／５０）のケーブルボックス／ＴＶアイコン４８６５／５０６５が実行される時、送受話器１０２は、Ｄｅｖ１０６にコマンドを送信し、Ｄｅｖ１０６はそのコマンドを処理し、それをケーブル／衛星テレビ４８７８（図４８）へ送り、ケーブル／衛星テレビ４８７８から応答を受信して、その応答を処理し、そのスクリーン５５０２に示されるように情報を表示する送受話器１０２に戻す。
【０３２８】
リモートコントロール５５１６及びチャンネルサーフィングスクリーン５５０４は、１つのコピーをＤｅｖ１０６に、そしてもう１つを送受話器１０２にケーブル／衛星テレビ４８７８から送信された（又はウェブからダウンロードされた）図４８／５０のＣＡソフトウエア４８６０／５０６０によって制御される。５５０４及び５５１６のあらゆる選択（アイコンが強調される／スクリーンボタンに触れる）により、送受話器１０２は、Ｄｅｖ１０６へコマンドを送信し、Ｄｅｖ１０６はケーブル／衛星テレビ４８７８にそれらを送信して、応答が必要な場合は、Ｄｅｖ１０６を経て、スクリーン５５０２上にそれを表示する送受話器１０２にケーブル／衛星テレビ４８７８から返信される。チャンネル４ＫＹＯＮのニュース（ニュース・アイコン５５１０）は、示すようにそれに触れる、あるいは強調してＯＫアイコン５５２０を触れることによりスクリーンで見ることができる。
【０３２９】
記録アイコン５５１８が選ばれる時、送受話器１０２は、Ｄｅｖ１０６を経てケーブル／人工衛星ＴＶ４８７８にコマンドを送信し、Ｄｅｖ１０６は、記録されたプログラムとしてそれを表示する（スクリーン５５３０）送受話器１０２へケーブル／衛星テレビ４８７８から応答を返す。その瞬間に必要がないため、リモートコントロール５５１８はサイズ減少５５１８Ａされる。ユーザは、動作メニュー５５３８でそれを強調してプレーアイコン５５４０を選ぶ（実行している）ことで示されるＣｏｐｓアイコン５５３６のような記録されたプログラムを見ることができる。
【０３３０】
図５５Ｂは、本発明の実施態様５５００Ｂの好適な例を示す。この例示的な実施態様は、Ｄｅｖの住宅制御及びモニタシステムのガレージオープナを開閉するため、ユーザにより彼／彼女の送受話器で実行される好適なステップを示す。
【０３３１】
ユーザが１秒以上（送受話器１０２のスクリーンが変わるまで）送受話器のガレージオープナアイコン４８６７／５０６７を長押しして選択した時、送受話器１０２はスクリーン５５６０にナビゲートされ、ガレージドアオープナ５５６０の状態を遠隔で示す。ユーザは、彼／彼女が住宅から遠く離れている時にガレージを開閉することができ、また、スクリーン５５６２に表示されるようにそれが開閉しているかを知ることができる。
【０３３２】
ボタン制御５５７０及びディスプレイ５５６２は、１つのコピーをＤｅｖ１０６に、そしてもう１つを送受話器１０２にガレージオープナ４８８０から送信された（又はウェブからダウンロードされた）ＧＡソフトウエア（図４８／５０の４８６２／５０６２）によって制御される。
【０３３３】
その一方で、ユーザは、通常のガレージオープナのようにガレージを開閉するためにガレージオープナアイコン４８６７／５０６７にわずかに触れることによって、あるいは、アイコン１３４０を触れることによって、ガレージドア（ＳＲＣを経て近距離で）を開閉することができる。
【０３３４】
図５６Ａは、本発明の実施態様５６００Ａの好適な例を示す。この例示的な実施態様は、Ｄｅｖの住宅制御及びモニタシステムの集中暖房及び空気調節をプログラムし、制御し、見るため、ユーザにより彼／彼女の送受話器で実行される好適なステップを示す。
【０３３５】
家庭用器具メニュー４８５１／５０５１（図４８／５０）の送受話器暖房／空気アイコン４８６３／５０６３が実行される時、送受話器１０２は、Ｄｅｖ１０６にコマンドを送信し、Ｄｅｖ１０６はそのコマンドを処理し、それを暖房／空気システム４８７６（図４８／５０）へ送り、暖房／空気システム４８７６から応答を受信して、その応答を処理し、そのスクリーン５６０２に示されるように情報を表示する送受話器１０２に戻す。
【０３３６】
キーパッド制御５６０６及びディスプレイ状態５６０４は、１つのコピーをＤｅｖ１０６に、そしてもう１つを送受話器１０２に暖房／空気４８７６から送信された（又はウェブからダウンロードされた）図４８／５０のＡＡソフトウエア４８６０／５０６０によって制御される。５６０６（５６０８、５６１０及び５６１２）のあらゆる選択（アイコンが強調される／スクリーンボタンに触れる）により、送受話器１０２は、Ｄｅｖ１０６へコマンドを送信し、Ｄｅｖ１０６は暖房／空気調節器４８７６にそれらを送信して、応答が必要な場合は、Ｄｅｖ１０６を経て、スクリーン５６０２上にそれを表示する送受話器１０２に暖房／空気調節器４８７６から返信される。スクリーン５６０４は、自動モードでＨ／Ａファンがオンであり、住宅が華氏７２度である状態を示す。従来技術の当業者に公知であるように午前１０時から午後６時まで華氏７８度で暖房／空気調節器４８７６をオンにするように、ユーザが（Ｐｒｏｇアイコン５６１４、暖房アイコン５６２０、時間アイコン５６１６、キーパッドアイコン５６１２及び設定アイコン５６１８を調節することによって）暖房装置をプログラムする場合、送受話器１０２はスクリーン５６３０にナビゲートされる。
【０３３７】
図５６Ｂは、本発明の実施態様５６００Ｂの好適な例を示す。この例示的な実施態様は、Ｄｅｖの住宅制御及びモニタシステムの住宅入口を開閉するため、ユーザにより彼／彼女の送受話器で実行される好適なステップを示す。
【０３３８】
家庭用器具４８５１／５０５１（図４８／５０）の送受話器ドアロックアイコン４８５９／５０５９が実行される時、送受話器１０２は、Ｄｅｖ１０６にコマンドを送信し、Ｄｅｖ１０６はそのコマンドを処理し、それをドアロック４８７２（図４８／５０）へ送り、ドアロック４８７２から応答を受信して、その応答を処理し、そのスクリーン５６５０に示されるように情報を表示する送受話器１０２に戻す。
【０３３９】
スクリーン５６５０は、アイコン５６５６が触れられた時のドアロックの状態に示すものである；それは、解錠（メッセージ５６５４）とロック（メッセージ５６６４）とに切り替わる。スクリーンタッチ制御アイコン５６５６／５６６６及びディスプレイスクリーン５６５２／５６６２は、１つのコピーをＤｅｖ１０６に、そしてもう１つを送受話器１０２にドアロック４８７２から送信された（又はウェブからダウンロードされた）図４８／５０のＤＡソフトウエア４８５４／５０５４によって制御される。
【０３４０】
図５７は、本発明の実施態様５７００の好適な例を示す。この例示的な実施態様は、Ｄｅｖの住宅制御及びモニタシステムの屋内の／屋外の散水制御をプログラムし、セットアップし、見るため、ユーザにより彼／彼女の送受話器で実行される好適なステップを示す。
【０３４１】
家庭用器具４８５１／５０５１（図４８／５０）の送受話器スプリンクラアイコン４８６９／５０６９が実行される時、送受話器１０２は、Ｄｅｖ１０６にコマンドを送信し、Ｄｅｖ１０６はそのコマンドを処理し、それをスプリンクラ４８８２（図４８／５０）へ送り、スプリンクラ４８８２から応答を受信して、その応答を処理し、そのスクリーン５７０２に示されるように情報を表示する送受話器１０２に戻す。
【０３４２】
キーパッド制御５７０６及びディスプレイ５７０４は、１つのコピーをＤｅｖ１０６に、そしてもう１つを送受話器１０２にスプリンクラ４８８２から送信された（又はウェブからダウンロードされた）図４８／５０のＳＡソフトウエア４８６０／５０６０によって制御される。５７０６（５７０８、５７１０及び５７１２）のあらゆる選択（アイコンが強調される／スクリーンボタンに触れる）により、送受話器１０２は、Ｄｅｖ１０６へコマンドを送信し、Ｄｅｖ１０６は芝生スプリンクラコントローラ４８８２にそれらを送信して、応答が必要な場合は、Ｄｅｖ１０６を経て、スクリーン５７０２上に現れる送受話器１０２に芝生スプリンクラコントローラ４８８２から返信される。ユーザが、スプリンクラーシステムを午前８時に６０分の持続期間でオンになるように、月曜日、水曜日及び金曜日５７５２にスクリーン５７５０に；そして位置１、２及び３（スクリーン５７７２）のためスクリーン５７７０にプログラムする場合、送受話器１０２はスクリーン５７３０にナビゲートされる。
【０３４３】
図５８及び５９は、本発明の実施態様５８００及び５９００の好適な例を示す。この例示的な実施態様は、支払いアカウントをセットアップし、メータ記録を見て、Ｄｅｖの住宅制御及びモニタシステムの電気メータをプログラムするため、ユーザにより彼／彼女の送受話器で実行される好適なステップを示す。
【０３４４】
ユーザが家庭用器具４８５１／５０５１の電気メータアイコン４８７１／５０７１を実行すると、送受話器１０２は、そのスクリーン５８０２に表示されるように電気メータメニュー５８０４にナビゲートされる。電気メータメニュー５８０４は、プログラムされるとＤｅｖ１０６、送受話器１０２、電気メータ４８８４及び電力会社５９８２間の相互作用が可能になるアカウントセットアップ５８１０を含む。ユーザは送受話器１０２を用いて、電気請求書をオンラインで支払うことができる、あるいは電力会社５９８２は毎月、自動的に代金を受け取る。メータ記録５８０６及びアカウント支払い５８０８により、ユーザは現在の電気メータ記録及び過去のアカウントの請求（スクリーン５９５４）を見ることができる。支払いオンラインアイコン５８１２によりユーザは未払いのアカウントを支払うことができ、毎月の使用ｉｎｆ.アイコン５８１４によりユーザは過去のアカウント使用活動５８２２を見ることができる。
【０３４５】
ユーザは、アカウントセットアップアイコン５８１０を選び、送受話器１０２は  アカウントアプリケーションセットアップ５８２２を示すスクリーン５８２０にナビゲートされる。ユーザは、ユーザの名前５８２６、アドレス５８２８、送受話器電話番号５８３０及び電力会社のウェブアドレス５８３２を記入する必要がある（電力会社のウェブアドレス５８３２は、好ましくは予め図４８／５０の電気メータアプリケーションＥＡ４８６６／５０６６により予め記載されるが；別途、ユーザは会社から電話、テキストメッセージ、ダウンロード又は他の手段で得ることができる）。送受話器スクリーン５８２０aは、送受話器１０２に電力会社５９８２へ情報５８２４ａを送信させる（ステップ５９８４、フロー図５９８０にも示すように）Ｅｘｅアイコン５８３４aを実行するユーザによって記入される必要がある情報を示す。電力会社５９８２はアプリケーションデータを処理し、送受話器スクリーン５８４０に示すように部分的に記入されたアカウント支払いセットアップ情報５８４４をユーザの送受話器１０２に送り返す（ステップ５９８５）。ウィンドウ５８４４は、電力会社名５８４６、ユーザ／顧客割り当てアカウント番号５８４８、電気メータシリアル番号 ５８５０（各々のメータが電気使用量を測定するために用いられ、その対応する住居／勤務先の住所に紐付けられるので、シリアル番号又は識別番号。アパート又は高層住宅のように複数の装置が近接している可能性があるので、この番号はＤｅｖとの通信の間装置を識別するものである）及び、電力会社支払いウェブアドレス（ＵＲＬ）５８５２を示す。
【０３４６】
フィールド５８４４はまた、（スクリーン５８２０ａに前もって記入されている）顧客の名前、住所、電話番号５８５４及び５８５６を示す。ユーザは、銀行名５８５８、支払人の銀行口座番号５８６０及び支払いの種類５８６２のような残りの情報を記入する。ユーザが、自動支払いアイコン５８６３ａのチェックを外してスクリーン５８４０aで示すように仕上げて、Ｅｘｅアイコン５８６４実行する場合、送受話器１０２は、フィールド５８４４aに示すように電力会社５９８２に情報を返信する（ステップ５９８６）。送受話器１０２も、ステップ５９８７に示すようにＤｅｖ１０６にそのコピー５８４４aを送信して、Ｄｅｖ１０６は、それが正しい装置と通信し読み込んでいると確認するためシリアル番号５８５０aを用いてステップ５９８８に示すように電気メータ４８８４と通信する。Ｄｅｖ１０６はまた、電力会社５９８２のアカウント支払い部署に月の電気記録を送るために電力会社ＵＲＬ５８５２aを使用する。自動車支払いボックス５８６３（チェックされた）により、ユーザは毎月自動的に支払いをすることができる。
【０３４７】
各月（ＲＴＣ２４０から読み取り）の最初に、Ｄｅｖ１０６は電気メータ４８８４と通信して電気使用量を読み取り（ステップ５９９０）、ステップ５９９１に示すように記録情報５９２０（スクリーン５９０２）を電力会社５９８２に送信する。電力会社５９８２はそれを処理し、スクリーン５９２２に示すように請求書５９２４をユーザの送受話器１０２に送信する（ステップ５９９２）。フィールド５９２６は、ユーザの毎月の電気使用量５９３６及び月５９４０の必要な支払い５９３８の概略を示す。フィールド５９２６はまた、支払い情報がファイル５９４２（電力会社データベースサーバへのＵＲＬリンク）にあることを示し、支払い情報に変化がある場合、編集する５９５０ことができる。支払い情報はまた、支払いオンラインアイコン５９４６にハイパーリンクされていて、ユーザにより実行される時、送受話器１０２に、情報（ステップ５９９３）を電力会社５９８２に送信させ、支払い情報スクリーン５９５４が返信される（ステップ５９９４）。ユーザは、送受話器に支払いコマンドを送信させ、電力会社５９８２からインボックスへの確認５９７０の受信（ステップ５９９５）を実行５９６８して支払いをすることができる。
【０３４８】
アプリケーションソフトウェアにより、Ｄｅｖ１０６は電気メータ４８８４と通信することができ、送受話器１０２は図４８／５０で、１つのコピーをＤｅｖ１０６に、そしてもう１つを送受話器１０２に電気メータ４８８４から送信された（あるいは、ＵＲＬが電気メータ４８８４によって提供されたアプリサーバからダウンロードされた）ＥＡソフトウエア４８６６／５０６６によって制御される。
【０３４９】
この実施態様はまた、同様に水道メータ、調理及び加熱ガスメータなどに適用可能である。
【０３５０】
図６０Ａは、本発明の実施態様６０００Ａの好適な起動例を示す。この例示的な実施態様は、Ｄｅｖの家庭用器具システムを経て遠隔でヘルプアラート着用者をモニタして着用者と話すため、ユーザにより彼／彼女の送受話器で実行される好適なステップを示す。
【０３５１】
図は、送受話器のユーザ又はヘルプアラート着用者が互いに通信する必要がある場合の本発明の一態様を例示する。Ｄｅｖ１０６がヘルプアラート装置４８７４と通信するので、ユーザは（彼／彼女の送受話器経由で）その装置の着用者の健康状態をモニタすることができる。装置４８７４は好ましくは無線カメラ及び音声認識集積回路から構成されて、ヘルプアラート４８７４はＤｅｖ１０６と接続し、その着用者が送受話器ユーザと通信するためにユーザの送受話器１０２にメッセージを送信して電話をかける。装置着用者が、例えば「こんにちは、デイブ（すなわち送受話器のユーザの名前）、きみと話したい」と言った場合、ヘルプアラート装置４８７４はＤｅｖ１０６にコマンドを送信して、それによりユーザの送受話器に電話して、更に好ましくはテキストメッセージを送信する。ユーザが電話に応答した時、会話が始まる。ユーザが電話を切るとすぐに、あるいは５分間の音声の変更がない場合、Ｄｅｖ１０６はヘルプアラート装置４８７４との音声通信を止める。
【０３５２】
ユーザがヘルプアラートアイコン６０６１を選ぶ時、送受話器１０２はスクリーン６００２にナビゲートされ、そこでヘルプアラートメニュ６００４は、トークアイコン６００８及びモニタアイコン６００６で構成される。ユーザがモニタアイコン６００６を選ぶ時、送受話器はＤｅｖ１０６にコマンドを送信し、ヘルプアラート装置４８７４カメラに接続されて、カメラが見ているものを送受話器１０２へ送り返し、したがってユーザは着用者の前に何があるかをモニタする（例えば、彼／彼女の高齢の親の健康状態をモニタするため）ことができる。ユーザがトークアイコン６００８を選ぶ時、送受話器はＤｅｖ１０６にコマンドを送信して、それからヘルプアラート装置４８７４音声に応答しそれに接続して、会話をすることができる。ヘルプアラート装置４８７４は好ましくは、落下のような振動を検出することができるので、Ｄｅｖ１０６にそのような出来事をユーザに警告するコマンドを送信することができ、彼／彼女は直ちにモニタして、着用者と話をすることができる。
【０３５３】
アプリケーションソフトウェアにより、Ｄｅｖ１０６はヘルプアラート４８７４と通信することができ、送受話器１０２は図４８／５０で、１つのコピーをＤｅｖ１０６に、そしてもう１つを送受話器１０２にヘルプアラート４８７４から送信された（あるいは、ＵＲＬがヘルプアラート４８７４によって提供されたアプリサーバからダウンロードされた）ＨＡソフトウエア４８５６／５０５６によって制御される。
【０３５４】
図６０Ｂは、本発明の実施態様６０００Ｂの好適な起動例を示す。この例示的な実施態様は、遠隔でＤｅｖの住宅制御及びモニタシステムを経てドアベル及びインターコムを鳴らした訪問者に応答し、話して、モニタするため、ユーザにより彼／彼女の送受話器で実行される好適なステップを示す。
【０３５５】
訪問者がドアベルを鳴らす時（フロー図６０８０のステップ６０８２）、ベル及びインターコム４８８６は、彼／彼女の送受話器スクリーン６０２０を経てユーザに警告する（ステップ６０８６）Ｄｅｖ１０６にコマンドを送信する（ステップ６０８４）。ユーザはそれからインボックス６０４０へスクロールして、ドアベル呼び出しメッセージ６０４２を見る。ユーザはトークアイコン６０４４（ドアに応答するために）を実行し、送受話器１０２に、スクリーン６０５０のドアベルインターコムメニュ６０５２へナビゲートさせる。これにより、送受話器１０２は、Ｄｅｖ１０６への携帯電話接続（ステップ６０８８）を確立して、正面ドアインターコム（図４８／５０のドアベル及びインターコム４８８６）で音声全二重伝送（６０９０）を行い、ユーザは、彼／彼女の送受話器を通じてベルを押した人と話すことができる。ドアベルインターコムメニュ６０５２により、ユーザ（すなわち家主）がその時家にいないことを訪問者が認識せずに、正面のドアスピーカ及びマイクロホンを通じて、ユーザ及び訪問者は互いに通信することができる。ユーザはまた、電話６０５４で会話をする、ミュートにする６０５６、あるいは、一時保留の状態６０５８にすることもできる。この実施態様により予想外の訪問者は誰かが家にいると思い込み、したがって、住宅に侵入する意図を回避することができる。
【０３５６】
アプリケーションソフトウェアにより、Ｄｅｖ１０６はドアベル及びインターコム４８８６と通信することができ、送受話器１０２は図４８／５０で、１つのコピーをＤｅｖ１０６に、そしてもう１つを送受話器１０２にドアベル及びインターコム４８８６から送信された（あるいは、ＵＲＬがドアベル及びインターコム４８８６によって提供されたアプリサーバからダウンロードされた）ＢＡソフトウエア４８６８／５０６８によって制御される。
【０３５７】
図６１は、本発明の実施態様６１００の好適な起動例を示す。この例示的な実施態様は、遠隔でＤｅｖの住宅制御及びモニタシステムを経て、一体化されたスマートペットドア（そのドア、スピーカ及びカメラ）をプログラムし、セットアップして、制御するため、ユーザにより彼／彼女の送受話器で実行される好適なステップを示す。
【０３５８】
ユーザは、スマートペットドアアイコン６０７７（図６０のスクリーン６０５１）を実行することによってペットプログラム及びモニタシステムをセットアップし、送受話器１０２に、スマートペットドアコントロールメニュ６１０２へナビゲートさせる。プログラム及びセットアップアイコン６１０６によりユーザは彼／彼女のペットの外出の要求を予定することができ、コマンドアイコン６１０８によりユーザはリアルタイムでペットの毎日の要求に関する特定のタスクをするようそのアクセサリにコマンドを出すことができる。
【０３５９】
プログラム及びセットアップ制御（ユーザがアイコン６１０６を実行した後スクリーン６１１２）により、ユーザは、ペットが住宅から出て戻る（６１２２）時間を示すスケジュール＃１（６１２０）及びスケジュール＃２（６１２４）を予定する（追加スケジュールアイコン６１１６）ことができる。ユーザは、古いスケジュール（削除スケジュールアイコン６１１８）を削除することもできる。ユーザは、スケジュールがペットの要求に合っているかを彼／彼女が確認する必要がある場合に再生するため、場面を記録するオプションを有する。この例示的な実施態様では、ペットが一日３回各２０分（午前８：００−午前８：２０、午後１２−午後１２：２０、及び午後４：２０−午後４：２０）外出するようにユーザが予定しているものを示している。チャート６１６０は、予定時間にＤｅｖ１０６によって実行される動作を示す。開始時間（すなわち午前８：００）に、Ｄｅｖ１０６は、ペットドア６１９０（ステップ６１６６）にオープンドアコマンドを送り、所有者がスピーカ６１９２（ステップ６１６８）で住宅を出るようにペットを呼ぶ声を録音したものを送信し、そして随意にカメラ（ステップ６１６４）をオンにする。終了時間（すなわち午前８：２０）に、Ｄｅｖ１０６は、所有者がスピーカ６１９２（ステップ６１６８）で住宅に戻るようにペットを呼ぶ声を録音したものを送信し、そしてカメラ（ステップ６１６４）をオフにする。
【０３６０】
スマートペットコマンドメニュ（ユーザがアイコン６１０８を実行した後スクリーン６１４０）により、ユーザは、ペットドアアイコン６１４４（ステップ６１７２及び６１７４）をリアルタイムで開閉することができ、彼／彼女がその状態アイコン６１４５を見ることができる。ユーザは、コールペットアイコン６１４６（ステップ６１７６及び６１７８にも示される）を押しながらスピーカ６１９２を通じてペットを呼んでみることができる。彼／彼女は、ペットに呼びかけスピーカでそれを再生する、あるいはそれ（アイコン６１４８）を聞くために再生するため、彼／彼女の音声（Ｄｅｖ１０６の上に彼／彼女の声）コールアイコン６１５０を記録することができる。ユーザは、映像を記録して、それを再生することができる（アイコン６１５２及び６１５４、ステップ６１８０及び６１８２にも示される）。これにより、所有者は彼／彼女のペットの毎日の要求に秩序を与えることができ、急いで家に帰る、又は、誰かにタスクを依頼するような緊急性はなくなる。
【０３６１】
同様にＤｅｖ１０６は、スマートペットフィーダ（図６０Ａのスクリーン６０５１の６０７９）に、コマンドを送信するようにプログラムされ、ペットの給餌時間及びその適量を予定して、フィーダを補充する必要がある場合、送受話器１０２に警告を出すことができる。他の住宅装置に関して図５２において先に記載のように、好ましくは、所有者はまた、送受話器１０２を経て、これらがもはや必要でない時Ｄｅｖ１０６がこれらのタスクをキャンセルして、送受話器１０２及びＤｅｖ１０６からそれらのソフトウェアアプリケーションを削除するようにプログラムすることができる。
【０３６２】
図６２は、ロボットの用途のための本発明の実施態様６２００の好適な起動例を示す。この例示的な実施態様は、Ｄｅｖ１０６及びロボットの用途における複数の他のモバイル装置間の通信の相互作用を示し、そこで複数のユーザ（送受話器）は、そのタスクを果たすようＤｅｖをプログラムし、制御し、モニタすることができる。
【０３６３】
図は、そのＩ／Ｏインタフェース４３８（図４）に接続する通信リンク／コネクタ６２１０を通じて、タスク又は機能６２０８に関してＤｅｖ１０６によって実行又は実施される操作を示す。Ｄｅｖ１０６は、そのI／O制御４０１（図４）を用いて、送受話器１０２（ユーザ）に代わって明るさの照明制御４１０、環境表示をチェックする温度センサ４０４、音声／音響のための音声Ｉ／Ｏ４０８、閲覧のための映像Ｉ／Ｏ４０６、そしてタスクを完了するため様々なステップ及び手順を実行して制御するための一般のＩ／Ｏ４１２のようなタスク６２０８を実行する。ビデオスクリーン６２０６は映像Ｉ／Ｏ４０６からイメージを投影するので、第三者が観察して参加することができる。未登録の送受話器６２０４の（図１で記載のように、スマートフォン、タブレットＰＣ、ラップトップＰＣ、ｉＰａｄのような装置、ＰＤＡ[パーソナルデジタルアシスタント]又は移動式の電子装置あってもよい）ユーザは、能動的にタスク６２０８の実行に参加するため、（図１９／２０の装置構成プロセスを通じて）送受話器１０２のユーザによって招待される（登録される）。接続６２１４及び６２１６は好ましくは携帯電話１１８であり、６２１２は好ましくは有線／無線ＬＡＮであるが、それらは無線ネットワークであってもよい。タスク６２０８は、内科手術のロボット装置、ロボットの移動、圧壊した建物内での救援活動の飛行操縦装置、住宅の火事又は人間が近づけない所での救援活動であってもよい。
【０３６４】
本発明はいくつかの実施態様の観点から記載されているが、改造、修正、置換及び代替の同等物は本発明の範囲内に含まれるものである。本発明の方法及び装置を実施する多くの他の方法が存在することにも留意されるべきである。したがって、以下に添付の請求の範囲は、すべてのそのような改造、修正、置換及び代替の同等物が本発明の真の趣旨及び範囲内に含まれるものと解釈される。
【図１】
0006544592.tif 000002
【図２】
0006544592.tif 000003
【図３】
0006544592.tif 000004
【図４】
0006544592.tif 000005
【図５】
0006544592.tif 000006
【図６】
0006544592.tif 000007
【図７Ａ】
0006544592.tif 000008
【図７Ｂ】
0006544592.tif 000009
【図８】
0006544592.tif 000010
【図９】
0006544592.tif 000011
【図１０】
0006544592.tif 000012
【図１１】
0006544592.tif 000013
【図１２】
0006544592.tif 000014
【図１３】
0006544592.tif 000015
【図１４】
0006544592.tif 000016
【図１５Ａ】
0006544592.tif 000017
【図１５Ｂ】
0006544592.tif 000018
【図１６Ａ】
0006544592.tif 000019
【図１６Ｂ】
0006544592.tif 000020
【図１７】
0006544592.tif 000021
【図１８】
0006544592.tif 000022
【図１９】
0006544592.tif 000023
【図２０】
0006544592.tif 000024
【図２１Ａ】
0006544592.tif 000025
【図２１Ｂ】
0006544592.tif 000026
【図２２】
0006544592.tif 000027
【図２３】
0006544592.tif 000028
【図２４Ａ】
0006544592.tif 000029
【図２４Ｂ】
0006544592.tif 000030
【図２４Ｃ】
0006544592.tif 000031
【図２５】
0006544592.tif 000032
【図２６】
0006544592.tif 000033
【図２７】
0006544592.tif 000034
【図２８】
0006544592.tif 000035
【図２９】
0006544592.tif 000036
【図３０】
0006544592.tif 000037
【図３１】
0006544592.tif 000038
【図３２】
0006544592.tif 000039
【図３３】
0006544592.tif 000040
【図３４】
0006544592.tif 000041
【図３５】
0006544592.tif 000042
【図３６】
0006544592.tif 000043
【図３７】
0006544592.tif 000044
【図３８】
0006544592.tif 000045
【図３９】
0006544592.tif 000046
【図４０】
0006544592.tif 000047
【図４１Ａ】
0006544592.tif 000048
【図４１Ｂ】
0006544592.tif 000049
【図４２】
0006544592.tif 000050
【図４３】
0006544592.tif 000051
【図４４】
0006544592.tif 000052
【図４５】
0006544592.tif 000053
【図４６】
0006544592.tif 000054
【図４７】
0006544592.tif 000055
【図４８】
0006544592.tif 000056
【図４９】
0006544592.tif 000057
【図５０】
0006544592.tif 000058
【図５１】
0006544592.tif 000059
【図５２】
0006544592.tif 000060
【図５３】
0006544592.tif 000061
【図５４】
0006544592.tif 000062
【図５５Ａ】
0006544592.tif 000063
【図５５Ｂ】
0006544592.tif 000064
【図５６Ａ】
0006544592.tif 000065
【図５６Ｂ】
0006544592.tif 000066
【図５７】
0006544592.tif 000067
【図５８】
0006544592.tif 000068
【図５９】
0006544592.tif 000069
【図６０Ａ】
0006544592.tif 000070
【図６０Ｂ】
0006544592.tif 000071
【図６１】
0006544592.tif 000072
【図６２】
0006544592.tif 000073